(57)【特許請求の範囲】
【請求項１】
式（Ｉ）の染料。
【化１】
0006452170.tif 000079
［式中、
Ｙは、一般式（ＩＩ）の基であり、
【化２】
0006452170.tif 000080
Ｒ１は、アルキル、アルケニル、シクロアルキル、アリール、ヘテロアリール、ヘテロシクロアルキルであるか、
又は
酸素及び硫黄からなる群より選択される１個又は複数のヘテロ原子によって中断されたアルキルであるか、
又は
ヒドロキシ、アリール、シクロアルキル、アルコキシ、チオアルコキシ、アミノ、Ｎ−モノアルキル−アミノ、Ｎ，Ｎ−ジアルキル−アミノ、Ｎ−モノアリール−アミノ、Ｎ，Ｎ−ジアリール−アミノ、Ｎ−アルキル−Ｎ−アリール−アミノ、Ｎ−モノシクロアルキル−アミノ、Ｎ，Ｎ−ジシクロアルキル−アミノ、Ｎ−モノアルキル−モノシクロアルキル−アミノ、Ｎ，Ｎ−モノアリール−モノシクロアルキル−アミノ、Ｎ−アシルアミノ、Ｎ−アルキルスルホニル−アミノ、ハロゲン、シアノ、チオシアノ、ニトロ、アシル、チオアシル、アルキルスルホニル、アリーロイル、トリフルオロメチル、ヘテロアリール、ヘテロシクロアルキル、アルコキシチオカルボニル、アシルオキシ、アリーロイルオキシ、カルバモイル、Ｎ−モノシクロアルキル−カルバモイル、Ｎ−モノアルキル−カルバモイル、Ｎ，Ｎ−ジシクロアルキル−カルバモイル、Ｎ，Ｎ−ジアルキル−カルバモイル、Ｎ−モノアリール−カルバモイル、Ｎ，Ｎ−ジアリール−カルバモイル、Ｎ−モノシクロアルキル−Ｎ−モノアリールカルバモイル、Ｎ−モノアルキル−Ｎ−モノアリール−カルバモイル、スルファモイル、Ｎ−モノシクロアルキル−スルファモイル、Ｎ−モノアルキル−スルファモイル、Ｎ，Ｎ−ジシクロアルキル−スルファモイル、Ｎ，Ｎ−ジアルキル−スルファモイル、Ｎ−モノアリール−スルファモイル、Ｎ，Ｎ−ジアリール−スルファモイル、Ｎ−モノシクロアルキル−Ｎ−モノアリールスルファモイル、Ｎ−モノアルキル−Ｎ−モノアリールスルファモイル、アリールスルホニルオキシ、アルキルスルホニルオキシ、アリールオキシスルホニル、アルコキシルスルホニル、及びＣＯＯＲ１２からなる群より選択される１種又は複数の置換基によって置換されたアルキルであるか、
又は
酸素及び硫黄からなる群より選択される１個又は複数のヘテロ原子によって中断され、そしてヒドロキシ、アリール、シクロアルキル、アルコキシ、チオアルコキシ、アミノ、Ｎ−モノアルキル−アミノ、Ｎ，Ｎ−ジアルキル−アミノ、Ｎ−モノアリール−アミノ、Ｎ，Ｎ−ジアリール−アミノ、Ｎ−アルキル−Ｎ−アリール−アミノ、Ｎ−モノシクロアルキル−アミノ、Ｎ，Ｎ−ジシクロアルキル−アミノ、Ｎ−モノアルキル−モノシクロアルキル−アミノ、Ｎ，Ｎ−モノアリール−モノシクロアルキル−アミノ、Ｎ−アシルアミノ、Ｎ−アルキルスルホニル−アミノ、ハロゲン、シアノ、チオシアノ、ニトロ、アシル、チオアシル、アルキルスルホニル、アリーロイル、トリフルオロメチル、ヘテロアリール、ヘテロシクロアルキル、アルコキシチオカルボニル、アシルオキシ、アリーロイルオキシ、カルバモイル、Ｎ−モノシクロアルキル−カルバモイル、Ｎ−モノアルキル−カルバモイル、Ｎ，Ｎ−ジシクロアルキル−カルバモイル、Ｎ，Ｎ−ジアルキル−カルバモイル、Ｎ−モノアリール−カルバモイル、Ｎ，Ｎ−ジアリール−カルバモイル、Ｎ−モノシクロアルキル−Ｎ−モノアリールカルバモイル、Ｎ−モノアルキル−Ｎ−モノアリール−カルバモイル、スルファモイル、Ｎ−モノシクロアルキル−スルファモイル、Ｎ−モノアルキル−スルファモイル、Ｎ，Ｎ−ジシクロアルキル−スルファモイル、Ｎ，Ｎ−ジアルキル−スルファモイル、Ｎ−モノアリール−スルファモイル、Ｎ，Ｎ−ジアリール−スルファモイル、Ｎ−モノシクロアルキル−Ｎ−モノアリールスルファモイル、Ｎ−モノアルキル−Ｎ−モノアリールスルファモイル、アリールスルホニルオキシ、アルキルスルホニルオキシ、アリールオキシスルホニル、アルコキシルスルホニル、及びＣＯＯＲ１２からなる群より選択される１種又は複数の置換基によって置換されたアルキルであるか、
又は
ヒドロキシ、アリール、シクロアルキル、アルコキシ、チオアルコキシ、アミノ、Ｎ−モノアルキル−アミノ、Ｎ，Ｎ−ジアルキル−アミノ、Ｎ−モノアリール−アミノ、Ｎ，Ｎ−ジアリール−アミノ、Ｎ−アルキル−Ｎ−アリール−アミノ、Ｎ−モノシクロアルキル−アミノ、Ｎ，Ｎ−ジシクロアルキル−アミノ、Ｎ−モノアルキル−モノシクロアルキル−アミノ、Ｎ，Ｎ−モノアリール−モノシクロアルキル−アミノ、Ｎ−アシルアミノ、Ｎ−アルキルスルホニル−アミノ、チオシアノ、ハロゲン、シアノ、ニトロ、アシル、チオアシル、アルキルスルホニル、アリーロイル、トリフルオロメチル、ヘテロアリール、ヘテロシクロアルキル、アルコキシカルボニル、アルコキシチオカルボニル、アシルオキシ、アリーロイルオキシ、カルバモイル、Ｎ−モノシクロアルキル−カルバモイル、Ｎ−モノアルキル−カルバモイル、Ｎ，Ｎ−ジシクロアルキル−カルバモイル、Ｎ，Ｎ−ジアルキル−カルバモイル、Ｎ−モノアリール−カルバモイル、Ｎ，Ｎ−ジアリール−カルバモイル、Ｎ−モノシクロアルキル−Ｎ−モノアリールカルバモイル、Ｎ−モノアルキル−Ｎ−モノアリール−カルバモイル、スルファモイル、Ｎ−モノシクロアルキル−スルファモイル、Ｎ−モノアルキル−スルファモイル、Ｎ，Ｎ−ジシクロアルキル−スルファモイル、Ｎ，Ｎ−ジアルキル−スルファモイル、Ｎ−モノアリール−スルファモイル、Ｎ，Ｎ−ジアリール−スルファモイル、Ｎ−モノシクロアルキル−Ｎ−モノアリールスルファモイル、Ｎ−モノアルキル−Ｎ−モノアリールスルファモイル、アリールスルホニルオキシ、アルキルスルホニルオキシ、アリールオキシスルホニル、アルコキシルスルホニル、及びＣＯＯＲ１２からなる群より選択される１種又は複数の置換基によって置換されたアリールであり、
Ｒ２〜Ｒ８は、互いに独立して、水素、アルキル、アリール、アルコキシル、シクロアルキル、ハロゲンであるか、
又は
酸素及び硫黄からなる群より選択される１個又は複数のヘテロ原子によって中断されたアルキルであるか、
又は
ヒドロキシ、アリール、シクロアルキル、アルコキシ、チオアルコキシ、アミノ、Ｎ−モノアルキル−アミノ、Ｎ，Ｎ−ジアルキル−アミノ、Ｎ−モノアリール−アミノ、Ｎ，Ｎ−ジアリール−アミノ、Ｎ−アルキル−Ｎ−アリール−アミノ、Ｎ−モノシクロアルキル−アミノ、Ｎ，Ｎ−ジシクロアルキル−アミノ、Ｎ−モノアルキル−モノシクロアルキル−アミノ、Ｎ，Ｎ−モノアリール−モノシクロアルキル−アミノ、Ｎ−アシルアミノ、Ｎ−アルキルスルホニル−アミノ、ハロゲン、シアノ、チオシアノ、ニトロ、アシル、チオアシル、アルキルスルホニル、アリーロイル、トリフルオロメチル、ヘテロアリール、ヘテロシクロアルキル、アルコキシカルボニル、アルコキシチオカルボニル、アシルオキシ、アリーロイルオキシ、カルバモイル、Ｎ−モノシクロアルキル−カルバモイル、Ｎ−モノアルキル−カルバモイル、Ｎ，Ｎ−ジシクロアルキル−カルバモイル、Ｎ，Ｎ−ジアルキル−カルバモイル、Ｎ−モノアリール−カルバモイル、Ｎ，Ｎ−ジアリール−カルバモイル、Ｎ−モノシクロアルキル−Ｎ−モノアリールカルバモイル、Ｎ−モノアルキル−Ｎ−モノアリール−カルバモイル、スルファモイル、Ｎ−モノシクロアルキル−スルファモイル、Ｎ−モノアルキル−スルファモイル、Ｎ，Ｎ−ジシクロアルキル−スルファモイル、Ｎ，Ｎ−ジアルキル−スルファモイル、Ｎ−モノアリール−スルファモイル、Ｎ，Ｎ−ジアリール−スルファモイル、Ｎ−モノシクロアルキル−Ｎ−モノアリールスルファモイル、Ｎ−モノアルキル−Ｎ−モノアリールスルファモイル、アリールスルホニルオキシ、アルキルスルホニルオキシ、アリールオキシスルホニル、アルコキシルスルホニル、及びＣＯＯＲ１２からなる群より選択される１種又は複数の置換基によって置換されたアルキルであるか、
又は
酸素及び硫黄からなる群より選択される１個又は複数のヘテロ原子によって中断され、そしてヒドロキシ、アリール、シクロアルキル、アルコキシ、チオアルコキシ、アミノ、Ｎ−モノアルキル−アミノ、Ｎ，Ｎ−ジアルキル−アミノ、Ｎ−モノアリール−アミノ、Ｎ，Ｎ−ジアリール−アミノ、Ｎ−アルキル−Ｎ−アリール−アミノ、Ｎ−モノシクロアルキル−アミノ、Ｎ，Ｎ−ジシクロアルキル−アミノ、Ｎ−モノアルキル−モノシクロアルキル−アミノ、Ｎ，Ｎ−モノアリール−モノシクロアルキル−アミノ、Ｎ−アシルアミノ、Ｎ−アルキルスルホニル−アミノ、ハロゲン、シアノ、チオシアノ、ニトロ、アシル、チオアシル、アルキルスルホニル、アリーロイル、トリフルオロメチル、ヘテロアリール、ヘテロシクロアルキル、アルコキシカルボニル、アルコキシチオカルボニル、アシルオキシ、アリーロイルオキシ、カルバモイル、Ｎ−モノシクロアルキル−カルバモイル、Ｎ−モノアルキル−カルバモイル、Ｎ，Ｎ−ジシクロアルキル−カルバモイル、Ｎ，Ｎ−ジアルキル−カルバモイル、Ｎ−モノアリール−カルバモイル、Ｎ，Ｎ−ジアリール−カルバモイル、Ｎ−モノシクロアルキル−Ｎ−モノアリールカルバモイル、Ｎ−モノアルキル−Ｎ−モノアリール−カルバモイル、スルファモイル、Ｎ−モノシクロアルキル−スルファモイル、Ｎ−モノアルキル−スルファモイル、Ｎ，Ｎ−ジシクロアルキル−スルファモイル、Ｎ，Ｎ−ジアルキル−スルファモイル、Ｎ−モノアリール−スルファモイル、Ｎ，Ｎ−ジアリール−スルファモイル、Ｎ−モノシクロアルキル−Ｎ−モノアリールスルファモイル、Ｎ−モノアルキル−Ｎ−モノアリールスルファモイル、アリールスルホニルオキシ、アルキルスルホニルオキシ、アリールオキシスルホニル、アルコキシルスルホニル、及びＣＯＯＲ１２からなる群より選択される１種又は複数の置換基によって置換されたアルキルであるか、
又は
ヒドロキシ、アリール、シクロアルキル、アルコキシ、チオアルコキシ、アミノ、Ｎ−モノアルキル−アミノ、Ｎ，Ｎ−ジアルキル−アミノ、Ｎ−モノアリール−アミノ、Ｎ，Ｎ−ジアリール−アミノ、Ｎ−アルキル−Ｎ−アリール−アミノ、Ｎ−モノシクロアルキル−アミノ、Ｎ，Ｎ−ジシクロアルキル−アミノ、Ｎ−モノアルキル−モノシクロアルキル−アミノ、Ｎ，Ｎ−モノアリール−モノシクロアルキル−アミノ、Ｎ−アシルアミノ、Ｎ−アルキルスルホニル−アミノ、チオシアノ、ハロゲン、シアノ、ニトロ、アシル、チオアシル、アルキルスルホニル、アリーロイル、トリフルオロメチル、ヘテロアリール、ヘテロシクロアルキル、アルコキシカルボニル、アルコキシチオカルボニル、アシルオキシ、アリーロイルオキシ、カルバモイル、Ｎ−モノシクロアルキル−カルバモイル、Ｎ−モノアルキル−カルバモイル、Ｎ，Ｎ−ジシクロアルキル−カルバモイル、Ｎ，Ｎ−ジアルキル−カルバモイル、Ｎ−モノアリール−カルバモイル、Ｎ，Ｎ−ジアリール−カルバモイル、Ｎ−モノシクロアルキル−Ｎ−モノアリールカルバモイル、Ｎ−モノアルキル−Ｎ−モノアリール−カルバモイル、スルファモイル、Ｎ−モノシクロアルキル−スルファモイル、Ｎ−モノアルキル−スルファモイル、Ｎ，Ｎ−ジシクロアルキル−スルファモイル、Ｎ，Ｎ−ジアルキル−スルファモイル、Ｎ−モノアリール−スルファモイル、Ｎ，Ｎ−ジアリール−スルファモイル、Ｎ−モノシクロアルキル−Ｎ−モノアリールスルファモイル、Ｎ−モノアルキル−Ｎ−モノアリールスルファモイル、アリールスルホニルオキシ、アルキルスルホニルオキシ、アリールオキシスルホニル、アルコキシルスルホニル、及びＣＯＯＲ１２からなる群より選択される１種又は複数の置換基によって置換されたアリールであり、
Ｄは、式（ＶＩ）の基を表すか、
【化３】
0006452170.tif 000081
［式中、
Ｔ１〜Ｔ４は、互いに独立して、水素、アルキル、シクロアルキル、アルケニル、アルキニル、アリール、アルコキシル、ハロゲン、シアノ、ニトロ、アシル、アリーロイル、アリールスルホニル、アルキルスルホニル、Ｎ−モノアルキル−スルファモイル、Ｎ，Ｎ−ジアルキル−スルファモイル、アルコキシルカルボニル、アリールオキシカルボニル、Ｎ−モノアルキル−カルバモイル、Ｎ，Ｎ−ジアルキル−カルバモイル、アリーロイルオキシ、アシルオキシ、アリールオキシ、チオシアノ、ヒドロキシル、アリールメトキシ、アリールスルホニルオキシ、アルキルスルホニルオキシ、アリールオキシスルホニル、−［（アルコキシカルボニル）−メトキシル］カルボニル、［（アリールオキシカルボニル）−メトキシル］カルボニル、［（アルキルアシル）−メトキシ］カルボニル、［（アリールアシル）−メトキシ］カルボニル、トリフルオロメチルであるか、
又は
酸素及び硫黄からなる群より選択される１個又は複数のヘテロ原子によって中断されたアルキルであるか、
又は
ヒドロキシ、アリール、シクロアルキル、アルコキシ、チオアルコキシ、アミノ、Ｎ−モノアルキル−アミノ、Ｎ，Ｎ−ジアルキル−アミノ、Ｎ−モノアリール−アミノ、Ｎ，Ｎ−ジアリール−アミノ、Ｎ−アルキル−Ｎ−アリール−アミノ、Ｎ−モノシクロアルキル−アミノ、Ｎ，Ｎ−ジシクロアルキル−アミノ、Ｎ−モノアルキル−モノシクロアルキル−アミノ、Ｎ，Ｎ−モノアリール−モノシクロアルキル−アミノ、Ｎ−アシルアミノ、Ｎ−アルキルスルホニル−アミノ、ハロゲン、シアノ、チオシアノ、ニトロ、アシル、チオアシル、アルキルスルホニル、アリーロイル、トリフルオロメチル、ヘテロアリール、ヘテロシクロアルキル、アルコキシカルボニル、アルコキシチオカルボニル、アシルオキシ、アリーロイルオキシ、カルバモイル、Ｎ−モノシクロアルキル−カルバモイル、Ｎ−モノアルキル−カルバモイル、Ｎ，Ｎ−ジシクロアルキル−カルバモイル、Ｎ，Ｎ−ジアルキル−カルバモイル、Ｎ−モノアリール−カルバモイル、Ｎ，Ｎ−ジアリール−カルバモイル、Ｎ−モノシクロアルキル−Ｎ−モノアリールカルバモイル、Ｎ−モノアルキル−Ｎ−モノアリール−カルバモイル、スルファモイル、Ｎ−モノシクロアルキル−スルファモイル、Ｎ−モノアルキル−スルファモイル、Ｎ，Ｎ−ジシクロアルキル−スルファモイル、Ｎ，Ｎ−ジアルキル−スルファモイル、Ｎ−モノアリール−スルファモイル、Ｎ，Ｎ−ジアリール−スルファモイル、Ｎ−モノシクロアルキル−Ｎ−モノアリールスルファモイル、Ｎ−モノアルキル−Ｎ−モノアリールスルファモイル、アリールスルホニルオキシ、アルキルスルホニルオキシ、アリールオキシスルホニル、アルコキシルスルホニル、及びＣＯＯＲ１２からなる群より選択される１種又は複数の置換基によって置換されたアルキルであるか、
又は
酸素及び硫黄からなる群より選択される１個又は複数のヘテロ原子によって中断され、そしてヒドロキシ、アリール、シクロアルキル、アルコキシ、チオアルコキシ、アミノ、Ｎ−モノアルキル−アミノ、Ｎ，Ｎ−ジアルキル−アミノ、Ｎ−モノアリール−アミノ、Ｎ，Ｎ−ジアリール−アミノ、Ｎ−アルキル−Ｎ−アリール−アミノ、Ｎ−モノシクロアルキル−アミノ、Ｎ，Ｎ−ジシクロアルキル−アミノ、Ｎ−モノアルキル−モノシクロアルキル−アミノ、Ｎ，Ｎ−モノアリール−モノシクロアルキル−アミノ、Ｎ−アシルアミノ、Ｎ−アルキルスルホニル−アミノ、ハロゲン、シアノ、チオシアノ、ニトロ、アシル、チオアシル、アルキルスルホニル、アリーロイル、トリフルオロメチル、ヘテロアリール、ヘテロシクロアルキル、アルコキシカルボニル、アルコキシチオカルボニル、アシルオキシ、アリーロイルオキシ、カルバモイル、Ｎ−モノシクロアルキル−カルバモイル、Ｎ−モノアルキル−カルバモイル、Ｎ，Ｎ−ジシクロアルキル−カルバモイル、Ｎ，Ｎ−ジアルキル−カルバモイル、Ｎ−モノアリール−カルバモイル、Ｎ，Ｎ−ジアリール−カルバモイル、Ｎ−モノシクロアルキル−Ｎ−モノアリールカルバモイル、Ｎ−モノアルキル−Ｎ−モノアリール−カルバモイル、スルファモイル、Ｎ−モノシクロアルキル−スルファモイル、Ｎ−モノアルキル−スルファモイル、Ｎ，Ｎ−ジシクロアルキル−スルファモイル、Ｎ，Ｎ−ジアルキル−スルファモイル、Ｎ−モノアリール−スルファモイル、Ｎ，Ｎ−ジアリール−スルファモイル、Ｎ−モノシクロアルキル−Ｎ−モノアリールスルファモイル、Ｎ−モノアルキル−Ｎ−モノアリールスルファモイル、アリールスルホニルオキシ、アルキルスルホニルオキシ、アリールオキシスルホニル、アルコキシルスルホニル、及びＣＯＯＲ１２からなる群より選択される１種又は複数の置換基によって置換されたアルキルであるか、
又は
ヒドロキシ、アリール、シクロアルキル、アルコキシ、チオアルコキシ、アミノ、Ｎ−モノアルキル−アミノ、Ｎ，Ｎ−ジアルキル−アミノ、Ｎ−モノアリール−アミノ、Ｎ，Ｎ−ジアリール−アミノ、Ｎ−アルキル−Ｎ−アリール−アミノ、Ｎ−モノシクロアルキル−アミノ、Ｎ，Ｎ−ジシクロアルキル−アミノ、Ｎ−モノアルキル−モノシクロアルキル−アミノ、Ｎ，Ｎ−モノアリール−モノシクロアルキル−アミノ、Ｎ−アシルアミノ、Ｎ−アルキルスルホニル−アミノ、チオシアノ、ハロゲン、シアノ、ニトロ、アシル、チオアシル、アルキルスルホニル、アリーロイル、トリフルオロメチル、ヘテロアリール、ヘテロシクロアルキル、アルコキシカルボニル、アルコキシチオカルボニル、アシルオキシ、アリーロイルオキシ、カルバモイル、Ｎ−モノシクロアルキル−カルバモイル、Ｎ−モノアルキル−カルバモイル、Ｎ，Ｎ−ジシクロアルキル−カルバモイル、Ｎ，Ｎ−ジアルキル−カルバモイル、Ｎ−モノアリール−カルバモイル、Ｎ，Ｎ−ジアリール−カルバモイル、Ｎ−モノシクロアルキル−Ｎ−モノアリールカルバモイル、Ｎ−モノアルキル−Ｎ−モノアリール−カルバモイル、スルファモイル、Ｎ−モノシクロアルキル−スルファモイル、Ｎ−モノアルキル−スルファモイル、Ｎ，Ｎ−ジシクロアルキル−スルファモイル、Ｎ，Ｎ−ジアルキル−スルファモイル、Ｎ−モノアリール−スルファモイル、Ｎ，Ｎ−ジアリール−スルファモイル、Ｎ−モノシクロアルキル−Ｎ−モノアリールスルファモイル、Ｎ−モノアルキル−Ｎ−モノアリールスルファモイル、アリールスルホニルオキシ、アルキルスルホニルオキシ、アリールオキシスルホニル、アルコキシルスルホニル、及びＣＯＯＲ１２からなる群より選択される１種又は複数の置換基によって置換されたアリールであるが、
ここでＴ１、Ｔ２、Ｔ３、及びＴ４の内の少なくとも一つは水素ではない］
又は
Ｄは、式（ＶＩＩ）の基を表すか、
【化４】
0006452170.tif 000082
［式中、
Ｔ５〜Ｔ７は、互いに独立して、水素、アルキル、シクロアルキル、アルケニル、アルキニル、アリール、アルコキシル、ハロゲン、シアノ、ニトロ、アシル、アリールアシル、アルコキシカルボニル、アリールオキシカルボニル、［（アルコキシカルボニル）−メトキシル］カルボニル、［（アリールオキシカルボニル）−メトキシル］カルボニル、［（アルキルアシル）−メトキシ］カルボニル、［（アリールアシル）−メトキシ］カルボニル、Ｎ−モノアルキル−カルバモイル、Ｎ，Ｎ−ジアルキル−カルバモイルであるか、
又は
酸素及び硫黄からなる群より選択される１個又は複数のヘテロ原子によって中断されたアルキルであるか、
又は
ヒドロキシ、アリール、シクロアルキル、アルコキシ、チオアルコキシ、アミノ、Ｎ−モノアルキル−アミノ、Ｎ，Ｎ−ジアルキル−アミノ、Ｎ−モノアリール−アミノ、Ｎ，Ｎ−ジアリール−アミノ、Ｎ−アルキル−Ｎ−アリール−アミノ、Ｎ−モノシクロアルキル−アミノ、Ｎ，Ｎ−ジシクロアルキル−アミノ、Ｎ−モノアルキル−モノシクロアルキル−アミノ、Ｎ，Ｎ−モノアリール−モノシクロアルキル−アミノ、Ｎ−アシルアミノ、Ｎ−アルキルスルホニル−アミノ、ハロゲン、シアノ、チオシアノ、ニトロ、アシル、チオアシル、アルキルスルホニル、アリーロイル、トリフルオロメチル、ヘテロアリール、ヘテロシクロアルキル、アルコキシカルボニル、アルコキシチオカルボニル、アシルオキシ、アリーロイルオキシ、カルバモイル、Ｎ−モノシクロアルキル−カルバモイル、Ｎ−モノアルキル−カルバモイル、Ｎ，Ｎ−ジシクロアルキル−カルバモイル、Ｎ，Ｎ−ジアルキル−カルバモイル、Ｎ−モノアリール−カルバモイル、Ｎ，Ｎ−ジアリール−カルバモイル、Ｎ−モノシクロアルキル−Ｎ−モノアリールカルバモイル、Ｎ−モノアルキル−Ｎ−モノアリール−カルバモイル、スルファモイル、Ｎ−モノシクロアルキル−スルファモイル、Ｎ−モノアルキル−スルファモイル、Ｎ，Ｎ−ジシクロアルキル−スルファモイル、Ｎ，Ｎ−ジアルキル−スルファモイル、Ｎ−モノアリール−スルファモイル、Ｎ，Ｎ−ジアリール−スルファモイル、Ｎ−モノシクロアルキル−Ｎ−モノアリールスルファモイル、Ｎ−モノアルキル−Ｎ−モノアリールスルファモイル、アリールスルホニルオキシ、アルキルスルホニルオキシ、アリールオキシスルホニル、アルコキシルスルホニル、及びＣＯＯＲ１２からなる群より選択される１種又は複数の置換基によって置換されたアルキルであるか、
又は
酸素及び硫黄からなる群より選択される１個又は複数のヘテロ原子によって中断され、そしてヒドロキシ、アリール、シクロアルキル、アルコキシ、チオアルコキシ、アミノ、Ｎ−モノアルキル−アミノ、Ｎ，Ｎ−ジアルキル−アミノ、Ｎ−モノアリール−アミノ、Ｎ，Ｎ−ジアリール−アミノ、Ｎ−アルキル−Ｎ−アリール−アミノ、Ｎ−モノシクロアルキル−アミノ、Ｎ，Ｎ−ジシクロアルキル−アミノ、Ｎ−モノアルキル−モノシクロアルキル−アミノ、Ｎ，Ｎ−モノアリール−モノシクロアルキル−アミノ、Ｎ−アシルアミノ、Ｎ−アルキルスルホニル−アミノ、ハロゲン、シアノ、チオシアノ、ニトロ、アシル、チオアシル、アルキルスルホニル、アリーロイル、トリフルオロメチル、ヘテロアリール、ヘテロシクロアルキル、アルコキシカルボニル、アルコキシチオカルボニル、アシルオキシ、アリーロイルオキシ、カルバモイル、Ｎ−モノシクロアルキル−カルバモイル、Ｎ−モノアルキル−カルバモイル、Ｎ，Ｎ−ジシクロアルキル−カルバモイル、Ｎ，Ｎ−ジアルキル−カルバモイル、Ｎ−モノアリール−カルバモイル、Ｎ，Ｎ−ジアリール−カルバモイル、Ｎ−モノシクロアルキル−Ｎ−モノアリールカルバモイル、Ｎ−モノアルキル−Ｎ−モノアリール−カルバモイル、スルファモイル、Ｎ−モノシクロアルキル−スルファモイル、Ｎ−モノアルキル−スルファモイル、Ｎ，Ｎ−ジシクロアルキル−スルファモイル、Ｎ，Ｎ−ジアルキル−スルファモイル、Ｎ−モノアリール−スルファモイル、Ｎ，Ｎ−ジアリール−スルファモイル、Ｎ−モノシクロアルキル−Ｎ−モノアリールスルファモイル、Ｎ−モノアルキル−Ｎ−モノアリールスルファモイル、アリールスルホニルオキシ、アルキルスルホニルオキシ、アリールオキシスルホニル、アルコキシルスルホニル、及びＣＯＯＲ１２からなる群より選択される１種又は複数の置換基によって置換されたアルキルであるか、
又は
ヒドロキシ、アリール、シクロアルキル、アルコキシ、チオアルコキシ、アミノ、Ｎ−モノアルキル−アミノ、Ｎ，Ｎ−ジアルキル−アミノ、Ｎ−モノアリール−アミノ、Ｎ，Ｎ−ジアリール−アミノ、Ｎ−アルキル−Ｎ−アリール−アミノ、Ｎ−モノシクロアルキル−アミノ、Ｎ，Ｎ−ジシクロアルキル−アミノ、Ｎ−モノアルキル−モノシクロアルキル−アミノ、Ｎ，Ｎ−モノアリール−モノシクロアルキル−アミノ、Ｎ−アシルアミノ、Ｎ−アルキルスルホニル−アミノ、チオシアノ、ハロゲン、シアノ、ニトロ、アシル、チオアシル、アルキルスルホニル、アリーロイル、トリフルオロメチル、ヘテロアリール、ヘテロシクロアルキル、アルコキシカルボニル、アルコキシチオカルボニル、アシルオキシ、アリーロイルオキシ、カルバモイル、Ｎ−モノシクロアルキル−カルバモイル、Ｎ−モノアルキル−カルバモイル、Ｎ，Ｎ−ジシクロアルキル−カルバモイル、Ｎ，Ｎ−ジアルキル−カルバモイル、Ｎ−モノアリール−カルバモイル、Ｎ，Ｎ−ジアリール−カルバモイル、Ｎ−モノシクロアルキル−Ｎ−モノアリールカルバモイル、Ｎ−モノアルキル−Ｎ−モノアリール−カルバモイル、スルファモイル、Ｎ−モノシクロアルキル−スルファモイル、Ｎ−モノアルキル−スルファモイル、Ｎ，Ｎ−ジシクロアルキル−スルファモイル、Ｎ，Ｎ−ジアルキル−スルファモイル、Ｎ−モノアリール−スルファモイル、Ｎ，Ｎ−ジアリール−スルファモイル、Ｎ−モノシクロアルキル−Ｎ−モノアリールスルファモイル、Ｎ−モノアルキル−Ｎ−モノアリールスルファモイル、アリールスルホニルオキシ、アルキルスルホニルオキシ、アリールオキシスルホニル、アルコキシルスルホニル、及びＣＯＯＲ１２からなる群より選択される１種又は複数の置換基によって置換されたアリールであるが、
ここで、Ｔ５、Ｔ６、及びＴ７の内の少なくとも一つは水素ではない］
又は
Ｄは、式（ＶＩＩＩ）の基を表すか、
【化５】
0006452170.tif 000083
［式中、
Ｕは、酸素、硫黄、又はＮ−Ｒ１５であり、
Ｔ８及びＴ１０は、互いに独立して、水素、フッ素、塩素、又は臭素であり、
Ｔ９は、水素、アルキルスルホニル、チオシアノ、アルコキシ、ハロゲン、又はニトロであり、
Ｒ１５は、アルキル、アリール、又はシクロアルキルである］
又は
Ｄは、式（ＩＸ）の基を表すか、
【化６】
0006452170.tif 000084
［式中、
Ｔ１１は、水素、ニトロ、又はハロゲンである］
又は
Ｄは、式（Ｘ）の基を表すか、
【化７】
0006452170.tif 000085
［式中、
Ｔ１２及びＴ１４は、互いに独立して、ニトロ、シアノ、アシル、又はアルコキシカルボニルであり、
Ｔ１３は、水素、アリール、アルキル、ハロゲンであるか、
又は
酸素及び硫黄からなる群より選択される１個又は複数のヘテロ原子によって中断されたアルキルであるか、
又は
ヒドロキシ、アリール、シクロアルキル、アルコキシ、チオアルコキシ、アミノ、Ｎ−モノアルキル−アミノ、Ｎ，Ｎ−ジアルキル−アミノ、Ｎ−モノアリール−アミノ、Ｎ，Ｎ−ジアリール−アミノ、Ｎ−アルキル−Ｎ−アリール−アミノ、Ｎ−モノシクロアルキル−アミノ、Ｎ，Ｎ−ジシクロアルキル−アミノ、Ｎ−モノアルキル−モノシクロアルキル−アミノ、Ｎ，Ｎ−モノアリール−モノシクロアルキル−アミノ、Ｎ−アシルアミノ、Ｎ−アルキルスルホニル−アミノ、ハロゲン、シアノ、チオシアノ、ニトロ、アシル、チオアシル、アルキルスルホニル、アリーロイル、トリフルオロメチル、ヘテロアリール、ヘテロシクロアルキル、アルコキシカルボニル、アルコキシチオカルボニル、アシルオキシ、アリーロイルオキシ、カルバモイル、Ｎ−モノシクロアルキル−カルバモイル、Ｎ−モノアルキル−カルバモイル、Ｎ，Ｎ−ジシクロアルキル−カルバモイル、Ｎ，Ｎ−ジアルキル−カルバモイル、Ｎ−モノアリール−カルバモイル、Ｎ，Ｎ−ジアリール−カルバモイル、Ｎ−モノシクロアルキル−Ｎ−モノアリールカルバモイル、Ｎ−モノアルキル−Ｎ−モノアリール−カルバモイル、スルファモイル、Ｎ−モノシクロアルキル−スルファモイル、Ｎ−モノアルキル−スルファモイル、Ｎ，Ｎ−ジシクロアルキル−スルファモイル、Ｎ，Ｎ−ジアルキル−スルファモイル、Ｎ−モノアリール−スルファモイル、Ｎ，Ｎ−ジアリール−スルファモイル、Ｎ−モノシクロアルキル−Ｎ−モノアリールスルファモイル、Ｎ−モノアルキル−Ｎ−モノアリールスルファモイル、アリールスルホニルオキシ、アルキルスルホニルオキシ、アリールオキシスルホニル、アルコキシルスルホニル、及びＣＯＯＲ１２からなる群より選択される１種又は複数の置換基によって置換されたアルキルであるか、
又は
酸素及び硫黄からなる群より選択される１個又は複数のヘテロ原子によって中断され、そしてヒドロキシ、アリール、シクロアルキル、アルコキシ、チオアルコキシ、アミノ、Ｎ−モノアルキル−アミノ、Ｎ，Ｎ−ジアルキル−アミノ、Ｎ−モノアリール−アミノ、Ｎ，Ｎ−ジアリール−アミノ、Ｎ−アルキル−Ｎ−アリール−アミノ、Ｎ−モノシクロアルキル−アミノ、Ｎ，Ｎ−ジシクロアルキル−アミノ、Ｎ−モノアルキル−モノシクロアルキル−アミノ、Ｎ，Ｎ−モノアリール−モノシクロアルキル−アミノ、Ｎ−アシルアミノ、Ｎ−アルキルスルホニル−アミノ、ハロゲン、シアノ、チオシアノ、ニトロ、アシル、チオアシル、アルキルスルホニル、アリーロイル、トリフルオロメチル、ヘテロアリール、ヘテロシクロアルキル、アルコキシカルボニル、アルコキシチオカルボニル、アシルオキシ、アリーロイルオキシ、カルバモイル、Ｎ−モノシクロアルキル−カルバモイル、Ｎ−モノアルキル−カルバモイル、Ｎ，Ｎ−ジシクロアルキル−カルバモイル、Ｎ，Ｎ−ジアルキル−カルバモイル、Ｎ−モノアリール−カルバモイル、Ｎ，Ｎ−ジアリール−カルバモイル、Ｎ−モノシクロアルキル−Ｎ−モノアリールカルバモイル、Ｎ−モノアルキル−Ｎ−モノアリール−カルバモイル、スルファモイル、Ｎ−モノシクロアルキル−スルファモイル、Ｎ−モノアルキル−スルファモイル、Ｎ，Ｎ−ジシクロアルキル−スルファモイル、Ｎ，Ｎ−ジアルキル−スルファモイル、Ｎ−モノアリール−スルファモイル、Ｎ，Ｎ−ジアリール−スルファモイル、Ｎ−モノシクロアルキル−Ｎ−モノアリールスルファモイル、Ｎ−モノアルキル−Ｎ−モノアリールスルファモイル、アリールスルホニルオキシ、アルキルスルホニルオキシ、アリールオキシスルホニル、アルコキシルスルホニル、及びＣＯＯＲ１２からなる群より選択される１種又は複数の置換基によって置換されたアルキルであるか、
又は
ヒドロキシ、アリール、シクロアルキル、アルコキシ、チオアルコキシ、アミノ、Ｎ−モノアルキル−アミノ、Ｎ，Ｎ−ジアルキル−アミノ、Ｎ−モノアリール−アミノ、Ｎ，Ｎ−ジアリール−アミノ、Ｎ−アルキル−Ｎ−アリール−アミノ、Ｎ−モノシクロアルキル−アミノ、Ｎ，Ｎ−ジシクロアルキル−アミノ、Ｎ−モノアルキル−モノシクロアルキル−アミノ、Ｎ，Ｎ−モノアリール−モノシクロアルキル−アミノ、Ｎ−アシルアミノ、Ｎ−アルキルスルホニル−アミノ、チオシアノ、ハロゲン、シアノ、ニトロ、アシル、チオアシル、アルキルスルホニル、アリーロイル、トリフルオロメチル、ヘテロアリール、ヘテロシクロアルキル、アルコキシカルボニル、アルコキシチオカルボニル、アシルオキシ、アリーロイルオキシ、カルバモイル、Ｎ−モノシクロアルキル−カルバモイル、Ｎ−モノアルキル−カルバモイル、Ｎ，Ｎ−ジシクロアルキル−カルバモイル、Ｎ，Ｎ−ジアルキル−カルバモイル、Ｎ−モノアリール−カルバモイル、Ｎ，Ｎ−ジアリール−カルバモイル、Ｎ−モノシクロアルキル−Ｎ−モノアリールカルバモイル、Ｎ−モノアルキル−Ｎ−モノアリール−カルバモイル、スルファモイル、Ｎ−モノシクロアルキル−スルファモイル、Ｎ−モノアルキル−スルファモイル、Ｎ，Ｎ−ジシクロアルキル−スルファモイル、Ｎ，Ｎ−ジアルキル−スルファモイル、Ｎ−モノアリール−スルファモイル、Ｎ，Ｎ−ジアリール−スルファモイル、Ｎ−モノシクロアルキル−Ｎ−モノアリールスルファモイル、Ｎ−モノアルキル−Ｎ−モノアリールスルファモイル、アリールスルホニルオキシ、アルキルスルホニルオキシ、アリールオキシスルホニル、アルコキシルスルホニル、及びＣＯＯＲ１２からなる群より選択される１種又は複数の置換基によって置換されたアリールである］
又は
Ｄは、式（ＸＩ）の基を表すか、
【化８】
0006452170.tif 000086
［式中、
Ｔ１５及びＴ１６は、互いに独立して、水素、ハロゲン、アルキル、ニトロ、シアノ、アシル、アルコキシカルボニル、アリールであるか、
又は
酸素及び硫黄からなる群より選択される１個又は複数のヘテロ原子によって中断されたアルキルであるか、
又は
ヒドロキシ、アリール、シクロアルキル、アルコキシ、チオアルコキシ、アミノ、Ｎ−モノアルキル−アミノ、Ｎ，Ｎ−ジアルキル−アミノ、Ｎ−モノアリール−アミノ、Ｎ，Ｎ−ジアリール−アミノ、Ｎ−アルキル−Ｎ−アリール−アミノ、Ｎ−モノシクロアルキル−アミノ、Ｎ，Ｎ−ジシクロアルキル−アミノ、Ｎ−モノアルキル−モノシクロアルキル−アミノ、Ｎ，Ｎ−モノアリール−モノシクロアルキル−アミノ、Ｎ−アシルアミノ、Ｎ−アルキルスルホニル−アミノ、ハロゲン、シアノ、チオシアノ、ニトロ、アシル、チオアシル、アルキルスルホニル、アリーロイル、トリフルオロメチル、ヘテロアリール、ヘテロシクロアルキル、アルコキシカルボニル、アルコキシチオカルボニル、アシルオキシ、アリーロイルオキシ、カルバモイル、Ｎ−モノシクロアルキル−カルバモイル、Ｎ−モノアルキル−カルバモイル、Ｎ，Ｎ−ジシクロアルキル−カルバモイル、Ｎ，Ｎ−ジアルキル−カルバモイル、Ｎ−モノアリール−カルバモイル、Ｎ，Ｎ−ジアリール−カルバモイル、Ｎ−モノシクロアルキル−Ｎ−モノアリールカルバモイル、Ｎ−モノアルキル−Ｎ−モノアリール−カルバモイル、スルファモイル、Ｎ−モノシクロアルキル−スルファモイル、Ｎ−モノアルキル−スルファモイル、Ｎ，Ｎ−ジシクロアルキル−スルファモイル、Ｎ，Ｎ−ジアルキル−スルファモイル、Ｎ−モノアリール−スルファモイル、Ｎ，Ｎ−ジアリール−スルファモイル、Ｎ−モノシクロアルキル−Ｎ−モノアリールスルファモイル、Ｎ−モノアルキル−Ｎ−モノアリールスルファモイル、アリールスルホニルオキシ、アルキルスルホニルオキシ、アリールオキシスルホニル、アルコキシルスルホニル、及びＣＯＯＲ１２からなる群より選択される１種又は複数の置換基によって置換されたアルキルであるか、
又は
酸素及び硫黄からなる群より選択される１個又は複数のヘテロ原子によって中断され、そしてヒドロキシ、アリール、シクロアルキル、アルコキシ、チオアルコキシ、アミノ、Ｎ−モノアルキル−アミノ、Ｎ，Ｎ−ジアルキル−アミノ、Ｎ−モノアリール−アミノ、Ｎ，Ｎ−ジアリール−アミノ、Ｎ−アルキル−Ｎ−アリール−アミノ、Ｎ−モノシクロアルキル−アミノ、Ｎ，Ｎ−ジシクロアルキル−アミノ、Ｎ−モノアルキル−モノシクロアルキル−アミノ、Ｎ，Ｎ−モノアリール−モノシクロアルキル−アミノ、Ｎ−アシルアミノ、Ｎ−アルキルスルホニル−アミノ、ハロゲン、シアノ、チオシアノ、ニトロ、アシル、チオアシル、アルキルスルホニル、アリーロイル、トリフルオロメチル、ヘテロアリール、ヘテロシクロアルキル、アルコキシカルボニル、アルコキシチオカルボニル、アシルオキシ、アリーロイルオキシ、カルバモイル、Ｎ−モノシクロアルキル−カルバモイル、Ｎ−モノアルキル−カルバモイル、Ｎ，Ｎ−ジシクロアルキル−カルバモイル、Ｎ，Ｎ−ジアルキル−カルバモイル、Ｎ−モノアリール−カルバモイル、Ｎ，Ｎ−ジアリール−カルバモイル、Ｎ−モノシクロアルキル−Ｎ−モノアリールカルバモイル、Ｎ−モノアルキル−Ｎ−モノアリール−カルバモイル、スルファモイル、Ｎ−モノシクロアルキル−スルファモイル、Ｎ−モノアルキル−スルファモイル、Ｎ，Ｎ−ジシクロアルキル−スルファモイル、Ｎ，Ｎ−ジアルキル−スルファモイル、Ｎ−モノアリール−スルファモイル、Ｎ，Ｎ−ジアリール−スルファモイル、Ｎ−モノシクロアルキル−Ｎ−モノアリールスルファモイル、Ｎ−モノアルキル−Ｎ−モノアリールスルファモイル、アリールスルホニルオキシ、アルキルスルホニルオキシ、アリールオキシスルホニル、アルコキシルスルホニル、及びＣＯＯＲ１２からなる群より選択される１種又は複数の置換基によって置換されたアルキルであるか、
又は
ヒドロキシ、アリール、シクロアルキル、アルコキシ、チオアルコキシ、アミノ、Ｎ−モノアルキル−アミノ、Ｎ，Ｎ−ジアルキル−アミノ、Ｎ−モノアリール−アミノ、Ｎ，Ｎ−ジアリール−アミノ、Ｎ−アルキル−Ｎ−アリール−アミノ、Ｎ−モノシクロアルキル−アミノ、Ｎ，Ｎ−ジシクロアルキル−アミノ、Ｎ−モノアルキル−モノシクロアルキル−アミノ、Ｎ，Ｎ−モノアリール−モノシクロアルキル−アミノ、Ｎ−アシルアミノ、Ｎ−アルキルスルホニル−アミノ、チオシアノ、ハロゲン、シアノ、ニトロ、アシル、チオアシル、アルキルスルホニル、アリーロイル、トリフルオロメチル、ヘテロアリール、ヘテロシクロアルキル、アルコキシカルボニル、アルコキシチオカルボニル、アシルオキシ、アリーロイルオキシ、カルバモイル、Ｎ−モノシクロアルキル−カルバモイル、Ｎ−モノアルキル−カルバモイル、Ｎ，Ｎ−ジシクロアルキル−カルバモイル、Ｎ，Ｎ−ジアルキル−カルバモイル、Ｎ−モノアリール−カルバモイル、Ｎ，Ｎ−ジアリール−カルバモイル、Ｎ−モノシクロアルキル−Ｎ−モノアリールカルバモイル、Ｎ−モノアルキル−Ｎ−モノアリール−カルバモイル、スルファモイル、Ｎ−モノシクロアルキル−スルファモイル、Ｎ−モノアルキル−スルファモイル、Ｎ，Ｎ−ジシクロアルキル−スルファモイル、Ｎ，Ｎ−ジアルキル−スルファモイル、Ｎ−モノアリール−スルファモイル、Ｎ，Ｎ−ジアリール−スルファモイル、Ｎ−モノシクロアルキル−Ｎ−モノアリールスルファモイル、Ｎ−モノアルキル−Ｎ−モノアリールスルファモイル、アリールスルホニルオキシ、アルキルスルホニルオキシ、アリールオキシスルホニル、アルコキシルスルホニル、及びＣＯＯＲ１２からなる群より選択される１種又は複数の置換基によって置換されたアリールであるが、
ここで、Ｔ１５及びＴ１６の少なくとも一つは、水素ではない］
又は
Ｄは、式（ＸＩＩ）の基を表すか、
【化９】
0006452170.tif 000087
［式中、
Ｔ１７は、アリール、チオアルコキシルであるか、
又は
ヒドロキシ、アリール、シクロアルキル、アルコキシ、チオアルコキシ、アミノ、Ｎ−モノアルキル−アミノ、Ｎ，Ｎ−ジアルキル−アミノ、Ｎ−モノアリール−アミノ、Ｎ，Ｎ−ジアリール−アミノ、Ｎ−アルキル−Ｎ−アリール−アミノ、Ｎ−モノシクロアルキル−アミノ、Ｎ，Ｎ−ジシクロアルキル−アミノ、Ｎ−モノアルキル−モノシクロアルキル−アミノ、Ｎ，Ｎ−モノアリール−モノシクロアルキル−アミノ、Ｎ−アシルアミノ、Ｎ−アルキルスルホニル−アミノ、チオシアノ、ハロゲン、シアノ、ニトロ、アシル、チオアシル、アルキルスルホニル、アリーロイル、トリフルオロメチル、ヘテロアリール、ヘテロシクロアルキル、アルコキシカルボニル、アルコキシチオカルボニル、アシルオキシ、アリーロイルオキシ、カルバモイル、Ｎ−モノシクロアルキル−カルバモイル、Ｎ−モノアルキル−カルバモイル、Ｎ，Ｎ−ジシクロアルキル−カルバモイル、Ｎ，Ｎ−ジアルキル−カルバモイル、Ｎ−モノアリール−カルバモイル、Ｎ，Ｎ−ジアリール−カルバモイル、Ｎ−モノシクロアルキル−Ｎ−モノアリールカルバモイル、Ｎ−モノアルキル−Ｎ−モノアリール−カルバモイル、スルファモイル、Ｎ−モノシクロアルキル−スルファモイル、Ｎ−モノアルキル−スルファモイル、Ｎ，Ｎ−ジシクロアルキル−スルファモイル、Ｎ，Ｎ−ジアルキル−スルファモイル、Ｎ−モノアリール−スルファモイル、Ｎ，Ｎ−ジアリール−スルファモイル、Ｎ−モノシクロアルキル−Ｎ−モノアリールスルファモイル、Ｎ−モノアルキル−Ｎ−モノアリールスルファモイル、アリールスルホニルオキシ、アルキルスルホニルオキシ、アリールオキシスルホニル、アルコキシルスルホニル、及びＣＯＯＲ１２からなる群より選択される１種又は複数の置換基によって置換されたアリールであり、
Ｑは、酸素又は硫黄である］
又は
Ｄは、式（ＸＩＩＩ）の基を表すか、
【化１０】
0006452170.tif 000088
［式中、
Ｔ１８は、アルキル、アルケニル、アリールであるか、
又は
酸素及び硫黄からなる群より選択される１個又は複数のヘテロ原子によって中断されたアルキルであるか、
又は
ヒドロキシ、アリール、シクロアルキル、アルコキシ、チオアルコキシ、アミノ、Ｎ−モノアルキル−アミノ、Ｎ，Ｎ−ジアルキル−アミノ、Ｎ−モノアリール−アミノ、Ｎ，Ｎ−ジアリール−アミノ、Ｎ−アルキル−Ｎ−アリール−アミノ、Ｎ−モノシクロアルキル−アミノ、Ｎ，Ｎ−ジシクロアルキル−アミノ、Ｎ−モノアルキル−モノシクロアルキル−アミノ、Ｎ，Ｎ−モノアリール−モノシクロアルキル−アミノ、Ｎ−アシルアミノ、Ｎ−アルキルスルホニル−アミノ、ハロゲン、シアノ、チオシアノ、ニトロ、アシル、チオアシル、アルキルスルホニル、アリーロイル、トリフルオロメチル、ヘテロアリール、ヘテロシクロアルキル、アルコキシカルボニル、アルコキシチオカルボニル、アシルオキシ、アリーロイルオキシ、カルバモイル、Ｎ−モノシクロアルキル−カルバモイル、Ｎ−モノアルキル−カルバモイル、Ｎ，Ｎ−ジシクロアルキル−カルバモイル、Ｎ，Ｎ−ジアルキル−カルバモイル、Ｎ−モノアリール−カルバモイル、Ｎ，Ｎ−ジアリール−カルバモイル、Ｎ−モノシクロアルキル−Ｎ−モノアリールカルバモイル、Ｎ−モノアルキル−Ｎ−モノアリール−カルバモイル、スルファモイル、Ｎ−モノシクロアルキル−スルファモイル、Ｎ−モノアルキル−スルファモイル、Ｎ，Ｎ−ジシクロアルキル−スルファモイル、Ｎ，Ｎ−ジアルキル−スルファモイル、Ｎ−モノアリール−スルファモイル、Ｎ，Ｎ−ジアリール−スルファモイル、Ｎ−モノシクロアルキル−Ｎ−モノアリールスルファモイル、Ｎ−モノアルキル−Ｎ−モノアリールスルファモイル、アリールスルホニルオキシ、アルキルスルホニルオキシ、アリールオキシスルホニル、アルコキシルスルホニル、及びＣＯＯＲ１２からなる群より選択される１種又は複数の置換基によって置換されたアルキルであるか、
又は
酸素及び硫黄からなる群より選択される１個又は複数のヘテロ原子によって中断され、そしてヒドロキシ、アリール、シクロアルキル、アルコキシ、チオアルコキシ、アミノ、Ｎ−モノアルキル−アミノ、Ｎ，Ｎ−ジアルキル−アミノ、Ｎ−モノアリール−アミノ、Ｎ，Ｎ−ジアリール−アミノ、Ｎ−アルキル−Ｎ−アリール−アミノ、Ｎ−モノシクロアルキル−アミノ、Ｎ，Ｎ−ジシクロアルキル−アミノ、Ｎ−モノアルキル−モノシクロアルキル−アミノ、Ｎ，Ｎ−モノアリール−モノシクロアルキル−アミノ、Ｎ−アシルアミノ、Ｎ−アルキルスルホニル−アミノ、ハロゲン、シアノ、チオシアノ、ニトロ、アシル、チオアシル、アルキルスルホニル、アリーロイル、トリフルオロメチル、ヘテロアリール、ヘテロシクロアルキル、アルコキシカルボニル、アルコキシチオカルボニル、アシルオキシ、アリーロイルオキシ、カルバモイル、Ｎ−モノシクロアルキル−カルバモイル、Ｎ−モノアルキル−カルバモイル、Ｎ，Ｎ−ジシクロアルキル−カルバモイル、Ｎ，Ｎ−ジアルキル−カルバモイル、Ｎ−モノアリール−カルバモイル、Ｎ，Ｎ−ジアリール−カルバモイル、Ｎ−モノシクロアルキル−Ｎ−モノアリールカルバモイル、Ｎ−モノアルキル−Ｎ−モノアリール−カルバモイル、スルファモイル、Ｎ−モノシクロアルキル−スルファモイル、Ｎ−モノアルキル−スルファモイル、Ｎ，Ｎ−ジシクロアルキル−スルファモイル、Ｎ，Ｎ−ジアルキル−スルファモイル、Ｎ−モノアリール−スルファモイル、Ｎ，Ｎ−ジアリール−スルファモイル、Ｎ−モノシクロアルキル−Ｎ−モノアリールスルファモイル、Ｎ−モノアルキル−Ｎ−モノアリールスルファモイル、アリールスルホニルオキシ、アルキルスルホニルオキシ、アリールオキシスルホニル、アルコキシルスルホニル、及びＣＯＯＲ１２からなる群より選択される１種又は複数の置換基によって置換されたアルキルであるか、
又は
ヒドロキシ、アリール、シクロアルキル、アルコキシ、チオアルコキシ、アミノ、Ｎ−モノアルキル−アミノ、Ｎ，Ｎ−ジアルキル−アミノ、Ｎ−モノアリール−アミノ、Ｎ，Ｎ−ジアリール−アミノ、Ｎ−アルキル−Ｎ−アリール−アミノ、Ｎ−モノシクロアルキル−アミノ、Ｎ，Ｎ−ジシクロアルキル−アミノ、Ｎ−モノアルキル−モノシクロアルキル−アミノ、Ｎ，Ｎ−モノアリール−モノシクロアルキル−アミノ、Ｎ−アシルアミノ、Ｎ−アルキルスルホニル−アミノ、チオシアノ、ハロゲン、シアノ、ニトロ、アシル、チオアシル、アルキルスルホニル、アリーロイル、トリフルオロメチル、ヘテロアリール、ヘテロシクロアルキル、アルコキシカルボニル、アルコキシチオカルボニル、アシルオキシ、アリーロイルオキシ、カルバモイル、Ｎ−モノシクロアルキル−カルバモイル、Ｎ−モノアルキル−カルバモイル、Ｎ，Ｎ−ジシクロアルキル−カルバモイル、Ｎ，Ｎ−ジアルキル−カルバモイル、Ｎ−モノアリール−カルバモイル、Ｎ，Ｎ−ジアリール−カルバモイル、Ｎ−モノシクロアルキル−Ｎ−モノアリールカルバモイル、Ｎ−モノアルキル−Ｎ−モノアリール−カルバモイル、スルファモイル、Ｎ−モノシクロアルキル−スルファモイル、Ｎ−モノアルキル−スルファモイル、Ｎ，Ｎ−ジシクロアルキル−スルファモイル、Ｎ，Ｎ−ジアルキル−スルファモイル、Ｎ−モノアリール−スルファモイル、Ｎ，Ｎ−ジアリール−スルファモイル、Ｎ−モノシクロアルキル−Ｎ−モノアリールスルファモイル、Ｎ−モノアルキル−Ｎ−モノアリールスルファモイル、アリールスルホニルオキシ、アルキルスルホニルオキシ、アリールオキシスルホニル、アルコキシルスルホニル、及びＣＯＯＲ１２からなる群より選択される１種又は複数の置換基によって置換されたアリールであり、
Ｔ１９及びＴ２０は、互いに独立して、水素、ハロゲン、シアノ、ニトロ、又はトリフルオロメチルであり、
Ｚは、カルボニル又はスルホニル残基である］
又は
Ｄは、式（ＸＩＶ）の基を表すか、
【化１１】
0006452170.tif 000089
［式中、
Ｔ２１は、シアノ、ニトロ、又はアルコキシカルボニルであり、
Ｔ２２は、アルキル、水素、ハロゲン、アリールであるか、
又は
酸素及び硫黄からなる群より選択される１個又は複数のヘテロ原子によって中断されたアルキルであるか、
又は
ヒドロキシ、アリール、シクロアルキル、アルコキシ、チオアルコキシ、アミノ、Ｎ−モノアルキル−アミノ、Ｎ，Ｎ−ジアルキル−アミノ、Ｎ−モノアリール−アミノ、Ｎ，Ｎ−ジアリール−アミノ、Ｎ−アルキル−Ｎ−アリール−アミノ、Ｎ−モノシクロアルキル−アミノ、Ｎ，Ｎ−ジシクロアルキル−アミノ、Ｎ−モノアルキル−モノシクロアルキル−アミノ、Ｎ，Ｎ−モノアリール−モノシクロアルキル−アミノ、Ｎ−アシルアミノ、Ｎ−アルキルスルホニル−アミノ、ハロゲン、シアノ、チオシアノ、ニトロ、アシル、チオアシル、アルキルスルホニル、アリーロイル、トリフルオロメチル、ヘテロアリール、ヘテロシクロアルキル、アルコキシカルボニル、アルコキシチオカルボニル、アシルオキシ、アリーロイルオキシ、カルバモイル、Ｎ−モノシクロアルキル−カルバモイル、Ｎ−モノアルキル−カルバモイル、Ｎ，Ｎ−ジシクロアルキル−カルバモイル、Ｎ，Ｎ−ジアルキル−カルバモイル、Ｎ−モノアリール−カルバモイル、Ｎ，Ｎ−ジアリール−カルバモイル、Ｎ−モノシクロアルキル−Ｎ−モノアリールカルバモイル、Ｎ−モノアルキル−Ｎ−モノアリール−カルバモイル、スルファモイル、Ｎ−モノシクロアルキル−スルファモイル、Ｎ−モノアルキル−スルファモイル、Ｎ，Ｎ−ジシクロアルキル−スルファモイル、Ｎ，Ｎ−ジアルキル−スルファモイル、Ｎ−モノアリール−スルファモイル、Ｎ，Ｎ−ジアリール−スルファモイル、Ｎ−モノシクロアルキル−Ｎ−モノアリールスルファモイル、Ｎ−モノアルキル−Ｎ−モノアリールスルファモイル、アリールスルホニルオキシ、アルキルスルホニルオキシ、アリールオキシスルホニル、アルコキシルスルホニル、及びＣＯＯＲ１２からなる群より選択される１種又は複数の置換基によって置換されたアルキルであるか、
又は
酸素又は硫黄からなる群より選択される１個又は複数のヘテロ原子によって中断され、そしてヒドロキシ、アリール、シクロアルキル、アルコキシ、チオアルコキシ、アミノ、Ｎ−モノアルキル−アミノ、Ｎ，Ｎ−ジアルキル−アミノ、Ｎ−モノアリール−アミノ、Ｎ，Ｎ−ジアリール−アミノ、Ｎ−アルキル−Ｎ−アリール−アミノ、Ｎ−モノシクロアルキル−アミノ、Ｎ，Ｎ−ジシクロアルキル−アミノ、Ｎ−モノアルキル−モノシクロアルキル−アミノ、Ｎ，Ｎ−モノアリール−モノシクロアルキル−アミノ、Ｎ−アシルアミノ、Ｎ−アルキルスルホニル−アミノ、ハロゲン、シアノ、チオシアノ、ニトロ、アシル、チオアシル、アルキルスルホニル、アリーロイル、トリフルオロメチル、ヘテロアリール、ヘテロシクロアルキル、アルコキシカルボニル、アルコキシチオカルボニル、アシルオキシ、アリーロイルオキシ、カルバモイル、Ｎ−モノシクロアルキル−カルバモイル、Ｎ−モノアルキル−カルバモイル、Ｎ，Ｎ−ジシクロアルキル−カルバモイル、Ｎ，Ｎ−ジアルキル−カルバモイル、Ｎ−モノアリール−カルバモイル、Ｎ，Ｎ−ジアリール−カルバモイル、Ｎ−モノシクロアルキル−Ｎ−モノアリールカルバモイル、Ｎ−モノアルキル−Ｎ−モノアリール−カルバモイル、スルファモイル、Ｎ−モノシクロアルキル−スルファモイル、Ｎ−モノアルキル−スルファモイル、Ｎ，Ｎ−ジシクロアルキル−スルファモイル、Ｎ，Ｎ−ジアルキル−スルファモイル、Ｎ−モノアリール−スルファモイル、Ｎ，Ｎ−ジアリール−スルファモイル、Ｎ−モノシクロアルキル−Ｎ−モノアリールスルファモイル、Ｎ−モノアルキル−Ｎ−モノアリールスルファモイル、アリールスルホニルオキシ、アルキルスルホニルオキシ、アリールオキシスルホニル、アルコキシルスルホニル、及びＣＯＯＲ１２からなる群より選択される１種又は複数の置換基によって置換されたアルキルであるか、
又は
ヒドロキシ、アリール、シクロアルキル、アルコキシ、チオアルコキシ、アミノ、Ｎ−モノアルキル−アミノ、Ｎ，Ｎ−ジアルキル−アミノ、Ｎ−モノアリール−アミノ、Ｎ，Ｎ−ジアリール−アミノ、Ｎ−アルキル−Ｎ−アリール−アミノ、Ｎ−モノシクロアルキル−アミノ、Ｎ，Ｎ−ジシクロアルキル−アミノ、Ｎ−モノアルキル−モノシクロアルキル−アミノ、Ｎ，Ｎ−モノアリール−モノシクロアルキル−アミノ、Ｎ−アシルアミノ、Ｎ−アルキルスルホニル−アミノ、チオシアノ、ハロゲン、シアノ、ニトロ、アシル、チオアシル、アルキルスルホニル、アリーロイル、トリフルオロメチル、ヘテロアリール、ヘテロシクロアルキル、アルコキシカルボニル、アルコキシチオカルボニル、アシルオキシ、アリーロイルオキシ、カルバモイル、Ｎ−モノシクロアルキル−カルバモイル、Ｎ−モノアルキル−カルバモイル、Ｎ，Ｎ−ジシクロアルキル−カルバモイル、Ｎ，Ｎ−ジアルキル−カルバモイル、Ｎ−モノアリール−カルバモイル、Ｎ，Ｎ−ジアリール−カルバモイル、Ｎ−モノシクロアルキル−Ｎ−モノアリールカルバモイル、Ｎ−モノアルキル−Ｎ−モノアリール−カルバモイル、スルファモイル、Ｎ−モノシクロアルキル−スルファモイル、Ｎ−モノアルキル−スルファモイル、Ｎ，Ｎ−ジシクロアルキル−スルファモイル、Ｎ，Ｎ−ジアルキル−スルファモイル、Ｎ−モノアリール−スルファモイル、Ｎ，Ｎ−ジアリール−スルファモイル、Ｎ−モノシクロアルキル−Ｎ−モノアリールスルファモイル、Ｎ−モノアルキル−Ｎ−モノアリールスルファモイル、アリールスルホニルオキシ、アルキルスルホニルオキシ、アリールオキシスルホニル、アルコキシルスルホニル、及びＣＯＯＲ１２からなる群より選択される１種又は複数の置換基によって置換されたアリールである］
又は
Ｄは、式（ＸＶ）の基を表すか、
【化１２】
0006452170.tif 000090
［式中、
Ｔ２３及びＴ２４は、互いに独立して、シアノ、ニトロ、ハロゲン、アリール、又はトリフルオロメチルであり、
Ｔ２５は、水素、アルキル、アルケニル、アリールであるか、
又は
酸素及び硫黄からなる群より選択される１個又は複数のヘテロ原子によって中断されたアルキルであるか、
又は
ヒドロキシ、アリール、シクロアルキル、アルコキシ、チオアルコキシ、アミノ、Ｎ−モノアルキル−アミノ、Ｎ，Ｎ−ジアルキル−アミノ、Ｎ−モノアリール−アミノ、Ｎ，Ｎ−ジアリール−アミノ、Ｎ−アルキル−Ｎ−アリール−アミノ、Ｎ−モノシクロアルキル−アミノ、Ｎ，Ｎ−ジシクロアルキル−アミノ、Ｎ−モノアルキル−モノシクロアルキル−アミノ、Ｎ，Ｎ−モノアリール−モノシクロアルキル−アミノ、Ｎ−アシルアミノ、Ｎ−アルキルスルホニル−アミノ、ハロゲン、シアノ、チオシアノ、ニトロ、アシル、チオアシル、アルキルスルホニル、アリーロイル、トリフルオロメチル、ヘテロアリール、ヘテロシクロアルキル、アルコキシカルボニル、アルコキシチオカルボニル、アシルオキシ、アリーロイルオキシ、カルバモイル、Ｎ−モノシクロアルキル−カルバモイル、Ｎ−モノアルキル−カルバモイル、Ｎ，Ｎ−ジシクロアルキル−カルバモイル、Ｎ，Ｎ−ジアルキル−カルバモイル、Ｎ−モノアリール−カルバモイル、Ｎ，Ｎ−ジアリール−カルバモイル、Ｎ−モノシクロアルキル−Ｎ−モノアリールカルバモイル、Ｎ−モノアルキル−Ｎ−モノアリール−カルバモイル、スルファモイル、Ｎ−モノシクロアルキル−スルファモイル、Ｎ−モノアルキル−スルファモイル、Ｎ，Ｎ−ジシクロアルキル−スルファモイル、Ｎ，Ｎ−ジアルキル−スルファモイル、Ｎ−モノアリール−スルファモイル、Ｎ，Ｎ−ジアリール−スルファモイル、Ｎ−モノシクロアルキル−Ｎ−モノアリールスルファモイル、Ｎ−モノアルキル−Ｎ−モノアリールスルファモイル、アリールスルホニルオキシ、アルキルスルホニルオキシ、アリールオキシスルホニル、アルコキシルスルホニル、及びＣＯＯＲ１２からなる群より選択される１種又は複数の置換基によって置換されたアルキルであるか、
又は
酸素及び硫黄からなる群より選択される１個又は複数のヘテロ原子によって中断され、そしてヒドロキシ、アリール、シクロアルキル、アルコキシ、チオアルコキシ、アミノ、Ｎ−モノアルキル−アミノ、Ｎ，Ｎ−ジアルキル−アミノ、Ｎ−モノアリール−アミノ、Ｎ，Ｎ−ジアリール−アミノ、Ｎ−アルキル−Ｎ−アリール−アミノ、Ｎ−モノシクロアルキル−アミノ、Ｎ，Ｎ−ジシクロアルキル−アミノ、Ｎ−モノアルキル−モノシクロアルキル−アミノ、Ｎ，Ｎ−モノアリール−モノシクロアルキル−アミノ、Ｎ−アシルアミノ、Ｎ−アルキルスルホニル−アミノ、ハロゲン、シアノ、チオシアノ、ニトロ、アシル、チオアシル、アルキルスルホニル、アリーロイル、トリフルオロメチル、ヘテロアリール、ヘテロシクロアルキル、アルコキシカルボニル、アルコキシチオカルボニル、アシルオキシ、アリーロイルオキシ、カルバモイル、Ｎ−モノシクロアルキル−カルバモイル、Ｎ−モノアルキル−カルバモイル、Ｎ，Ｎ−ジシクロアルキル−カルバモイル、Ｎ，Ｎ−ジアルキル−カルバモイル、Ｎ−モノアリール−カルバモイル、Ｎ，Ｎ−ジアリール−カルバモイル、Ｎ−モノシクロアルキル−Ｎ−モノアリールカルバモイル、Ｎ−モノアルキル−Ｎ−モノアリール−カルバモイル、スルファモイル、Ｎ−モノシクロアルキル−スルファモイル、Ｎ−モノアルキル−スルファモイル、Ｎ，Ｎ−ジシクロアルキル−スルファモイル、Ｎ，Ｎ−ジアルキル−スルファモイル、Ｎ−モノアリール−スルファモイル、Ｎ，Ｎ−ジアリール−スルファモイル、Ｎ−モノシクロアルキル−Ｎ−モノアリールスルファモイル、Ｎ−モノアルキル−Ｎ−モノアリールスルファモイル、アリールスルホニルオキシ、アルキルスルホニルオキシ、アリールオキシスルホニル、アルコキシルスルホニル、及びＣＯＯＲ１２からなる群より選択される１種又は複数の置換基によって置換されたアルキルであるか、
又は
ヒドロキシ、アリール、シクロアルキル、アルコキシ、チオアルコキシ、アミノ、Ｎ−モノアルキル−アミノ、Ｎ，Ｎ−ジアルキル−アミノ、Ｎ−モノアリール−アミノ、Ｎ，Ｎ−ジアリール−アミノ、Ｎ−アルキル−Ｎ−アリール−アミノ、Ｎ−モノシクロアルキル−アミノ、Ｎ，Ｎ−ジシクロアルキル−アミノ、Ｎ−モノアルキル−モノシクロアルキル−アミノ、Ｎ，Ｎ−モノアリール−モノシクロアルキル−アミノ、Ｎ−アシルアミノ、Ｎ−アルキルスルホニル−アミノ、チオシアノ、ハロゲン、シアノ、ニトロ、アシル、チオアシル、アルキルスルホニル、アリーロイル、トリフルオロメチル、ヘテロアリール、ヘテロシクロアルキル、アルコキシカルボニル、アルコキシチオカルボニル、アシルオキシ、アリーロイルオキシ、カルバモイル、Ｎ−モノシクロアルキル−カルバモイル、Ｎ−モノアルキル−カルバモイル、Ｎ，Ｎ−ジシクロアルキル−カルバモイル、Ｎ，Ｎ−ジアルキル−カルバモイル、Ｎ−モノアリール−カルバモイル、Ｎ，Ｎ−ジアリール−カルバモイル、Ｎ−モノシクロアルキル−Ｎ−モノアリールカルバモイル、Ｎ−モノアルキル−Ｎ−モノアリール−カルバモイル、スルファモイル、Ｎ−モノシクロアルキル−スルファモイル、Ｎ−モノアルキル−スルファモイル、Ｎ，Ｎ−ジシクロアルキル−スルファモイル、Ｎ，Ｎ−ジアルキル−スルファモイル、Ｎ−モノアリール−スルファモイル、Ｎ，Ｎ−ジアリール−スルファモイル、Ｎ−モノシクロアルキル−Ｎ−モノアリールスルファモイル、Ｎ−モノアルキル−Ｎ−モノアリールスルファモイル、アリールスルホニルオキシ、アルキルスルホニルオキシ、アリールオキシスルホニル、アルコキシルスルホニル、及びＣＯＯＲ１２からなる群より選択される１種又は複数の置換基によって置換されたアリールである］
又は
Ｄは、式（ＸＶＩ）の基を表すか、
【化１３】
0006452170.tif 000091
［式中、
Ｔ２６は、シアノ、ニトロ、アリール、又はトリフルオロメチルであり、
Ｔ２７は、水素、アリール、アルキルであるか、
又は
酸素及び硫黄からなる群より選択される１個又は複数のヘテロ原子によって中断されたアルキルであるか、
又は
ヒドロキシ、アリール、シクロアルキル、アルコキシ、チオアルコキシ、アミノ、Ｎ−モノアルキル−アミノ、Ｎ，Ｎ−ジアルキル−アミノ、Ｎ−モノアリール−アミノ、Ｎ，Ｎ−ジアリール−アミノ、Ｎ−アルキル−Ｎ−アリール−アミノ、Ｎ−モノシクロアルキル−アミノ、Ｎ，Ｎ−ジシクロアルキル−アミノ、Ｎ−モノアルキル−モノシクロアルキル−アミノ、Ｎ，Ｎ−モノアリール−モノシクロアルキル−アミノ、Ｎ−アシルアミノ、Ｎ−アルキルスルホニル−アミノ、ハロゲン、シアノ、チオシアノ、ニトロ、アシル、チオアシル、アルキルスルホニル、アリーロイル、トリフルオロメチル、ヘテロアリール、ヘテロシクロアルキル、アルコキシカルボニル、アルコキシチオカルボニル、アシルオキシ、アリーロイルオキシ、カルバモイル、Ｎ−モノシクロアルキル−カルバモイル、Ｎ−モノアルキル−カルバモイル、Ｎ，Ｎ−ジシクロアルキル−カルバモイル、Ｎ，Ｎ−ジアルキル−カルバモイル、Ｎ−モノアリール−カルバモイル、Ｎ，Ｎ−ジアリール−カルバモイル、Ｎ−モノシクロアルキル−Ｎ−モノアリールカルバモイル、Ｎ−モノアルキル−Ｎ−モノアリール−カルバモイル、スルファモイル、Ｎ−モノシクロアルキル−スルファモイル、Ｎ−モノアルキル−スルファモイル、Ｎ，Ｎ−ジシクロアルキル−スルファモイル、Ｎ，Ｎ−ジアルキル−スルファモイル、Ｎ−モノアリール−スルファモイル、Ｎ，Ｎ−ジアリール−スルファモイル、Ｎ−モノシクロアルキル−Ｎ−モノアリールスルファモイル、Ｎ−モノアルキル−Ｎ−モノアリールスルファモイル、アリールスルホニルオキシ、アルキルスルホニルオキシ、アリールオキシスルホニル、アルコキシルスルホニル、及びＣＯＯＲ１２からなる群より選択される１種又は複数の置換基によって置換されたアルキルであるか、
又は
酸素及び硫黄からなる群より選択される１個又は複数のヘテロ原子によって中断され、そしてヒドロキシ、アリール、シクロアルキル、アルコキシ、チオアルコキシ、アミノ、Ｎ−モノアルキル−アミノ、Ｎ，Ｎ−ジアルキル−アミノ、Ｎ−モノアリール−アミノ、Ｎ，Ｎ−ジアリール−アミノ、Ｎ−アルキル−Ｎ−アリール−アミノ、Ｎ−モノシクロアルキル−アミノ、Ｎ，Ｎ−ジシクロアルキル−アミノ、Ｎ−モノアルキル−モノシクロアルキル−アミノ、Ｎ，Ｎ−モノアリール−モノシクロアルキル−アミノ、Ｎ−アシルアミノ、Ｎ−アルキルスルホニル−アミノ、ハロゲン、シアノ、チオシアノ、ニトロ、アシル、チオアシル、アルキルスルホニル、アリーロイル、トリフルオロメチル、ヘテロアリール、ヘテロシクロアルキル、アルコキシカルボニル、アルコキシチオカルボニル、アシルオキシ、アリーロイルオキシ、カルバモイル、Ｎ−モノシクロアルキル−カルバモイル、Ｎ−モノアルキル−カルバモイル、Ｎ，Ｎ−ジシクロアルキル−カルバモイル、Ｎ，Ｎ−ジアルキル−カルバモイル、Ｎ−モノアリール−カルバモイル、Ｎ，Ｎ−ジアリール−カルバモイル、Ｎ−モノシクロアルキル−Ｎ−モノアリールカルバモイル、Ｎ−モノアルキル−Ｎ−モノアリール−カルバモイル、スルファモイル、Ｎ−モノシクロアルキル−スルファモイル、Ｎ−モノアルキル−スルファモイル、Ｎ，Ｎ−ジシクロアルキル−スルファモイル、Ｎ，Ｎ−ジアルキル−スルファモイル、Ｎ−モノアリール−スルファモイル、Ｎ，Ｎ−ジアリール−スルファモイル、Ｎ−モノシクロアルキル−Ｎ−モノアリールスルファモイル、Ｎ−モノアルキル−Ｎ−モノアリールスルファモイル、アリールスルホニルオキシ、アルキルスルホニルオキシ、アリールオキシスルホニル、アルコキシルスルホニル、及びＣＯＯＲ１２からなる群より選択される１種又は複数の置換基によって置換されたアルキルであるか、
又は
ヒドロキシ、アリール、シクロアルキル、アルコキシ、チオアルコキシ、アミノ、Ｎ−モノアルキル−アミノ、Ｎ，Ｎ−ジアルキル−アミノ、Ｎ−モノアリール−アミノ、Ｎ，Ｎ−ジアリール−アミノ、Ｎ−アルキル−Ｎ−アリール−アミノ、Ｎ−モノシクロアルキル−アミノ、Ｎ，Ｎ−ジシクロアルキル−アミノ、Ｎ−モノアルキル−モノシクロアルキル−アミノ、Ｎ，Ｎ−モノアリール−モノシクロアルキル−アミノ、Ｎ−アシルアミノ、Ｎ−アルキルスルホニル−アミノ、チオシアノ、ハロゲン、シアノ、ニトロ、アシル、チオアシル、アルキルスルホニル、アリーロイル、トリフルオロメチル、ヘテロアリール、ヘテロシクロアルキル、アルコキシカルボニル、アルコキシチオカルボニル、アシルオキシ、アリーロイルオキシ、カルバモイル、Ｎ−モノシクロアルキル−カルバモイル、Ｎ−モノアルキル−カルバモイル、Ｎ，Ｎ−ジシクロアルキル−カルバモイル、Ｎ，Ｎ−ジアルキル−カルバモイル、Ｎ−モノアリール−カルバモイル、Ｎ，Ｎ−ジアリール−カルバモイル、Ｎ−モノシクロアルキル−Ｎ−モノアリールカルバモイル、Ｎ−モノアルキル−Ｎ−モノアリール−カルバモイル、スルファモイル、Ｎ−モノシクロアルキル−スルファモイル、Ｎ−モノアルキル−スルファモイル、Ｎ，Ｎ−ジシクロアルキル−スルファモイル、Ｎ，Ｎ−ジアルキル−スルファモイル、Ｎ−モノアリール−スルファモイル、Ｎ，Ｎ−ジアリール−スルファモイル、Ｎ−モノシクロアルキル−Ｎ−モノアリールスルファモイル、Ｎ−モノアルキル−Ｎ−モノアリールスルファモイル、アリールスルホニルオキシ、アルキルスルホニルオキシ、アリールオキシスルホニル、アルコキシルスルホニル、及びＣＯＯＲ１２からなる群より選択される１種又は複数の置換基によって置換されたアリールであり、
Ｔ２８は、水素、アルキル、アルケニル、アルキニル、アリール、アルコキシカルボニルであるか、
又は
酸素及び硫黄からなる群より選択される１個又は複数のヘテロ原子によって中断されたアルキルであるか、
又は
ヒドロキシ、アリール、シクロアルキル、アルコキシ、チオアルコキシ、アミノ、Ｎ−モノアルキル−アミノ、Ｎ，Ｎ−ジアルキル−アミノ、Ｎ−モノアリール−アミノ、Ｎ，Ｎ−ジアリール−アミノ、Ｎ−アルキル−Ｎ−アリール−アミノ、Ｎ−モノシクロアルキル−アミノ、Ｎ，Ｎ−ジシクロアルキル−アミノ、Ｎ−モノアルキル−モノシクロアルキル−アミノ、Ｎ，Ｎ−モノアリール−モノシクロアルキル−アミノ、Ｎ−アシルアミノ、Ｎ−アルキルスルホニル−アミノ、ハロゲン、シアノ、チオシアノ、ニトロ、アシル、チオアシル、アルキルスルホニル、アリーロイル、トリフルオロメチル、ヘテロアリール、ヘテロシクロアルキル、アルコキシカルボニル、アルコキシチオカルボニル、アシルオキシ、アリーロイルオキシ、カルバモイル、Ｎ−モノシクロアルキル−カルバモイル、Ｎ−モノアルキル−カルバモイル、Ｎ，Ｎ−ジシクロアルキル−カルバモイル、Ｎ，Ｎ−ジアルキル−カルバモイル、Ｎ−モノアリール−カルバモイル、Ｎ，Ｎ−ジアリール−カルバモイル、Ｎ−モノシクロアルキル−Ｎ−モノアリールカルバモイル、Ｎ−モノアルキル−Ｎ−モノアリール−カルバモイル、スルファモイル、Ｎ−モノシクロアルキル−スルファモイル、Ｎ−モノアルキル−スルファモイル、Ｎ，Ｎ−ジシクロアルキル−スルファモイル、Ｎ，Ｎ−ジアルキル−スルファモイル、Ｎ−モノアリール−スルファモイル、Ｎ，Ｎ−ジアリール−スルファモイル、Ｎ−モノシクロアルキル−Ｎ−モノアリールスルファモイル、Ｎ−モノアルキル−Ｎ−モノアリールスルファモイル、アリールスルホニルオキシ、アルキルスルホニルオキシ、アリールオキシスルホニル、アルコキシルスルホニル、及びＣＯＯＲ１２からなる群より選択される１種又は複数の置換基によって置換されたアルキルであるか、
又は
酸素及び硫黄からなる群より選択される１個又は複数のヘテロ原子によって中断され、そしてヒドロキシ、アリール、シクロアルキル、アルコキシ、チオアルコキシ、アミノ、Ｎ−モノアルキル−アミノ、Ｎ，Ｎ−ジアルキル−アミノ、Ｎ−モノアリール−アミノ、Ｎ，Ｎ−ジアリール−アミノ、Ｎ−アルキル−Ｎ−アリール−アミノ、Ｎ−モノシクロアルキル−アミノ、Ｎ，Ｎ−ジシクロアルキル−アミノ、Ｎ−モノアルキル−モノシクロアルキル−アミノ、Ｎ，Ｎ−モノアリール−モノシクロアルキル−アミノ、Ｎ−アシルアミノ、Ｎ−アルキルスルホニル−アミノ、ハロゲン、シアノ、チオシアノ、ニトロ、アシル、チオアシル、アルキルスルホニル、アリーロイル、トリフルオロメチル、ヘテロアリール、ヘテロシクロアルキル、アルコキシカルボニル、アルコキシチオカルボニル、アシルオキシ、アリーロイルオキシ、カルバモイル、Ｎ−モノシクロアルキル−カルバモイル、Ｎ−モノアルキル−カルバモイル、Ｎ，Ｎ−ジシクロアルキル−カルバモイル、Ｎ，Ｎ−ジアルキル−カルバモイル、Ｎ−モノアリール−カルバモイル、Ｎ，Ｎ−ジアリール−カルバモイル、Ｎ−モノシクロアルキル−Ｎ−モノアリールカルバモイル、Ｎ−モノアルキル−Ｎ−モノアリール−カルバモイル、スルファモイル、Ｎ−モノシクロアルキル−スルファモイル、Ｎ−モノアルキル−スルファモイル、Ｎ，Ｎ−ジシクロアルキル−スルファモイル、Ｎ，Ｎ−ジアルキル−スルファモイル、Ｎ−モノアリール−スルファモイル、Ｎ，Ｎ−ジアリール−スルファモイル、Ｎ−モノシクロアルキル−Ｎ−モノアリールスルファモイル、Ｎ−モノアルキル−Ｎ−モノアリールスルファモイル、アリールスルホニルオキシ、アルキルスルホニルオキシ、アリールオキシスルホニル、アルコキシルスルホニル、及びＣＯＯＲ１２からなる群より選択される１種又は複数の置換基によって置換されたアルキルであるか、
又は
ヒドロキシ、アリール、シクロアルキル、アルコキシ、チオアルコキシ、アミノ、Ｎ−モノアルキル−アミノ、Ｎ，Ｎ−ジアルキル−アミノ、Ｎ−モノアリール−アミノ、Ｎ，Ｎ−ジアリール−アミノ、Ｎ−アルキル−Ｎ−アリール−アミノ、Ｎ−モノシクロアルキル−アミノ、Ｎ，Ｎ−ジシクロアルキル−アミノ、Ｎ−モノアルキル−モノシクロアルキル−アミノ、Ｎ，Ｎ−モノアリール−モノシクロアルキル−アミノ、Ｎ−アシルアミノ、Ｎ−アルキルスルホニル−アミノ、チオシアノ、ハロゲン、シアノ、ニトロ、アシル、チオアシル、アルキルスルホニル、アリーロイル、トリフルオロメチル、ヘテロアリール、ヘテロシクロアルキル、アルコキシカルボニル、アルコキシチオカルボニル、アシルオキシ、アリーロイルオキシ、カルバモイル、Ｎ−モノシクロアルキル−カルバモイル、Ｎ−モノアルキル−カルバモイル、Ｎ，Ｎ−ジシクロアルキル−カルバモイル、Ｎ，Ｎ−ジアルキル−カルバモイル、Ｎ−モノアリール−カルバモイル、Ｎ，Ｎ−ジアリール−カルバモイル、Ｎ−モノシクロアルキル−Ｎ−モノアリールカルバモイル、Ｎ−モノアルキル−Ｎ−モノアリール−カルバモイル、スルファモイル、Ｎ−モノシクロアルキル−スルファモイル、Ｎ−モノアルキル−スルファモイル、Ｎ，Ｎ−ジシクロアルキル−スルファモイル、Ｎ，Ｎ−ジアルキル−スルファモイル、Ｎ−モノアリール−スルファモイル、Ｎ，Ｎ−ジアリール−スルファモイル、Ｎ−モノシクロアルキル−Ｎ−モノアリールスルファモイル、Ｎ−モノアルキル−Ｎ−モノアリールスルファモイル、アリールスルホニルオキシ、アルキルスルホニルオキシ、アリールオキシスルホニル、アルコキシルスルホニル、及びＣＯＯＲ１２からなる群より選択される１種又は複数の置換基によって置換されたアリールである］
又は
Ｄは、式（ＸＶＩＩ）の基を表すか、
【化１４】
0006452170.tif 000092
［式中、
Ｔ２９は、シアノ、ニトロ、アリール、又はトリフルオロメチルであり、
Ｔ３０は、水素、アルキル、アルケニル、アルケニル、アルキニル、アリール、アリールメチル、アルコキシカルボニルであるか、
又は
酸素及び硫黄からなる群より選択される１個又は複数のヘテロ原子によって中断されたアルキルであるか、
又は
ヒドロキシ、アリール、シクロアルキル、アルコキシ、チオアルコキシ、アミノ、Ｎ−モノアルキル−アミノ、Ｎ，Ｎ−ジアルキル−アミノ、Ｎ−モノアリール−アミノ、Ｎ，Ｎ−ジアリール−アミノ、Ｎ−アルキル−Ｎ−アリール−アミノ、Ｎ−モノシクロアルキル−アミノ、Ｎ，Ｎ−ジシクロアルキル−アミノ、Ｎ−モノアルキル−モノシクロアルキル−アミノ、Ｎ，Ｎ−モノアリール−モノシクロアルキル−アミノ、Ｎ−アシルアミノ、Ｎ−アルキルスルホニル−アミノ、ハロゲン、シアノ、チオシアノ、ニトロ、アシル、チオアシル、アルキルスルホニル、アリーロイル、トリフルオロメチル、ヘテロアリール、ヘテロシクロアルキル、アルコキシカルボニル、アルコキシチオカルボニル、アシルオキシ、アリーロイルオキシ、カルバモイル、Ｎ−モノシクロアルキル−カルバモイル、Ｎ−モノアルキル−カルバモイル、Ｎ，Ｎ−ジシクロアルキル−カルバモイル、Ｎ，Ｎ−ジアルキル−カルバモイル、Ｎ−モノアリール−カルバモイル、Ｎ，Ｎ−ジアリール−カルバモイル、Ｎ−モノシクロアルキル−Ｎ−モノアリールカルバモイル、Ｎ−モノアルキル−Ｎ−モノアリール−カルバモイル、スルファモイル、Ｎ−モノシクロアルキル−スルファモイル、Ｎ−モノアルキル−スルファモイル、Ｎ，Ｎ−ジシクロアルキル−スルファモイル、Ｎ，Ｎ−ジアルキル−スルファモイル、Ｎ−モノアリール−スルファモイル、Ｎ，Ｎ−ジアリール−スルファモイル、Ｎ−モノシクロアルキル−Ｎ−モノアリールスルファモイル、Ｎ−モノアルキル−Ｎ−モノアリールスルファモイル、アリールスルホニルオキシ、アルキルスルホニルオキシ、アリールオキシスルホニル、アルコキシルスルホニル、及びＣＯＯＲ１２からなる群より選択される１種又は複数の置換基によって置換されたアルキルであるか、
又は
酸素及び硫黄からなる群より選択される１個又は複数のヘテロ原子によって中断され、そしてヒドロキシ、アリール、シクロアルキル、アルコキシ、チオアルコキシ、アミノ、Ｎ−モノアルキル−アミノ、Ｎ，Ｎ−ジアルキル−アミノ、Ｎ−モノアリール−アミノ、Ｎ，Ｎ−ジアリール−アミノ、Ｎ−アルキル−Ｎ−アリール−アミノ、Ｎ−モノシクロアルキル−アミノ、Ｎ，Ｎ−ジシクロアルキル−アミノ、Ｎ−モノアルキル−モノシクロアルキル−アミノ、Ｎ，Ｎ−モノアリール−モノシクロアルキル−アミノ、Ｎ−アシルアミノ、Ｎ−アルキルスルホニル−アミノ、ハロゲン、シアノ、チオシアノ、ニトロ、アシル、チオアシル、アルキルスルホニル、アリーロイル、トリフルオロメチル、ヘテロアリール、ヘテロシクロアルキル、アルコキシカルボニル、アルコキシチオカルボニル、アシルオキシ、アリーロイルオキシ、カルバモイル、Ｎ−モノシクロアルキル−カルバモイル、Ｎ−モノアルキル−カルバモイル、Ｎ，Ｎ−ジシクロアルキル−カルバモイル、Ｎ，Ｎ−ジアルキル−カルバモイル、Ｎ−モノアリール−カルバモイル、Ｎ，Ｎ−ジアリール−カルバモイル、Ｎ−モノシクロアルキル−Ｎ−モノアリールカルバモイル、Ｎ−モノアルキル−Ｎ−モノアリール−カルバモイル、スルファモイル、Ｎ−モノシクロアルキル−スルファモイル、Ｎ−モノアルキル−スルファモイル、Ｎ，Ｎ−ジシクロアルキル−スルファモイル、Ｎ，Ｎ−ジアルキル−スルファモイル、Ｎ−モノアリール−スルファモイル、Ｎ，Ｎ−ジアリール−スルファモイル、Ｎ−モノシクロアルキル−Ｎ−モノアリールスルファモイル、Ｎ−モノアルキル−Ｎ−モノアリールスルファモイル、アリールスルホニルオキシ、アルキルスルホニルオキシ、アリールオキシスルホニル、アルコキシルスルホニル、及びＣＯＯＲ１２からなる群より選択される１種又は複数の置換基によって置換されたアルキルであるか、
又は
ヒドロキシ、アリール、シクロアルキル、アルコキシ、チオアルコキシ、アミノ、Ｎ−モノアルキル−アミノ、Ｎ，Ｎ−ジアルキル−アミノ、Ｎ−モノアリール−アミノ、Ｎ，Ｎ−ジアリール−アミノ、Ｎ−アルキル−Ｎ−アリール−アミノ、Ｎ−モノシクロアルキル−アミノ、Ｎ，Ｎ−ジシクロアルキル−アミノ、Ｎ−モノアルキル−モノシクロアルキル−アミノ、Ｎ，Ｎ−モノアリール−モノシクロアルキル−アミノ、Ｎ−アシルアミノ、Ｎ−アルキルスルホニル−アミノ、チオシアノ、ハロゲン、シアノ、ニトロ、アシル、チオアシル、アルキルスルホニル、アリーロイル、トリフルオロメチル、ヘテロアリール、ヘテロシクロアルキル、アルコキシカルボニル、アルコキシチオカルボニル、アシルオキシ、アリーロイルオキシ、カルバモイル、Ｎ−モノシクロアルキル−カルバモイル、Ｎ−モノアルキル−カルバモイル、Ｎ，Ｎ−ジシクロアルキル−カルバモイル、Ｎ，Ｎ−ジアルキル−カルバモイル、Ｎ−モノアリール−カルバモイル、Ｎ，Ｎ−ジアリール−カルバモイル、Ｎ−モノシクロアルキル−Ｎ−モノアリールカルバモイル、Ｎ−モノアルキル−Ｎ−モノアリール−カルバモイル、スルファモイル、Ｎ−モノシクロアルキル−スルファモイル、Ｎ−モノアルキル−スルファモイル、Ｎ，Ｎ−ジシクロアルキル−スルファモイル、Ｎ，Ｎ−ジアルキル−スルファモイル、Ｎ−モノアリール−スルファモイル、Ｎ，Ｎ−ジアリール−スルファモイル、Ｎ−モノシクロアルキル−Ｎ−モノアリールスルファモイル、Ｎ−モノアルキル−Ｎ−モノアリールスルファモイル、アリールスルホニルオキシ、アルキルスルホニルオキシ、アリールオキシスルホニル、アルコキシルスルホニル、及びＣＯＯＲ１２からなる群より選択される１種又は複数の置換基によって置換されたアリールである］
又は
Ｄは、式（ＸＶＩＩＩ）の基を表すか、
【化１５】
0006452170.tif 000093
［式中、
Ｔ３１は、シアノ、ニトロ、アリール、トリフルオロメチルであるか、
又は
ヒドロキシ、アリール、シクロアルキル、アルコキシ、チオアルコキシ、アミノ、Ｎ−モノアルキル−アミノ、Ｎ，Ｎ−ジアルキル−アミノ、Ｎ−モノアリール−アミノ、Ｎ，Ｎ−ジアリール−アミノ、Ｎ−アルキル−Ｎ−アリール−アミノ、Ｎ−モノシクロアルキル−アミノ、Ｎ，Ｎ−ジシクロアルキル−アミノ、Ｎ−モノアルキル−モノシクロアルキル−アミノ、Ｎ，Ｎ−モノアリール−モノシクロアルキル−アミノ、Ｎ−アシルアミノ、Ｎ−アルキルスルホニル−アミノ、チオシアノ、ハロゲン、シアノ、ニトロ、アシル、チオアシル、アルキルスルホニル、アリーロイル、トリフルオロメチル、ヘテロアリール、ヘテロシクロアルキル、アルコキシカルボニル、アルコキシチオカルボニル、アシルオキシ、アリーロイルオキシ、カルバモイル、Ｎ−モノシクロアルキル−カルバモイル、Ｎ−モノアルキル−カルバモイル、Ｎ，Ｎ−ジシクロアルキル−カルバモイル、Ｎ，Ｎ−ジアルキル−カルバモイル、Ｎ−モノアリール−カルバモイル、Ｎ，Ｎ−ジアリール−カルバモイル、Ｎ−モノシクロアルキル−Ｎ−モノアリールカルバモイル、Ｎ−モノアルキル−Ｎ−モノアリール−カルバモイル、スルファモイル、Ｎ−モノシクロアルキル−スルファモイル、Ｎ−モノアルキル−スルファモイル、Ｎ，Ｎ−ジシクロアルキル−スルファモイル、Ｎ，Ｎ−ジアルキル−スルファモイル、Ｎ−モノアリール−スルファモイル、Ｎ，Ｎ−ジアリール−スルファモイル、Ｎ−モノシクロアルキル−Ｎ−モノアリールスルファモイル、Ｎ−モノアルキル−Ｎ−モノアリールスルファモイル、アリールスルホニルオキシ、アルキルスルホニルオキシ、アリールオキシスルホニル、アルコキシルスルホニル、及びＣＯＯＲ１２からなる群より選択される１種又は複数の置換基によって置換されたアリールであり、
Ｔ３２は、水素、アルキル、アルケニル、アルキニル、アリール、アルコキシカルボニルであるか、
又は
酸素及び硫黄からなる群より選択される１個又は複数のヘテロ原子によって中断されたアルキルであるか、
又は
ヒドロキシ、アリール、シクロアルキル、アルコキシ、チオアルコキシ、アミノ、Ｎ−モノアルキル−アミノ、Ｎ，Ｎ−ジアルキル−アミノ、Ｎ−モノアリール−アミノ、Ｎ，Ｎ−ジアリール−アミノ、Ｎ−アルキル−Ｎ−アリール−アミノ、Ｎ−モノシクロアルキル−アミノ、Ｎ，Ｎ−ジシクロアルキル−アミノ、Ｎ−モノアルキル−モノシクロアルキル−アミノ、Ｎ，Ｎ−モノアリール−モノシクロアルキル−アミノ、Ｎ−アシルアミノ、Ｎ−アルキルスルホニル−アミノ、ハロゲン、シアノ、チオシアノ、ニトロ、アシル、チオアシル、アルキルスルホニル、アリーロイル、トリフルオロメチル、ヘテロアリール、ヘテロシクロアルキル、アルコキシカルボニル、アルコキシチオカルボニル、アシルオキシ、アリーロイルオキシ、カルバモイル、Ｎ−モノシクロアルキル−カルバモイル、Ｎ−モノアルキル−カルバモイル、Ｎ，Ｎ−ジシクロアルキル−カルバモイル、Ｎ，Ｎ−ジアルキル−カルバモイル、Ｎ−モノアリール−カルバモイル、Ｎ，Ｎ−ジアリール−カルバモイル、Ｎ−モノシクロアルキル−Ｎ−モノアリールカルバモイル、Ｎ−モノアルキル−Ｎ−モノアリール−カルバモイル、スルファモイル、Ｎ−モノシクロアルキル−スルファモイル、Ｎ−モノアルキル−スルファモイル、Ｎ，Ｎ−ジシクロアルキル−スルファモイル、Ｎ，Ｎ−ジアルキル−スルファモイル、Ｎ−モノアリール−スルファモイル、Ｎ，Ｎ−ジアリール−スルファモイル、Ｎ−モノシクロアルキル−Ｎ−モノアリールスルファモイル、Ｎ−モノアルキル−Ｎ−モノアリールスルファモイル、アリールスルホニルオキシ、アルキルスルホニルオキシ、アリールオキシスルホニル、アルコキシルスルホニル、及びＣＯＯＲ１２からなる群より選択される１種又は複数の置換基によって置換されたアルキルであるか、
又は
酸素及び硫黄からなる群より選択される１個又は複数のヘテロ原子によって中断され、そしてヒドロキシ、アリール、シクロアルキル、アルコキシ、チオアルコキシ、アミノ、Ｎ−モノアルキル−アミノ、Ｎ，Ｎ−ジアルキル−アミノ、Ｎ−モノアリール−アミノ、Ｎ，Ｎ−ジアリール−アミノ、Ｎ−アルキル−Ｎ−アリール−アミノ、Ｎ−モノシクロアルキル−アミノ、Ｎ，Ｎ−ジシクロアルキル−アミノ、Ｎ−モノアルキル−モノシクロアルキル−アミノ、Ｎ，Ｎ−モノアリール−モノシクロアルキル−アミノ、Ｎ−アシルアミノ、Ｎ−アルキルスルホニル−アミノ、ハロゲン、シアノ、チオシアノ、ニトロ、アシル、チオアシル、アルキルスルホニル、アリーロイル、トリフルオロメチル、ヘテロアリール、ヘテロシクロアルキル、アルコキシカルボニル、アルコキシチオカルボニル、アシルオキシ、アリーロイルオキシ、カルバモイル、Ｎ−モノシクロアルキル−カルバモイル、Ｎ−モノアルキル−カルバモイル、Ｎ，Ｎ−ジシクロアルキル−カルバモイル、Ｎ，Ｎ−ジアルキル−カルバモイル、Ｎ−モノアリール−カルバモイル、Ｎ，Ｎ−ジアリール−カルバモイル、Ｎ−モノシクロアルキル−Ｎ−モノアリールカルバモイル、Ｎ−モノアルキル−Ｎ−モノアリール−カルバモイル、スルファモイル、Ｎ−モノシクロアルキル−スルファモイル、Ｎ−モノアルキル−スルファモイル、Ｎ，Ｎ−ジシクロアルキル−スルファモイル、Ｎ，Ｎ−ジアルキル−スルファモイル、Ｎ−モノアリール−スルファモイル、Ｎ，Ｎ−ジアリール−スルファモイル、Ｎ−モノシクロアルキル−Ｎ−モノアリールスルファモイル、Ｎ−モノアルキル−Ｎ−モノアリールスルファモイル、アリールスルホニルオキシ、アルキルスルホニルオキシ、アリールオキシスルホニル、アルコキシルスルホニル、及びＣＯＯＲ１２からなる群より選択される１種又は複数の置換基によって置換されたアルキルであるか、
又は
ヒドロキシ、アリール、シクロアルキル、アルコキシ、チオアルコキシ、アミノ、Ｎ−モノアルキル−アミノ、Ｎ，Ｎ−ジアルキル−アミノ、Ｎ−モノアリール−アミノ、Ｎ，Ｎ−ジアリール−アミノ、Ｎ−アルキル−Ｎ−アリール−アミノ、Ｎ−モノシクロアルキル−アミノ、Ｎ，Ｎ−ジシクロアルキル−アミノ、Ｎ−モノアルキル−モノシクロアルキル−アミノ、Ｎ，Ｎ−モノアリール−モノシクロアルキル−アミノ、Ｎ−アシルアミノ、Ｎ−アルキルスルホニル−アミノ、チオシアノ、ハロゲン、シアノ、ニトロ、アシル、チオアシル、アルキルスルホニル、アリーロイル、トリフルオロメチル、ヘテロアリール、ヘテロシクロアルキル、アルコキシカルボニル、アルコキシチオカルボニル、アシルオキシ、アリーロイルオキシ、カルバモイル、Ｎ−モノシクロアルキル−カルバモイル、Ｎ−モノアルキル−カルバモイル、Ｎ，Ｎ−ジシクロアルキル−カルバモイル、Ｎ，Ｎ−ジアルキル−カルバモイル、Ｎ−モノアリール−カルバモイル、Ｎ，Ｎ−ジアリール−カルバモイル、Ｎ−モノシクロアルキル−Ｎ−モノアリールカルバモイル、Ｎ−モノアルキル−Ｎ−モノアリール−カルバモイル、スルファモイル、Ｎ−モノシクロアルキル−スルファモイル、Ｎ−モノアルキル−スルファモイル、Ｎ，Ｎ−ジシクロアルキル−スルファモイル、Ｎ，Ｎ−ジアルキル−スルファモイル、Ｎ−モノアリール−スルファモイル、Ｎ，Ｎ−ジアリール−スルファモイル、Ｎ−モノシクロアルキル−Ｎ−モノアリールスルファモイル、Ｎ−モノアルキル−Ｎ−モノアリールスルファモイル、アリールスルホニルオキシ、アルキルスルホニルオキシ、アリールオキシスルホニル、アルコキシルスルホニル、及びＣＯＯＲ１２からなる群より選択される１種又は複数の置換基によって置換されたアリールであり、
Ｔ３３は、水素、アルキルであるか、
又は
酸素及び硫黄からなる群より選択される１個又は複数のヘテロ原子によって中断されたアルキルであるか、
又は
ヒドロキシ、アリール、シクロアルキル、アルコキシ、チオアルコキシ、アミノ、Ｎ−モノアルキル−アミノ、Ｎ，Ｎ−ジアルキル−アミノ、Ｎ−モノアリール−アミノ、Ｎ，Ｎ−ジアリール−アミノ、Ｎ−アルキル−Ｎ−アリール−アミノ、Ｎ−モノシクロアルキル−アミノ、Ｎ，Ｎ−ジシクロアルキル−アミノ、Ｎ−モノアルキル−モノシクロアルキル−アミノ、Ｎ，Ｎ−モノアリール−モノシクロアルキル−アミノ、Ｎ−アシルアミノ、Ｎ−アルキルスルホニル−アミノ、ハロゲン、シアノ、チオシアノ、ニトロ、アシル、チオアシル、アルキルスルホニル、アリーロイル、トリフルオロメチル、ヘテロアリール、ヘテロシクロアルキル、アルコキシカルボニル、アルコキシチオカルボニル、アシルオキシ、アリーロイルオキシ、カルバモイル、Ｎ−モノシクロアルキル−カルバモイル、Ｎ−モノアルキル−カルバモイル、Ｎ，Ｎ−ジシクロアルキル−カルバモイル、Ｎ，Ｎ−ジアルキル−カルバモイル、Ｎ−モノアリール−カルバモイル、Ｎ，Ｎ−ジアリール−カルバモイル、Ｎ−モノシクロアルキル−Ｎ−モノアリールカルバモイル、Ｎ−モノアルキル−Ｎ−モノアリール−カルバモイル、スルファモイル、Ｎ−モノシクロアルキル−スルファモイル、Ｎ−モノアルキル−スルファモイル、Ｎ，Ｎ−ジシクロアルキル−スルファモイル、Ｎ，Ｎ−ジアルキル−スルファモイル、Ｎ−モノアリール−スルファモイル、Ｎ，Ｎ−ジアリール−スルファモイル、Ｎ−モノシクロアルキル−Ｎ−モノアリールスルファモイル、Ｎ−モノアルキル−Ｎ−モノアリールスルファモイル、アリールスルホニルオキシ、アルキルスルホニルオキシ、アリールオキシスルホニル、アルコキシルスルホニル、及びＣＯＯＲ１２からなる群より選択される１種又は複数の置換基によって置換されたアルキルであるか、
又は
酸素及び硫黄からなる群より選択される１個又は複数のヘテロ原子によって中断され、そしてヒドロキシ、アリール、シクロアルキル、アルコキシ、チオアルコキシ、アミノ、Ｎ−モノアルキル−アミノ、Ｎ，Ｎ−ジアルキル−アミノ、Ｎ−モノアリール−アミノ、Ｎ，Ｎ−ジアリール−アミノ、Ｎ−アルキル−Ｎ−アリール−アミノ、Ｎ−モノシクロアルキル−アミノ、Ｎ，Ｎ−ジシクロアルキル−アミノ、Ｎ−モノアルキル−モノシクロアルキル−アミノ、Ｎ，Ｎ−モノアリール−モノシクロアルキル−アミノ、Ｎ−アシルアミノ、Ｎ−アルキルスルホニル−アミノ、ハロゲン、シアノ、チオシアノ、ニトロ、アシル、チオアシル、アルキルスルホニル、アリーロイル、トリフルオロメチル、ヘテロアリール、ヘテロシクロアルキル、アルコキシカルボニル、アルコキシチオカルボニル、アシルオキシ、アリーロイルオキシ、カルバモイル、Ｎ−モノシクロアルキル−カルバモイル、Ｎ−モノアルキル−カルバモイル、Ｎ，Ｎ−ジシクロアルキル−カルバモイル、Ｎ，Ｎ−ジアルキル−カルバモイル、Ｎ−モノアリール−カルバモイル、Ｎ，Ｎ−ジアリール−カルバモイル、Ｎ−モノシクロアルキル−Ｎ−モノアリールカルバモイル、Ｎ−モノアルキル−Ｎ−モノアリール−カルバモイル、スルファモイル、Ｎ−モノシクロアルキル−スルファモイル、Ｎ−モノアルキル−スルファモイル、Ｎ，Ｎ−ジシクロアルキル−スルファモイル、Ｎ，Ｎ−ジアルキル−スルファモイル、Ｎ−モノアリール−スルファモイル、Ｎ，Ｎ−ジアリール−スルファモイル、Ｎ−モノシクロアルキル−Ｎ−モノアリールスルファモイル、Ｎ−モノアルキル−Ｎ−モノアリールスルファモイル、アリールスルホニルオキシ、アルキルスルホニルオキシ、アリールオキシスルホニル、アルコキシルスルホニル、及びＣＯＯＲ１２からなる群より選択される１種又は複数の置換基によって置換されたアルキルであるか、
又は
ヒドロキシ、アリール、シクロアルキル、アルコキシ、チオアルコキシ、アミノ、Ｎ−モノアルキル−アミノ、Ｎ，Ｎ−ジアルキル−アミノ、Ｎ−モノアリール−アミノ、Ｎ，Ｎ−ジアリール−アミノ、Ｎ−アルキル−Ｎ−アリール−アミノ、Ｎ−モノシクロアルキル−アミノ、Ｎ，Ｎ−ジシクロアルキル−アミノ、Ｎ−モノアルキル−モノシクロアルキル−アミノ、Ｎ，Ｎ−モノアリール−モノシクロアルキル−アミノ、Ｎ−アシルアミノ、Ｎ−アルキルスルホニル−アミノ、チオシアノ、ハロゲン、シアノ、ニトロ、アシル、チオアシル、アルキルスルホニル、アリーロイル、トリフルオロメチル、ヘテロアリール、ヘテロシクロアルキル、アルコキシカルボニル、アルコキシチオカルボニル、アシルオキシ、アリーロイルオキシ、カルバモイル、Ｎ−モノシクロアルキル−カルバモイル、Ｎ−モノアルキル−カルバモイル、Ｎ，Ｎ−ジシクロアルキル−カルバモイル、Ｎ，Ｎ−ジアルキル−カルバモイル、Ｎ−モノアリール−カルバモイル、Ｎ，Ｎ−ジアリール−カルバモイル、Ｎ−モノシクロアルキル−Ｎ−モノアリールカルバモイル、Ｎ−モノアルキル−Ｎ−モノアリール−カルバモイル、スルファモイル、Ｎ−モノシクロアルキル−スルファモイル、Ｎ−モノアルキル−スルファモイル、Ｎ，Ｎ−ジシクロアルキル−スルファモイル、Ｎ，Ｎ−ジアルキル−スルファモイル、Ｎ−モノアリール−スルファモイル、Ｎ，Ｎ−ジアリール−スルファモイル、Ｎ−モノシクロアルキル−Ｎ−モノアリールスルファモイル、Ｎ−モノアルキル−Ｎ−モノアリールスルファモイル、アリールスルホニルオキシ、アルキルスルホニルオキシ、アリールオキシスルホニル、アルコキシルスルホニル、及びＣＯＯＲ１２からなる群より選択される１種又は複数の置換基によって置換されたアリールである］
又は
Ｄは、式（ＸＩＸ）の基を表すか、
【化１６】
0006452170.tif 000094
［式中、
Ｔ３４、Ｔ３５、及びＴ３６は、互いに独立して、水素、ハロゲン、ニトロ、シアノ、ヒドロキシル、アルコキシルカルボニル、アルキル、アシルであるか、
又は
ヒドロキシ、アリール、シクロアルキル、アルコキシ、チオアルコキシ、アミノ、Ｎ−モノアルキル−アミノ、Ｎ，Ｎ−ジアルキル−アミノ、Ｎ−モノアリール−アミノ、Ｎ，Ｎ−ジアリール−アミノ、Ｎ−アルキル−Ｎ−アリール−アミノ、Ｎ−モノシクロアルキル−アミノ、Ｎ，Ｎ−ジシクロアルキル−アミノ、Ｎ−モノアルキル−モノシクロアルキル−アミノ、Ｎ，Ｎ−モノアリール−モノシクロアルキル−アミノ、Ｎ−アシルアミノ、Ｎ−アルキルスルホニル−アミノ、ハロゲン、シアノ、チオシアノ、ニトロ、アシル、チオアシル、アルキルスルホニル、アリーロイル、トリフルオロメチル、ヘテロアリール、ヘテロシクロアルキル、アルコキシカルボニル、アルコキシチオカルボニル、アシルオキシ、アリーロイルオキシ、カルバモイル、Ｎ−モノシクロアルキル−カルバモイル、Ｎ−モノアルキル−カルバモイル、Ｎ，Ｎ−ジシクロアルキル−カルバモイル、Ｎ，Ｎ−ジアルキル−カルバモイル、Ｎ−モノアリール−カルバモイル、Ｎ，Ｎ−ジアリール−カルバモイル、Ｎ−モノシクロアルキル−Ｎ−モノアリールカルバモイル、Ｎ−モノアルキル−Ｎ−モノアリール−カルバモイル、スルファモイル、Ｎ−モノシクロアルキル−スルファモイル、Ｎ−モノアルキル−スルファモイル、Ｎ，Ｎ−ジシクロアルキル−スルファモイル、Ｎ，Ｎ−ジアルキル−スルファモイル、Ｎ−モノアリール−スルファモイル、Ｎ，Ｎ−ジアリール−スルファモイル、Ｎ−モノシクロアルキル−Ｎ−モノアリールスルファモイル、Ｎ−モノアルキル−Ｎ−モノアリールスルファモイル、アリールスルホニルオキシ、アルキルスルホニルオキシ、アリールオキシスルホニル、アルコキシルスルホニル、及びＣＯＯＲ１２からなる群より選択される１種又は複数の置換基によって置換されたアルキルであるか、
又は
酸素及び硫黄からなる群より選択される１個又は複数のヘテロ原子によって中断され、そしてヒドロキシ、アリール、シクロアルキル、アルコキシ、チオアルコキシ、アミノ、Ｎ−モノアルキル−アミノ、Ｎ，Ｎ−ジアルキル−アミノ、Ｎ−モノアリール−アミノ、Ｎ，Ｎ−ジアリール−アミノ、Ｎ−アルキル−Ｎ−アリール−アミノ、Ｎ−モノシクロアルキル−アミノ、Ｎ，Ｎ−ジシクロアルキル−アミノ、Ｎ−モノアルキル−モノシクロアルキル−アミノ、Ｎ，Ｎ−モノアリール−モノシクロアルキル−アミノ、Ｎ−アシルアミノ、Ｎ−アルキルスルホニル−アミノ、ハロゲン、シアノ、チオシアノ、ニトロ、アシル、チオアシル、アルキルスルホニル、アリーロイル、トリフルオロメチル、ヘテロアリール、ヘテロシクロアルキル、アルコキシカルボニル、アルコキシチオカルボニル、アシルオキシ、アリーロイルオキシ、カルバモイル、Ｎ−モノシクロアルキル−カルバモイル、Ｎ−モノアルキル−カルバモイル、Ｎ，Ｎ−ジシクロアルキル−カルバモイル、Ｎ，Ｎ−ジアルキル−カルバモイル、Ｎ−モノアリール−カルバモイル、Ｎ，Ｎ−ジアリール−カルバモイル、Ｎ−モノシクロアルキル−Ｎ−モノアリールカルバモイル、Ｎ−モノアルキル−Ｎ−モノアリール−カルバモイル、スルファモイル、Ｎ−モノシクロアルキル−スルファモイル、Ｎ−モノアルキル−スルファモイル、Ｎ，Ｎ−ジシクロアルキル−スルファモイル、Ｎ，Ｎ−ジアルキル−スルファモイル、Ｎ−モノアリール−スルファモイル、Ｎ，Ｎ−ジアリール−スルファモイル、Ｎ−モノシクロアルキル−Ｎ−モノアリールスルファモイル、Ｎ−モノアルキル−Ｎ−モノアリールスルファモイル、アリールスルホニルオキシ、アルキルスルホニルオキシ、アリールオキシスルホニル、アルコキシルスルホニル、及びＣＯＯＲ１２からなる群より選択される１種又は複数の置換基によって置換されたアルキルである］
又は
Ｄは、式（ＸＸ）の基を表すが、
【化１７】
0006452170.tif 000095
［式中、
Ｔ３７は、水素、ハロゲン、又はニトロである］
Ｒ１２は、水素、アルキル、アルケニル、シクロアルキル、アリール、ヘテロアリール、ヘテロシクロアルキルであるか、
又は
酸素及び硫黄からなる群より選択される１個又は複数のヘテロ原子によって中断されたアルキルであるか、
又は
ヒドロキシ、アリール、シクロアルキル、アルコキシ、チオアルコキシ、ハロゲン、シアノ、アミノ、チオシアノ、ニトロ、アシル、チオアシル、アルキルスルホニル、アリーロイル、トリフルオロメチル、ヘテロアリール、ヘテロシクロアルキル、アルコキシチオカルボニル、アシルオキシ、アリーロイルオキシ、カルバモイル、スルファモイル、アリールスルホニルオキシ、アルキルスルホニルオキシ、アリールオキシスルホニル、及びアルコキシルスルホニルからなる群より選択される１種又は複数の置換基によって置換されたアルキルであるか、
又は
酸素及び硫黄からなる群より選択される１個又は複数のヘテロ原子によって中断され、そしてヒドロキシ、アリール、シクロアルキル、アルコキシ、チオアルコキシ、ハロゲン、シアノ、アミノ、チオシアノ、ニトロ、アシル、チオアシル、アルキルスルホニル、アリーロイル、トリフルオロメチル、ヘテロアリール、ヘテロシクロアルキル、アルコキシチオカルボニル、アシルオキシ、アリーロイルオキシ、カルバモイル、スルファモイル、アリールスルホニルオキシ、アルキルスルホニルオキシ、アリールオキシスルホニル、及びアルコキシルスルホニルからなる群より選択される１種又は複数の置換基によって置換されたアルキルであるか、
又は
ヒドロキシ、アリール、シクロアルキル、アルコキシ、チオアルコキシ、アミノ、チオシアノ、ハロゲン、シアノ、ニトロ、アシル、チオアシル、アルキルスルホニル、アリーロイル、トリフルオロメチル、ヘテロアリール、ヘテロシクロアルキル、アルコキシカルボニル、アルコキシチオカルボニル、アシルオキシ、アリーロイルオキシ、カルバモイル、スルファモイル、アリールスルホニルオキシ、アルキルスルホニルオキシ、アリールオキシスルホニル、及びアルコキシルスルホニルからなる群より選択される１種又は複数の置換基によって置換されたアリールである］
ただし、Ｄが式（ＸＶ）の基を表している場合には、Ｙは、カルボニルのみであり、そしてＲ２とＲ１４の間での縮合環の生成は許されない。］
【請求項２】
式（Ｉ−ａ）を有する、請求項１に記載の染料。
【化１８】
0006452170.tif 000096
［式中、
Ｔ１〜Ｔ４のそれぞれは、互いに独立して、水素、（Ｃ１〜Ｃ６）−アルキル、（Ｃ３〜Ｃ６）−シクロアルキル、置換された（Ｃ１〜Ｃ６）−アルキル、（Ｃ３〜Ｃ４）−アルケニル、（Ｃ３〜Ｃ４）−アルキニル、アリール、Ｏにより中断された（Ｃ１〜Ｃ６）−アルキル、Ｓにより中断された（Ｃ１〜Ｃ６）−アルキル、（Ｃ１〜Ｃ８）−アルコキシル、（Ｃ１〜Ｃ６）−シクロアルキル、ハロゲン、シアノ、ニトロ、アリールスルホニル、アリールスルホニルオキシ、（Ｃ１〜Ｃ６）−アルキルスルホニル、（Ｃ１〜Ｃ６）−アルコキシルスルホニル、Ｎ−（Ｃ１〜Ｃ６）−アルキルスルファモイル、Ｎ，Ｎ−ビス（Ｃ１〜Ｃ６）アルキルスルファモイル、Ｎ−（Ｃ１〜Ｃ６）−アルキルカルバモイル、Ｎ−ビス（Ｃ１〜Ｃ６）アルキル−カルバモイル、（Ｃ１〜Ｃ６）−アルキルアシル、アリールアシル、（Ｃ１〜Ｃ６）−アルコキシルカルボニル、アリールオキシルカルボニル、チオシアノ、ヒドロキシル、アリールオキシ、アリールメトキシル、アリーロイルオキシ、アリールスルホニルオキシ、｛［（Ｃ１〜Ｃ６）−アルコキシルカルボニル］メトキシル｝カルボニル、［（アリールオキシカルボニル）メトキシ］カルボニル、｛［（Ｃ１〜Ｃ６）−アルキルアシル］−メトキシ｝カルボニル、又は［（アリールアシル）−メトキシ］カルボニルであり、
Ｒ１は、（Ｃ１〜Ｃ６）−アルキル、（Ｃ１〜Ｃ６）−アシルオキシで置換された（Ｃ２〜Ｃ６）アルキル、シアノ（Ｃ１〜Ｃ６）アルキル、アリールメチル、アリールアシル（Ｃ１〜Ｃ６）アルキル、２−（Ｃ１〜Ｃ６）アルコキシル−２−オキソエチル、Ｏにより中断された（Ｃ２〜Ｃ６）−アルキル、Ｓにより中断された（Ｃ２〜Ｃ６）−アルキル、（Ｃ３〜Ｃ４）−アルケニル、（Ｃ３〜Ｃ４）−アルキニル、３−（Ｃ１〜Ｃ６）アルコキシル−３−オキソプロピル、３−［Ｏにより中断された（Ｃ２〜Ｃ６）−アルコキシル］−３−オキソプロピル、２−（Ｃ１〜Ｃ６）アルコキシル−２−オキソエチル、２−［Ｏにより中断された（Ｃ２〜Ｃ６）−アルコキシル］−２−オキソエチル、２−｛［（Ｃ１〜Ｃ６）−アルキルアシル］−メトキシ｝−２−オキソエチル、３−｛［（Ｃ１〜Ｃ６）−アルキルアシル］−メトキシ｝−３−オキソプロピル、２−［（アリールアシル）−メトキシ］−２−オキソエチル、３−［（アリールアシル）−メトキシ］−３−オキソプロピル、３−｛［（Ｃ１〜Ｃ６）−アルコキシルカルボニル］−メトキシ｝−３−オキソプロピル、３−（アリールメトキシ）−３−オキソプロピル、３−［（アリールアシル）−メトキシ］−３−オキソプロピル、２−（シアノメトキシ）−２−オキソエチル、３−（シアノメトキシ）−３−オキソプロピル、２−｛［（Ｃ１〜Ｃ６）−アルコキシルカルボニル］メトキシ｝−２−オキソエチル、１−［（Ｃ１〜Ｃ６）−アルキル］−３−［（Ｃ１〜Ｃ６）−アルコキシル］−３−オキソプロピル、１−［（Ｃ１〜Ｃ６）−アルキル］−３−［Ｏにより中断された（Ｃ１〜Ｃ６）−アルコキシル］−３−オキソプロピル、１−［（Ｃ１〜Ｃ６）−アルキル］−３−（アリールメトキシル）−３−オキソプロピル、１−［（Ｃ１〜Ｃ６）−アルキル］−３−｛［（Ｃ１〜Ｃ６）−アルキルアシル］メトキシ｝−３−オキソプロピル、又は１−［（Ｃ１〜Ｃ６）−アルキル］−３−｛［（Ｃ１〜Ｃ６）−アルコキシルカルボニル］−メトキシ｝−３−オキソプロピルであり、
Ｒ２〜Ｒ７は、互いに独立して、水素、（Ｃ１〜Ｃ６）アルキル、アリール、（Ｃ１〜Ｃ８）アルコキシル、（Ｃ３〜Ｃ８）シクロアルキル、Ｏにより中断された（Ｃ２〜Ｃ６）アルキル、Ｓにより中断された（Ｃ２〜Ｃ６）アルキル、又はハロゲンであり、
Ｒ８は、水素、（Ｃ１〜Ｃ６）アルキル、（Ｃ３〜Ｃ４）−アルケニル、（Ｃ３〜Ｃ４）−アルキニル、アリールメチル、２−（Ｃ１〜Ｃ６）アルコキシル−２−オキソエチル、２−（アリールメチル）−２−オキソエチル、シアノ（Ｃ１〜Ｃ６）アルキル、Ｏにより中断された（Ｃ１〜Ｃ６）アルキル、又はＳにより中断された（Ｃ１〜Ｃ６）アルキルであり、
そして
Ｙは、カルボニルである。］
【請求項３】
Ｔ１、Ｔ３、及びＴ４が、互いに独立して、水素、ニトロ、シアノ、臭素、塩素、ベンズオキシル、フェノキシ、メトキシ、エトキシ、メチル、トリフルオロメチル、エチル、ベンゾイル、アセチル、ヒドロキシル、メトキシカルボニル、エトキシカルボニル、メチルスルホニル、シアノメチルスルホニル、アセトニルスルホニル、（２−エトキシ−２−オキソエチル）スルホニル、（２−メトキシ−２−オキソエチル）スルホニル、フェニルスルホニルオキシ、フェノキシルスルホニル、エトキシルスルホニル、フェノキシルスルホニル、シアノメトキシルカルボニル、（２−エトキシ−２−オキソエチル）カルボニル、（２−メトキシ−２−オキソエチル）カルボニル、アセトニルカルボニル、又はフェナシルカルボニルであり、
Ｔ２が、水素、塩素、臭素、メトキシ、エトキシル、フェノキシ、ベンズオキシ、ニトロ、メチル、又はエチルであり、
Ｒ１が、メチル、エチル、プロピル、イソプロピル、ｎ−ブチル、イソブチル、ベンジル、２−メトキシルエチル、２−エトキシルエチル、２−アセトキシエチル、２−（プロピオニル）オキシエチル、２−（ベンゾイル）オキシエチル、シアノメチル、２−シアノエチル、３−シアノプロピル、３−（Ｃ１〜Ｃ６）アルコキシル−３−オキソプロピル、３−［Ｏにより中断された（Ｃ２〜Ｃ６）−アルコキシル］−３−オキソプロピル、２−（Ｃ１〜Ｃ６）アルキル−２−オキソエチル、２−［Ｏにより中断された（Ｃ２〜Ｃ６）−アルコキシル］−２−オキソエチル、２−（シアノメトキシ）−２−オキソエチル、３−（シアノメトキシ）−３−オキソプロピル、２−［（アリールアシル）メトキシ］−２−オキソエチル、３−［（アリールアシル）メトキシ］−３−オキソプロピル、３−（アリールメトキシ）−３−オキソプロピル、３−｛［（Ｃ１〜Ｃ６）アルキルアシル］−メトキシル｝−３−オキソプロピル、３−［（アリールアシル）−メトキシ］−３−オキソプロピル、３−｛［（Ｃ１〜Ｃ６）−アルコキシカルボニル］メトキシ｝−３−オキソプロピル、２−｛［（Ｃ１〜Ｃ６）−アルコキシカルボニル］メトキシ｝−２−オキソエチル、又は２−｛［（Ｃ１〜Ｃ６）アルキルアシル］−メトキシル｝２−オキソエチルであり、
Ｒ２〜Ｒ７が、互いに独立して、水素、臭素、塩素、エチル、又はメチルであり、
Ｒ８が、水素、メチル、エチル、プロピル、イソプロピル、２−エトキシ−２−オキソエチル、又は２−メトキシ−２−オキソエチルであり、
そして
Ｙが、カルボニルである、
式（Ｉ−ａ）を有する、請求項１又は２に記載の染料。
【請求項４】
式（Ｉ−ｂ）を有する、請求項１に記載の染料。
【化１９】
0006452170.tif 000097
［式中、
Ｔ５〜Ｔ７は、互いに独立して、水素、（Ｃ１〜Ｃ６）アルキル、（Ｃ３〜Ｃ８）シクロアルキル、Ｏにより中断された（Ｃ１〜Ｃ６）−アルキル、Ｓにより中断された（Ｃ１〜Ｃ６）−アルキル、アリール、（Ｃ１〜Ｃ６）アルコキシル、ハロゲン、シアノ、ニトロ、（Ｃ１〜Ｃ６）−アルキルアシル、アリールアシル、（Ｃ１〜Ｃ６）−アルコキシカルボニル、アリールオキシカルボニル、Ｎ−（Ｃ１〜Ｃ６）−アルキルカルバモイル、又はＮ，Ｎ−ビス（Ｃ１〜Ｃ６）−アルキルカルバモイルであるが、ここで、Ｔ５、Ｔ６、及びＴ７の内の少なくとも一つは水素ではなく、
Ｒ１は、メチル、エチル、プロピル、イソプロピル、ｎ−ブチル、イソブチル、ベンジル、２−メトキシルエチル、２−エトキシルエチル、２−アセトキシエチル、２−（プロピオニル）オキシエチル、２−（ベンゾイル）オキシエチル、シアノメチル、２−シアノエチル、３−シアノプロピル、３−（Ｃ１〜Ｃ６）アルコキシル−３−オキソプロピル、３−［Ｏにより中断された（Ｃ２〜Ｃ６）−アルコキシル］−３−オキソプロピル、２−（Ｃ１〜Ｃ６）アルキル−２−オキソエチル、２−［Ｏにより中断された（Ｃ２〜Ｃ６）−アルコキシル］−２−オキソエチル、２−（シアノメトキシ）−２−オキソエチル、３−（シアノメトキシ）−３−オキソプロピル、２−［（アリールアシル）メトキシ］−２−オキソエチル、３−［（アリールアシル）メトキシ］−３−オキソプロピル、３−（アリールメトキシ）−３−オキソプロピル、３−｛［（Ｃ１〜Ｃ６）アルキルアシル］−メトキシル｝−３−オキソプロピル、３−［（アリールアシル）−メトキシ］−３−オキソプロピル、３−｛［（Ｃ１〜Ｃ６）−アルコキシカルボニル］メトキシ｝−３−オキソプロピル、２−｛［（Ｃ１〜Ｃ６）−アルコキシカルボニル］メトキシ｝−２−オキソエチル、又は２−｛［（Ｃ１〜Ｃ６）アルキルアシル］−メトキシル｝−２−オキソエチルであり、
Ｒ２〜Ｒ７は、互いに独立して、水素、（Ｃ１〜Ｃ６）アルキル、アリール、（Ｃ１〜Ｃ８）アルコキシル、（Ｃ３〜Ｃ８）シクロアルキル、Ｏにより中断された（Ｃ２〜Ｃ６）アルキル、Ｓにより中断された（Ｃ２〜Ｃ６）アルキル、又はハロゲンであり、
Ｒ８は、水素、（Ｃ１〜Ｃ６）アルキル、（Ｃ３〜Ｃ４）−アルケニル、（Ｃ３〜Ｃ４）−アルキニル、アリールメチル、２−（Ｃ１〜Ｃ６）アルコキシル−２−オキソエチル、２−（アリールメチル）−２−オキソエチル、シアノ（Ｃ１〜Ｃ６）アルキル、Ｏにより中断された（Ｃ１〜Ｃ６）アルキル、又はＳにより中断された（Ｃ１〜Ｃ６）アルキルであり、
そして
Ｙは、カルボニルである。］
【請求項５】
式（Ｉ−ｃ）を有する、請求項１に記載の染料。
【化２０】
0006452170.tif 000098
［式中、
Ｔ８及びＴ１０は、互いに独立して、水素、フッ素、塩素、又は臭素であり、
Ｔ９は、水素、（Ｃ１〜Ｃ６）−アルキルスルホニル、チオシアノ、（Ｃ１〜Ｃ６）アルコキシ、塩素、又はニトロであり、
Ｒ１は、メチル、エチル、プロピル、イソプロピル、ｎ−ブチル、イソブチル、ベンジル、２−メトキシルエチル、２−エトキシルエチル、２−アセトキシエチル、２−（プロピオニル）オキシエチル、２−（ベンゾイル）オキシエチル、シアノメチル、２−シアノエチル、３−シアノプロピル、３−（Ｃ１〜Ｃ６）アルコキシル−３−オキソプロピル、３−［Ｏにより中断された（Ｃ２〜Ｃ６）−アルコキシル］−３−オキソプロピル、２−（Ｃ１〜Ｃ６）アルキル−２−オキソエチル、２−［Ｏにより中断された（Ｃ２〜Ｃ６）−アルコキシル］−２−オキソエチル、２−（シアノメトキシ）−２−オキソエチル、３−（シアノメトキシ）−３−オキソプロピル、２−［（アリールアシル）メトキシ］−２−オキソエチル、３−［（アリールアシル）メトキシ］−３−オキソプロピル、３−（アリールメトキシ）−３−オキソプロピル、３−｛［（Ｃ１〜Ｃ６）アルキルアシル］−メトキシル｝−３−オキソプロピル、３−［（アリールアシル）−メトキシ］−３−オキソプロピル、３−｛［（Ｃ１〜Ｃ６）−アルコキシカルボニル］メトキシ｝−３−オキソプロピル、２−｛［（Ｃ１〜Ｃ６）−アルコキシカルボニル］メトキシ｝−２−オキソエチル、又は２−｛［（Ｃ１〜Ｃ６）アルキルアシル］−メトキシル｝−２−オキソエチルであり、
Ｒ２〜Ｒ７は、互いに独立して、水素、（Ｃ１〜Ｃ６）アルキル、アリール、（Ｃ１〜Ｃ８）アルコキシル、（Ｃ３〜Ｃ８）シクロアルキル、Ｏにより中断された（Ｃ２〜Ｃ６）アルキル、Ｓにより中断された（Ｃ２〜Ｃ６）アルキル、又はハロゲンであり、
Ｒ８は、水素、（Ｃ１〜Ｃ６）アルキル、（Ｃ３〜Ｃ４）−アルケニル、（Ｃ３〜Ｃ４）−アルキニル、アリールメチル、２−（Ｃ１〜Ｃ６）アルコキシル−２−オキソエチル、２−（アリールメチル）−２−オキソエチル、シアノ（Ｃ１〜Ｃ６）アルキル、Ｏにより中断された（Ｃ１〜Ｃ６）アルキル、又はＳにより中断された（Ｃ１〜Ｃ６）アルキルであり、
そして
Ｙは、カルボニルである。］
【請求項６】
式（Ｉ−ｄ）を有する、請求項１に記載の染料。
【化２１】
0006452170.tif 000099
［式中、
Ｔ１１は、水素、ニトロ、又は臭素であり、
Ｒ１は、メチル、エチル、プロピル、イソプロピル、ｎ−ブチル、イソブチル、ベンジル、２−メトキシルエチル、２−エトキシルエチル、２−アセトキシエチル、２−（プロピオニル）オキシエチル、２−（ベンゾイル）オキシエチル、シアノメチル、２−シアノエチル、３−シアノプロピル、３−（Ｃ１〜Ｃ６）アルコキシル−３−オキソプロピル、３−［Ｏにより中断された（Ｃ２〜Ｃ６）−アルコキシル］−３−オキソプロピル、２−（Ｃ１〜Ｃ６）アルキル−２−オキソエチル、２−［Ｏにより中断された（Ｃ２〜Ｃ６）−アルコキシル］−２−オキソエチル、２−（シアノメトキシ）−２−オキソエチル、３−（シアノメトキシ）−３−オキソプロピル、２−［（アリールアシル）メトキシ］−２−オキソエチル、３−［（アリールアシル）メトキシ］−３−オキソプロピル、３−（アリールメトキシ）−３−オキソプロピル、３−｛［（Ｃ１〜Ｃ６）アルキルアシル］−メトキシル｝−３−オキソプロピル、３−［（アリールアシル）−メトキシ］−３−オキソプロピル、３−｛［（Ｃ１〜Ｃ６）−アルコキシカルボニル］メトキシ｝−３−オキソプロピル、２−｛［（Ｃ１〜Ｃ６）−アルコキシカルボニル］メトキシ｝−２−オキソエチル、又は２−｛［（Ｃ１〜Ｃ６）アルキルアシル］−メトキシル｝−２−オキソエチルであり、
Ｒ２〜Ｒ７は、互いに独立して、水素、（Ｃ１〜Ｃ６）アルキル、アリール、（Ｃ１〜Ｃ８）アルコキシル、（Ｃ３〜Ｃ８）シクロアルキル、Ｏにより中断された（Ｃ２〜Ｃ６）アルキル、Ｓにより中断された（Ｃ２〜Ｃ６）アルキル、又はハロゲンであり、
Ｒ８は、水素、（Ｃ１〜Ｃ６）アルキル、（Ｃ３〜Ｃ４）−アルケニル、（Ｃ３〜Ｃ４）−アルキニル、アリールメチル、２−（Ｃ１〜Ｃ６）アルコキシル−２−オキソエチル、２−（アリールメチル）−２−オキソエチル、シアノ（Ｃ１〜Ｃ６）アルキル、Ｏにより中断された（Ｃ１〜Ｃ６）アルキル、又はＳにより中断された（Ｃ１〜Ｃ６）アルキルであり、
そして
Ｙは、カルボニルである。］
【請求項７】
式（Ｉ−ｅ）を有する、請求項１に記載の染料。
【化２２】
0006452170.tif 000100
［式中、
Ｔ１２及びＴ１４は、互いに独立して、ニトロ、シアノ、ホルミル、アセチル、又は（Ｃ１〜Ｃ６）−アルコキシカルボニルであり
Ｔ１３は、水素、アリール、（Ｃ１〜Ｃ６）−アルキル、又はハロゲンであり、
Ｒ１は、メチル、エチル、プロピル、イソプロピル、ｎ−ブチル、イソブチル、ベンジル、２−メトキシルエチル、２−エトキシルエチル、２−アセトキシエチル、２−（プロピオニル）オキシエチル、２−（ベンゾイル）オキシエチル、シアノメチル、２−シアノエチル、３−シアノプロピル、３−（Ｃ１〜Ｃ６）アルコキシル−３−オキソプロピル、３−［Ｏにより中断された（Ｃ２〜Ｃ６）−アルコキシル］−３−オキソプロピル、２−（Ｃ１〜Ｃ６）アルキル−２−オキソエチル、２−［Ｏにより中断された（Ｃ２〜Ｃ６）−アルコキシル］−２−オキソエチル、２−（シアノメトキシ）−２−オキソエチル、３−（シアノメトキシ）−３−オキソプロピル、２−［（アリールアシル）メトキシ］−２−オキソエチル、３−［（アリールアシル）メトキシ］−３−オキソプロピル、３−（アリールメトキシ）−３−オキソプロピル、３−｛［（Ｃ１〜Ｃ６）アルキルアシル］−メトキシル｝−３−オキソプロピル、３−［（アリールアシル）−メトキシ］−３−オキソプロピル、３−｛［（Ｃ１〜Ｃ６）−アルコキシカルボニル］メトキシ｝−３−オキソプロピル、２−｛［（Ｃ１〜Ｃ６）−アルコキシカルボニル］メトキシ｝−２−オキソエチル、又は２−｛［（Ｃ１〜Ｃ６）アルキルアシル］−メトキシル｝−２−オキソエチルであり、
Ｒ２〜Ｒ７は、互いに独立して、水素、（Ｃ１〜Ｃ６）アルキル、アリール、（Ｃ１〜Ｃ８）アルコキシル、（Ｃ３〜Ｃ８）シクロアルキル、Ｏにより中断された（Ｃ２〜Ｃ６）アルキル、Ｓにより中断された（Ｃ２〜Ｃ６）アルキル、又はハロゲンであり、
Ｒ８は、水素、（Ｃ１〜Ｃ６）アルキル、（Ｃ３〜Ｃ４）−アルケニル、（Ｃ３〜Ｃ４）−アルキニル、アリールメチル、２−（Ｃ１〜Ｃ６）アルコキシル−２−オキソエチル、２−（アリールメチル）−２−オキソエチル、シアノ（Ｃ１〜Ｃ６）アルキル、Ｏにより中断された（Ｃ１〜Ｃ６）アルキル、又はＳにより中断された（Ｃ１〜Ｃ６）アルキルであり、
そして
Ｙは、カルボニルである。］
【請求項８】
式（Ｉ−ｆ）を有する、請求項１に記載の染料。
【化２３】
0006452170.tif 000101
［式中、
Ｔ１５及びＴ１６は、互いに独立して、水素、ハロゲン、（Ｃ１〜Ｃ６）−アルキル、ニトロ、シアノ、ホルミル、アセチル、（Ｃ１〜Ｃ６）−アルコキシカルボニル、Ｏにより中断された（Ｃ１〜Ｃ６）−アルキル、Ｓにより中断された（Ｃ１〜Ｃ６）−アルキル、又はアリールであり、
Ｒ１は、メチル、エチル、プロピル、イソプロピル、ｎ−ブチル、イソブチル、ベンジル、２−メトキシルエチル、２−エトキシルエチル、２−アセトキシエチル、２−（プロピオニル）オキシエチル、２−（ベンゾイル）オキシエチル、シアノメチル、２−シアノエチル、３−シアノプロピル、３−（Ｃ１〜Ｃ６）アルコキシル−３−オキソプロピル、３−［Ｏにより中断された（Ｃ２〜Ｃ６）−アルコキシル］−３−オキソプロピル、２−（Ｃ１〜Ｃ６）アルキル−２−オキソエチル、２−［Ｏにより中断された（Ｃ２〜Ｃ６）−アルコキシル］−２−オキソエチル、２−（シアノメトキシ）−２−オキソエチル、３−（シアノメトキシ）−３−オキソプロピル、２−［（アリールアシル）メトキシ］−２−オキソエチル、３−［（アリールアシル）メトキシ］−３−オキソプロピル、３−（アリールメトキシ）−３−オキソプロピル、３−｛［（Ｃ１〜Ｃ６）アルキルアシル］−メトキシル｝−３−オキソプロピル、３−［（アリールアシル）−メトキシ］−３−オキソプロピル、３−｛［（Ｃ１〜Ｃ６）−アルコキシカルボニル］メトキシ｝−３−オキソプロピル、２−｛［（Ｃ１〜Ｃ６）−アルコキシカルボニル］メトキシ｝−２−オキソエチル、又は２−｛［（Ｃ１〜Ｃ６）アルキルアシル］−メトキシル｝−２−オキソエチルであり、
Ｒ２〜Ｒ７は、互いに独立して、水素、（Ｃ１〜Ｃ６）アルキル、アリール、（Ｃ１〜Ｃ８）アルコキシル、（Ｃ３〜Ｃ８）シクロアルキル、Ｏにより中断された（Ｃ２〜Ｃ６）アルキル、Ｓにより中断された（Ｃ２〜Ｃ６）アルキル、又はハロゲンであり、
Ｒ８は、水素、（Ｃ１〜Ｃ６）アルキル、（Ｃ３〜Ｃ４）−アルケニル、（Ｃ３〜Ｃ４）−アルキニル、アリールメチル、２−（Ｃ１〜Ｃ６）アルコキシル−２−オキソエチル、２−（アリールメチル）−２−オキソエチル、シアノ（Ｃ１〜Ｃ６）アルキル、Ｏにより中断された（Ｃ１〜Ｃ６）アルキル、又はＳにより中断された（Ｃ１〜Ｃ６）アルキルであり、
そして
Ｙは、カルボニルである。］
【請求項９】
式（Ｉ−ｇ）を有する、請求項１に記載の染料。
【化２４】
0006452170.tif 000102
［式中、
Ｔ１７は、アリール、又は（Ｃ１〜Ｃ６）−チオアルコキシルであり、
Ｑは、酸素又は硫黄であり、
Ｒ１は、メチル、エチル、プロピル、イソプロピル、ｎ−ブチル、イソブチル、ベンジル、２−メトキシルエチル、２−エトキシルエチル、２−アセトキシエチル、２−（プロピオニル）オキシエチル、２−（ベンゾイル）オキシエチル、シアノメチル、２−シアノエチル、３−シアノプロピル、３−（Ｃ１〜Ｃ６）アルコキシル−３−オキソプロピル、３−［Ｏにより中断された（Ｃ２〜Ｃ６）−アルコキシル］−３−オキソプロピル、２−（Ｃ１〜Ｃ６）アルキル−２−オキソエチル、２−［Ｏにより中断された（Ｃ２〜Ｃ６）−アルコキシル］−２−オキソエチル、２−（シアノメトキシ）−２−オキソエチル、３−（シアノメトキシ）−３−オキソプロピル、２−［（アリールアシル）メトキシ］−２−オキソエチル、３−［（アリールアシル）メトキシ］−３−オキソプロピル、３−（アリールメトキシ）−３−オキソプロピル、３−｛［（Ｃ１〜Ｃ６）アルキルアシル］−メトキシル｝−３−オキソプロピル、３−［（アリールアシル）−メトキシ］−３−オキソプロピル、３−｛［（Ｃ１〜Ｃ６）−アルコキシカルボニル］メトキシ｝−３−オキソプロピル、２−｛［（Ｃ１〜Ｃ６）−アルコキシカルボニル］メトキシ｝−２−オキソエチル、又は２−｛［（Ｃ１〜Ｃ６）アルキルアシル］−メトキシル｝−２−オキソエチルであり、
Ｒ２〜Ｒ７は、互いに独立して、水素、（Ｃ１〜Ｃ６）アルキル、アリール、（Ｃ１〜Ｃ８）アルコキシル、（Ｃ３〜Ｃ８）シクロアルキル、Ｏにより中断された（Ｃ２〜Ｃ６）アルキル、Ｓにより中断された（Ｃ２〜Ｃ６）アルキル、ハロゲンであり、
Ｒ８は、水素、（Ｃ１〜Ｃ６）アルキル、（Ｃ３〜Ｃ４）−アルケニル、（Ｃ３〜Ｃ４）−アルキニル、アリールメチル、２−（Ｃ１〜Ｃ６）アルコキシル−２−オキソエチル、２−（アリールメチル）−２−オキソエチル、シアノ（Ｃ１〜Ｃ６）アルキル、Ｏにより中断された（Ｃ１〜Ｃ６）アルキル、又はＳにより中断された（Ｃ１〜Ｃ６）アルキルであり、
そして
Ｙは、カルボニルである。］
【請求項１０】
式（Ｉ−ｈ）を有する、請求項１に記載の染料。
【化２５】
0006452170.tif 000103
［式中、
Ｔ１８は、（Ｃ１〜Ｃ６）アルキル、（Ｃ１〜Ｃ６）−アシルオキシで置換された（Ｃ１〜Ｃ６）アルキル、シアノ（Ｃ１〜Ｃ６）アルキル、アリールメチル、アリールカルボニル置換された（Ｃ１〜Ｃ６）アルキル、２−（Ｃ１〜Ｃ６）アルコキシル−２−オキソエチル、Ｏにより中断された（Ｃ１〜Ｃ６）−アルキル、Ｓにより中断された（Ｃ１〜Ｃ６）−アルキル、又はアリールであり、
Ｔ１９及びＴ２０は、互いに独立して、水素、ハロゲン、シアノ、ニトロ、又はトリフルオロメチルであり、
Ｚは、カルボニル又はスルホニル残基であり、
Ｒ１は、メチル、エチル、プロピル、イソプロピル、ｎ−ブチル、イソブチル、ベンジル、２−メトキシルエチル、２−エトキシルエチル、２−アセトキシエチル、２−（プロピオニル）オキシエチル、２−（ベンゾイル）オキシエチル、シアノメチル、２−シアノエチル、３−シアノプロピル、３−（Ｃ１〜Ｃ６）アルコキシル−３−オキソプロピル、３−［Ｏにより中断された（Ｃ２〜Ｃ６）−アルコキシル］−３−オキソプロピル、２−（Ｃ１〜Ｃ６）アルキル−２−オキソエチル、２−［Ｏにより中断された（Ｃ２〜Ｃ６）−アルコキシル］−２−オキソエチル、２−（シアノメトキシ）−２−オキソエチル、３−（シアノメトキシ）−３−オキソプロピル、２−［（アリールアシル）メトキシ］−２−オキソエチル、３−［（アリールアシル）メトキシ］−３−オキソプロピル、３−（アリールメトキシ）−３−オキソプロピル、３−｛［（Ｃ１〜Ｃ６）アルキルアシル］−メトキシル｝−３−オキソプロピル、３−［（アリールアシル）−メトキシ］−３−オキソプロピル、３−｛［（Ｃ１〜Ｃ６）−アルコキシカルボニル］メトキシ｝−３−オキソプロピル、２−｛［（Ｃ１〜Ｃ６）−アルコキシカルボニル］メトキシ｝−２−オキソエチル、又は２−｛［（Ｃ１〜Ｃ６）アルキルアシル］−メトキシル｝−２−オキソエチルであり、
Ｒ２〜Ｒ７は、互いに独立して、水素、（Ｃ１〜Ｃ６）アルキル、アリール、（Ｃ１〜Ｃ８）アルコキシル、（Ｃ３〜Ｃ８）シクロアルキル、Ｏにより中断された（Ｃ２〜Ｃ６）アルキル、Ｓにより中断された（Ｃ２〜Ｃ６）アルキル、又はハロゲンであり、
Ｒ８は、水素、（Ｃ１〜Ｃ６）アルキル、（Ｃ３〜Ｃ４）−アルケニル、（Ｃ３〜Ｃ４）−アルキニル、アリールメチル、２−（Ｃ１〜Ｃ６）アルコキシル−２−オキソエチル、２−（アリールメチル）−２−オキソエチル、シアノ（Ｃ１〜Ｃ６）アルキル、Ｏにより中断された（Ｃ１〜Ｃ６）アルキル、又はＳにより中断された（Ｃ１〜Ｃ６）アルキルであり、
そして
Ｙは、カルボニルである。］
【請求項１１】
式（Ｉ−ｉ）を有する、請求項１に記載の染料。
【化２６】
0006452170.tif 000104
［式中、
Ｔ２１は、シアノ、ニトロ、又は（Ｃ１〜Ｃ６）−アルコキシカルボニルであり、
Ｔ２２は、（Ｃ１〜Ｃ６）−アルキル、水素、ハロゲン、又はアリールであり、
Ｒ１は、メチル、エチル、プロピル、イソプロピル、ｎ−ブチル、イソブチル、ベンジル、２−メトキシルエチル、２−エトキシルエチル、２−アセトキシエチル、２−（プロピオニル）オキシエチル、２−（ベンゾイル）オキシエチル、シアノメチル、２−シアノエチル、３−シアノプロピル、３−（Ｃ１〜Ｃ６）アルコキシル−３−オキソプロピル、３−［Ｏにより中断された（Ｃ２〜Ｃ６）−アルコキシル］−３−オキソプロピル、２−（Ｃ１〜Ｃ６）アルキル−２−オキソエチル、２−［Ｏにより中断された（Ｃ２〜Ｃ６）−アルコキシル］−２−オキソエチル、２−（シアノメトキシ）−２−オキソエチル、３−（シアノメトキシ）−３−オキソプロピル、２−［（アリールアシル）メトキシ］−２−オキソエチル、３−［（アリールアシル）メトキシ］−３−オキソプロピル、３−（アリールメトキシ）−３−オキソプロピル、３−｛［（Ｃ１〜Ｃ６）アルキルアシル］−メトキシル｝−３−オキソプロピル、３−［（アリールアシル）−メトキシ］−３−オキソプロピル、３−｛［（Ｃ１〜Ｃ６）−アルコキシカルボニル］メトキシ｝−３−オキソプロピル、２−｛［（Ｃ１〜Ｃ６）−アルコキシカルボニル］メトキシ｝−２−オキソエチル、又は２−｛［（Ｃ１〜Ｃ６）アルキルアシル］−メトキシル｝−２−オキソエチルであり、
Ｒ２〜Ｒ７は、互いに独立して、水素、（Ｃ１〜Ｃ６）アルキル、アリール、（Ｃ１〜Ｃ８）アルコキシル、（Ｃ３〜Ｃ８）シクロアルキル、Ｏにより中断された（Ｃ２〜Ｃ６）アルキル、Ｓにより中断された（Ｃ２〜Ｃ６）アルキル、又はハロゲンであり、
Ｒ８は、水素、（Ｃ１〜Ｃ６）アルキル、（Ｃ３〜Ｃ４）−アルケニル、（Ｃ３〜Ｃ４）−アルキニル、アリールメチル、２−（Ｃ１〜Ｃ６）アルコキシル−２−オキソエチル、２−（アリールメチル）−２−オキソエチル、シアノ（Ｃ１〜Ｃ６）アルキル、Ｏにより中断された（Ｃ１〜Ｃ６）アルキル、又はＳにより中断された（Ｃ１〜Ｃ６）アルキルであり、
そして
Ｙは、カルボニルである。］
【請求項１２】
式（Ｉ−ｊ）を有する、請求項１に記載の染料。
【化２７】
0006452170.tif 000105
［式中、
Ｔ２３及びＴ２４は、互いに独立して、シアノ、ニトロ、ハロゲン、アリール、又はトリフルオロメチルであり、
Ｔ２５は、水素、（Ｃ１〜Ｃ６）−アルキル、Ｏにより中断された（Ｃ１〜Ｃ６）−アルキル、Ｓにより中断された（Ｃ１〜Ｃ６）−アルキル、又はアリールであり、
Ｒ１は、メチル、エチル、プロピル、イソプロピル、ｎ−ブチル、イソブチル、ベンジル、２−メトキシルエチル、２−エトキシルエチル、２−アセトキシエチル、２−（プロピオニル）オキシエチル、２−（ベンゾイル）オキシエチル、シアノメチル、２−シアノエチル、３−シアノプロピル、３−（Ｃ１〜Ｃ６）アルコキシル−３−オキソプロピル、３−［Ｏにより中断された（Ｃ２〜Ｃ６）−アルコキシル］−３−オキソプロピル、２−（Ｃ１〜Ｃ６）アルキル−２−オキソエチル、２−［Ｏにより中断された（Ｃ２〜Ｃ６）−アルコキシル］−２−オキソエチル、２−（シアノメトキシ）−２−オキソエチル、３−（シアノメトキシ）−３−オキソプロピル、２−［（アリールアシル）メトキシ］−２−オキソエチル、３−［（アリールアシル）メトキシ］−３−オキソプロピル、３−（アリールメトキシ）−３−オキソプロピル、３−｛［（Ｃ１〜Ｃ６）アルキルアシル］−メトキシル｝−３−オキソプロピル、３−［（アリールアシル）−メトキシ］−３−オキソプロピル、３−｛［（Ｃ１〜Ｃ６）−アルコキシカルボニル］メトキシ｝−３−オキソプロピル、２−｛［（Ｃ１〜Ｃ６）−アルコキシカルボニル］メトキシ｝−２−オキソエチル、又は２−｛［（Ｃ１〜Ｃ６）アルキルアシル］−メトキシル｝−２−オキソエチルであり、
Ｒ２〜Ｒ７のそれぞれは、互いに独立して、水素、（Ｃ１〜Ｃ６）アルキル、アリール、（Ｃ１〜Ｃ８）アルコキシル、（Ｃ３〜Ｃ８）シクロアルキル、Ｏにより中断された（Ｃ２〜Ｃ６）アルキル、Ｓにより中断された（Ｃ２〜Ｃ６）アルキル、又はハロゲンであり、
Ｒ８は、水素、（Ｃ１〜Ｃ６）アルキル、（Ｃ３〜Ｃ４）−アルケニル、（Ｃ３〜Ｃ４）−アルキニル、アリールメチル、２−（Ｃ１〜Ｃ６）アルコキシル−２−オキソエチル、２−（アリールメチル）−２−オキソエチル、シアノ（Ｃ１〜Ｃ６）アルキル、Ｏにより中断された（Ｃ１〜Ｃ６）アルキル、又はＳにより中断された（Ｃ１〜Ｃ６）アルキルであり、
そして
Ｙは、カルボニルである。］
【請求項１３】
式（Ｉ−ｋ）を有する、請求項１に記載の染料。
【化２８】
0006452170.tif 000106
［式中、
Ｔ２６は、シアノ、ニトロ、アリール、又はトリフルオロメチルであり、
Ｔ２７は、水素、アリール、又は（Ｃ１〜Ｃ６）−アルキルであり、
Ｔ２８は、水素、（Ｃ１〜Ｃ６）−アシルオキシで置換された（Ｃ１〜Ｃ６）アルキル、シアノ（Ｃ１〜Ｃ６）アルキル、アリール、Ｏにより中断された（Ｃ１〜Ｃ６）−アルキル、又はＳにより中断された（Ｃ１〜Ｃ６）−アルキルであり、
Ｒ１は、メチル、エチル、プロピル、イソプロピル、ｎ−ブチル、イソブチル、ベンジル、２−メトキシルエチル、２−エトキシルエチル、２−アセトキシエチル、２−（プロピオニル）オキシエチル、２−（ベンゾイル）オキシエチル、シアノメチル、２−シアノエチル、３−シアノプロピル、３−（Ｃ１〜Ｃ６）アルコキシル−３−オキソプロピル、３−［Ｏにより中断された（Ｃ２〜Ｃ６）−アルコキシル］−３−オキソプロピル、２−（Ｃ１〜Ｃ６）アルキル−２−オキソエチル、２−［Ｏにより中断された（Ｃ２〜Ｃ６）−アルコキシル］−２−オキソエチル、２−（シアノメトキシ）−２−オキソエチル、３−（シアノメトキシ）−３−オキソプロピル、２−［（アリールアシル）メトキシ］−２−オキソエチル、３−［（アリールアシル）メトキシ］−３−オキソプロピル、３−（アリールメトキシ）−３−オキソプロピル、３−｛［（Ｃ１〜Ｃ６）アルキルアシル］−メトキシル｝−３−オキソプロピル、３−［（アリールアシル）−メトキシ］−３−オキソプロピル、３−｛［（Ｃ１〜Ｃ６）−アルコキシカルボニル］メトキシ｝−３−オキソプロピル、２−｛［（Ｃ１〜Ｃ６）−アルコキシカルボニル］メトキシ｝−２−オキソエチル、又は２−｛［（Ｃ１〜Ｃ６）アルキルアシル］−メトキシル｝−２−オキソエチルであり、
Ｒ２〜Ｒ７は、互いに独立して、水素、（Ｃ１〜Ｃ６）アルキル、アリール、（Ｃ１〜Ｃ８）アルコキシル、（Ｃ３〜Ｃ８）シクロアルキル、Ｏにより中断された（Ｃ２〜Ｃ６）アルキル、Ｓにより中断された（Ｃ２〜Ｃ６）アルキル、又はハロゲンであり、
Ｒ８は、水素、（Ｃ１〜Ｃ６）アルキル、（Ｃ３〜Ｃ４）−アルケニル、（Ｃ３〜Ｃ４）−アルキニル、アリールメチル、２−（Ｃ１〜Ｃ６）アルコキシル−２−オキソエチル、２−（アリールメチル）−２−オキソエチル、シアノ（Ｃ１〜Ｃ６）アルキル、Ｏにより中断された（Ｃ１〜Ｃ６）アルキル、又はＳにより中断された（Ｃ１〜Ｃ６）アルキルであり、
そして
Ｙは、カルボニルである。］
【請求項１４】
式（Ｉ−ｌ）を有する、請求項１に記載の染料。
【化２９】
0006452170.tif 000107
［式中、
Ｔ２９は、シアノ、ニトロ、アリール、又はトリフルオロメチルであり、
Ｔ３０は、水素、（Ｃ１〜Ｃ６）−アルキル、シアノ（Ｃ１〜Ｃ６）アルキル、Ｏにより中断された（Ｃ１〜Ｃ６）アルキル、Ｓにより中断された（Ｃ１〜Ｃ６）アルキル、アリール、ベンジル、（Ｃ１〜Ｃ６）−アシルオキシで置換された（Ｃ１〜Ｃ６）アルキル、又はシアノ（Ｃ１〜Ｃ６）アルキルであり、
Ｒ１は、メチル、エチル、プロピル、イソプロピル、ｎ−ブチル、イソブチル、ベンジル、２−メトキシルエチル、２−エトキシルエチル、２−アセトキシエチル、２−（プロピオニル）オキシエチル、２−（ベンゾイル）オキシエチル、シアノメチル、２−シアノエチル、３−シアノプロピル、３−（Ｃ１〜Ｃ６）アルコキシル−３−オキソプロピル、３−［Ｏにより中断された（Ｃ２〜Ｃ６）−アルコキシル］−３−オキソプロピル、２−（Ｃ１〜Ｃ６）アルキル−２−オキソエチル、２−［Ｏにより中断された（Ｃ２〜Ｃ６）−アルコキシル］−２−オキソエチル、２−（シアノメトキシ）−２−オキソエチル、３−（シアノメトキシ）−３−オキソプロピル、２−［（アリールアシル）メトキシ］−２−オキソエチル、３−［（アリールアシル）メトキシ］−３−オキソプロピル、３−（アリールメトキシ）−３−オキソプロピル、３−｛［（Ｃ１〜Ｃ６）アルキルアシル］−メトキシル｝−３−オキソプロピル、３−［（アリールアシル）−メトキシ］−３−オキソプロピル、３−｛［（Ｃ１〜Ｃ６）−アルコキシカルボニル］メトキシ｝−３−オキソプロピル、２−｛［（Ｃ１〜Ｃ６）−アルコキシカルボニル］メトキシ｝−２−オキソエチル、又は２−｛［（Ｃ１〜Ｃ６）アルキルアシル］−メトキシル｝−２−オキソエチルであり、
Ｒ２〜Ｒ７は、互いに独立して、水素、（Ｃ１〜Ｃ６）アルキル、アリール、（Ｃ１〜Ｃ８）アルコキシル、（Ｃ３〜Ｃ８）シクロアルキル、Ｏにより中断された（Ｃ２〜Ｃ６）アルキル、Ｓにより中断された（Ｃ２〜Ｃ６）アルキル、又はハロゲンであり、
Ｒ８は、水素、（Ｃ１〜Ｃ６）アルキル、（Ｃ３〜Ｃ４）−アルケニル、（Ｃ３〜Ｃ４）−アルキニル、アリールメチル、２−（Ｃ１〜Ｃ６）アルコキシル−２−オキソエチル、２−（アリールメチル）−２−オキソエチル、シアノ（Ｃ１〜Ｃ６）アルキル、Ｏにより中断された（Ｃ１〜Ｃ６）アルキル、又はＳにより中断された（Ｃ１〜Ｃ６）アルキルであり、
そして
Ｙは、カルボニルである。］
【請求項１５】
式（Ｉ−ｍ）を有する、請求項１に記載の染料。
【化３０】
0006452170.tif 000108
［式中、
Ｔ３１は、シアノ、ニトロ、アリール、又はトリフルオロメチルであり、
Ｔ３２は、水素、（Ｃ１〜Ｃ６）−アルキル、Ｏにより中断された（Ｃ１〜Ｃ６）−アルキル、Ｓにより中断された（Ｃ１〜Ｃ６）−アルキル、シアノ（Ｃ１〜Ｃ６）アルキル、アリールメチル、シアノ（Ｃ１〜Ｃ６）アルキル、又は（Ｃ１〜Ｃ６）−アシルオキシで置換された（Ｃ１〜Ｃ６）アルキルであり、
Ｔ３３は、水素又は（Ｃ１〜Ｃ６）アルキルであり、
Ｒ１は、メチル、エチル、プロピル、イソプロピル、ｎ−ブチル、イソブチル、ベンジル、２−メトキシルエチル、２−エトキシルエチル、２−アセトキシエチル、２−（プロピオニル）オキシエチル、２−（ベンゾイル）オキシエチル、シアノメチル、２−シアノエチル、３−シアノプロピル、３−（Ｃ１〜Ｃ６）アルコキシル−３−オキソプロピル、３−［Ｏにより中断された（Ｃ２〜Ｃ６）−アルコキシル］−３−オキソプロピル、２−（Ｃ１〜Ｃ６）アルキル−２−オキソエチル、２−［Ｏにより中断された（Ｃ２〜Ｃ６）−アルコキシル］−２−オキソエチル、２−（シアノメトキシ）−２−オキソエチル、３−（シアノメトキシ）−３−オキソプロピル、２−［（アリールアシル）メトキシ］−２−オキソエチル、３−［（アリールアシル）メトキシ］−３−オキソプロピル、３−（アリールメトキシ）−３−オキソプロピル、３−｛［（Ｃ１〜Ｃ６）アルキルアシル］−メトキシル｝−３−オキソプロピル、３−［（アリールアシル）−メトキシ］−３−オキソプロピル、３−｛［（Ｃ１〜Ｃ６）−アルコキシカルボニル］メトキシ｝−３−オキソプロピル、２−｛［（Ｃ１〜Ｃ６）−アルコキシカルボニル］メトキシ｝−２−オキソエチル、又は２−｛［（Ｃ１〜Ｃ６）アルキルアシル］−メトキシル｝−２−オキソエチルであり、
Ｒ２〜Ｒ７は、互いに独立して、水素、（Ｃ１〜Ｃ６）アルキル、アリール、（Ｃ１〜Ｃ８）アルコキシル、（Ｃ３〜Ｃ８）シクロアルキル、Ｏにより中断された（Ｃ２〜Ｃ６）アルキル、Ｓにより中断された（Ｃ２〜Ｃ６）アルキル、又はハロゲンであり、
Ｒ８は、水素、（Ｃ１〜Ｃ６）アルキル、（Ｃ３〜Ｃ４）−アルケニル、（Ｃ３〜Ｃ４）−アルキニル、アリールメチル、２−（Ｃ１〜Ｃ６）アルコキシル−２−オキソエチル、２−（アリールメチル）−２−オキソエチル、シアノ（Ｃ１〜Ｃ６）アルキル、Ｏにより中断された（Ｃ１〜Ｃ６）アルキル、又はＳにより中断された（Ｃ１〜Ｃ６）アルキルであり、
そして
Ｙは、カルボニルである。］
【請求項１６】
式（Ｉ−ｎ）を有する、請求項１に記載の染料。
【化３１】
0006452170.tif 000109
［式中、
Ｔ３４、Ｔ３５、及びＴ３６は、互いに独立して、水素、ハロゲン、ニトロ、シアノ、ヒドロキシル、（Ｃ１〜Ｃ６）−アルコキシルカルボニル、（Ｃ１〜Ｃ６）−アルキル、又はアシルであり、
Ｒ１は、メチル、エチル、プロピル、イソプロピル、ｎ−ブチル、イソブチル、ベンジル、２−メトキシルエチル、２−エトキシルエチル、２−アセトキシエチル、２−（プロピオニル）オキシエチル、２−（ベンゾイル）オキシエチル、シアノメチル、２−シアノエチル、３−シアノプロピル、３−（Ｃ１〜Ｃ６）アルコキシル−３−オキソプロピル、３−［Ｏにより中断された（Ｃ２〜Ｃ６）−アルコキシル］−３−オキソプロピル、２−（Ｃ１〜Ｃ６）アルキル−２−オキソエチル、２−［Ｏにより中断された（Ｃ２〜Ｃ６）−アルコキシル］−２−オキソエチル、２−（シアノメトキシ）−２−オキソエチル、３−（シアノメトキシ）−３−オキソプロピル、２−［（アリールアシル）メトキシ］−２−オキソエチル、３−［（アリールアシル）メトキシ］−３−オキソプロピル、３−（アリールメトキシ）−３−オキソプロピル、３−｛［（Ｃ１〜Ｃ６）アルキルアシル］−メトキシル｝−３−オキソプロピル、３−［（アリールアシル）−メトキシ］−３−オキソプロピル、３−｛［（Ｃ１〜Ｃ６）−アルコキシカルボニル］メトキシ｝−３−オキソプロピル、２−｛［（Ｃ１〜Ｃ６）−アルコキシカルボニル］メトキシ｝−２−オキソエチル、又は２−｛［（Ｃ１〜Ｃ６）アルキルアシル］−メトキシル｝−２−オキソエチルであり、
Ｒ２〜Ｒ７は、互いに独立して、水素、（Ｃ１〜Ｃ６）アルキル、アリール、（Ｃ１〜Ｃ８）アルコキシル、（Ｃ３〜Ｃ８）シクロアルキル、Ｏにより中断された（Ｃ２〜Ｃ６）アルキル、Ｓにより中断された（Ｃ２〜Ｃ６）アルキル、又はハロゲンであり、
Ｒ８は、水素、（Ｃ１〜Ｃ６）アルキル、（Ｃ３〜Ｃ４）−アルケニル、（Ｃ３〜Ｃ４）−アルキニル、アリールメチル、２−（Ｃ１〜Ｃ６）アルコキシル−２−オキソエチル、２−（アリールメチル）−２−オキソエチル、シアノ（Ｃ１〜Ｃ６）アルキル、Ｏにより中断された（Ｃ１〜Ｃ６）アルキル、又はＳにより中断された（Ｃ１〜Ｃ６）アルキルであり、
そして
Ｙは、カルボニルである。］
【請求項１７】
式（Ｉ−ｏ）を有する、請求項１に記載の染料。
【化３２】
0006452170.tif 000110
［式中、
Ｔ３７は、ニトロ、水素、又はハロゲンであり、
Ｒ１は、メチル、エチル、プロピル、イソプロピル、ｎ−ブチル、イソブチル、ベンジル、２−メトキシルエチル、２−エトキシルエチル、２−アセトキシエチル、２−（プロピオニル）オキシエチル、２−（ベンゾイル）オキシエチル、シアノメチル、２−シアノエチル、３−シアノプロピル、３−（Ｃ１〜Ｃ６）アルコキシル−３−オキソプロピル、３−［Ｏにより中断された（Ｃ２〜Ｃ６）−アルコキシル］−３−オキソプロピル、２−（Ｃ１〜Ｃ６）アルキル−２−オキソエチル、２−［Ｏにより中断された（Ｃ２〜Ｃ６）−アルコキシル］−２−オキソエチル、２−（シアノメトキシ）−２−オキソエチル、３−（シアノメトキシ）−３−オキソプロピル、２−［（アリールアシル）メトキシ］−２−オキソエチル、３−［（アリールアシル）メトキシ］−３−オキソプロピル、３−（アリールメトキシ）−３−オキソプロピル、３−｛［（Ｃ１〜Ｃ６）アルキルアシル］−メトキシル｝−３−オキソプロピル、３−［（アリールアシル）−メトキシ］−３−オキソプロピル、３−｛［（Ｃ１〜Ｃ６）−アルコキシカルボニル］メトキシ｝−３−オキソプロピル、２−｛［（Ｃ１〜Ｃ６）−アルコキシカルボニル］メトキシ｝−２−オキソエチル、又は２−｛［（Ｃ１〜Ｃ６）アルキルアシル］−メトキシル｝−２−オキソエチルであり、
Ｒ２〜Ｒ７は、互いに独立して、水素、（Ｃ１〜Ｃ６）アルキル、アリール、（Ｃ１〜Ｃ８）アルコキシル、（Ｃ３〜Ｃ８）シクロアルキル、Ｏにより中断された（Ｃ２〜Ｃ６）アルキル、Ｓにより中断された（Ｃ２〜Ｃ６）アルキル、又はハロゲンであり、
Ｒ８は、水素、（Ｃ１〜Ｃ６）アルキル、（Ｃ３〜Ｃ４）−アルケニル、（Ｃ３〜Ｃ４）−アルキニル、アリールメチル、２−（Ｃ１〜Ｃ６）アルコキシル−２−オキソエチル、２−（アリールメチル）−２−オキソエチル、シアノ（Ｃ１〜Ｃ６）アルキル、Ｏにより中断された（Ｃ１〜Ｃ６）アルキル、又はＳにより中断された（Ｃ１〜Ｃ６）アルキルであり、
そして
Ｙは、カルボニルである。］
【請求項１８】
式（Ｉ）を有する染料を製造するためのプロセスであって、
ａ）一般式（ＸＤ）の化合物をジアゾ化する工程、
Ｄ−ＮＨ２      （ＸＤ）
［式中、Ｄは請求項１において定義されたものである］、
及び
ｂ）そのようにして得られた相当するジアゾニウム塩を、式（ＸＣ）の化合物と反応させる工程、
【化３３】
0006452170.tif 000111
［式中、Ｒ１〜Ｒ８及びＹは、それぞれ請求項１において定義されたものである］
を含む、プロセス。
【請求項１９】
疎水性材料を染色及び捺染するための、請求項１に記載の染料の使用。
【発明の詳細な説明】
【技術分野】
【０００１】
本発明は、カップリング成分としてテトラヒドロキノリン誘導体を含む分散アゾ染料、そのような染料を調製するためのプロセス、並びに半合成及び合成の疎水性繊維材料、特に織物材料の染色又は捺染におけるそれらの使用に関する。
【背景技術】
【０００２】
カップリング成分としての置換されたテトラヒドロキノリン誘導体から誘導されるアゾ化合物が、ノンテクスタイル染着たとえば細胞染色のために使用される光活性化が可能な染料（たとえば、特許文献１）、感光性物質のための染料（たとえば、特許文献２）、又はケラチン繊維を染色するためのカチオン染料（たとえば、特許文献３）などのための中間体として使用されることは、公知である。特許文献４からも、チオアゾリル−アゾ−テトラヒドロキノリンの特定の群もまた、織物の染色に有用であることが知られている。そして、次式の構造物が、
【化１】
0006452170.tif 000002
光活性化が可能な染料への中間体として、それぞれ特許文献１の、ｐ．１３及び２４にそれぞれ開示されている。しかしながら、織物の染色のため、特に赤色色素のための使用は、たとえば次式の構造物、
【化２】
0006452170.tif 000003
（これは、Ｃ．Ｉ．Ｄｉｓｐｅｒｓｅ  Ｒｅｄ  ３６９として一般的に知られている）、又は次の化合物をベースとする染料である。
【化３】
0006452170.tif 000004
【先行技術文献】
【特許文献】
【０００３】
【特許文献１】国際公開第２００９／０３６３５１号パンフレット
【特許文献２】特開２００５−３０５８３５号公報
【特許文献３】国際公開第２００８／０３４６５０号パンフレット
【特許文献４】米国特許第３，６９９，０９２号明細書
【発明の概要】
【課題を解決するための手段】
【０００４】
驚くべきことには、式（Ｉ）の分散染料が、織物材料を染色及び捺染するための公知の分散染料よりも、はるかに有利な性質を示すことが、今や見いだされた。そのような優れた性質としては、吸尽プロセス及びサーモゾルプロセスの両方において、そして織物捺染における、優れた湿時の接触堅牢性、良好なビルドアップ性、昇華性、及び耐光堅牢性が挙げられる。
【０００５】
本発明は、式（Ｉ）の染料及びそれらの混合物に関する。
【化４】
0006452170.tif 000005
［式中、
Ｙは、一般式（ＩＩ）〜（ＩＶ）の基であり、
【化５】
0006452170.tif 000006
Ｒ１は、アルキル、アルケニル、シクロアルキル、アリール、ヘテロアリール、ヘテロシクロアルキルであるか、
又は
酸素及び硫黄からなる群より選択される１個又は複数のヘテロ原子によって中断されたアルキルであるか、
又は
ヒドロキシ、アリール、シクロアルキル、アルコキシ、チオアルコキシ、アミノ、Ｎ−モノアルキル−アミノ、Ｎ，Ｎ−ジアルキル−アミノ、Ｎ−モノアリール−アミノ、Ｎ，Ｎ−ジアリール−アミノ、Ｎ−アルキル−Ｎ−アリール−アミノ、Ｎ−モノシクロアルキル−アミノ、Ｎ，Ｎ−ジシクロアルキル−アミノ、Ｎ−モノアルキル−モノシクロアルキル−アミノ、Ｎ，Ｎ−モノアリール−モノシクロアルキル−アミノ、Ｎ−アシルアミノ、Ｎ−アルキルスルホニル−アミノ、ハロゲン、シアノ、チオシアノ、ニトロ、アシル、チオアシル、アルキルスルホニル、アリーロイル、トリフルオロメチル、ヘテロアリール、ヘテロシクロアルキル、アルコキシチオカルボニル、アシルオキシ、アリーロイルオキシ、カルバモイル、Ｎ−モノシクロアルキル−カルバモイル、Ｎ−モノアルキル−カルバモイル、Ｎ，Ｎ−ジシクロアルキル−カルバモイル、Ｎ，Ｎ−ジアルキル−カルバモイル、Ｎ−モノアリール−カルバモイル、Ｎ，Ｎ−ジアリール−カルバモイル、Ｎ−モノシクロアルキル−Ｎ−モノアリールカルバモイル、Ｎ−モノアルキル−Ｎ−モノアリール−カルバモイル、スルファモイル、Ｎ−モノシクロアルキル−スルファモイル、Ｎ−モノアルキル−スルファモイル、Ｎ，Ｎ−ジシクロアルキル−スルファモイル、Ｎ，Ｎ−ジアルキル−スルファモイル、Ｎ−モノアリール−スルファモイル、Ｎ，Ｎ−ジアリール−スルファモイル、Ｎ−モノシクロアルキル−Ｎ−モノアリールスルファモイル、Ｎ−モノアルキル−Ｎ−モノアリールスルファモイル、アリールスルホニルオキシ、アルキルスルホニルオキシ、アリールオキシスルホニル、アルコキシルスルホニル、及びＣＯＯＲ１２からなる群より選択される１種又は複数の置換基によって置換されたアルキルであるか、
又は
酸素及び硫黄からなる群より選択される１個又は複数のヘテロ原子によって中断され、そしてヒドロキシ、アリール、シクロアルキル、アルコキシ、チオアルコキシ、アミノ、Ｎ−モノアルキル−アミノ、Ｎ，Ｎ−ジアルキル−アミノ、Ｎ−モノアリール−アミノ、Ｎ，Ｎ−ジアリール−アミノ、Ｎ−アルキル−Ｎ−アリール−アミノ、Ｎ−モノシクロアルキル−アミノ、Ｎ，Ｎ−ジシクロアルキル−アミノ、Ｎ−モノアルキル−モノシクロアルキル−アミノ、Ｎ，Ｎ−モノアリール−モノシクロアルキル−アミノ、Ｎ−アシルアミノ、Ｎ−アルキルスルホニル−アミノ、ハロゲン、シアノ、チオシアノ、ニトロ、アシル、チオアシル、アルキルスルホニル、アリーロイル、トリフルオロメチル、ヘテロアリール、ヘテロシクロアルキル、アルコキシチオカルボニル、アシルオキシ、アリーロイルオキシ、カルバモイル、Ｎ−モノシクロアルキル−カルバモイル、Ｎ−モノアルキル−カルバモイル、Ｎ，Ｎ−ジシクロアルキル−カルバモイル、Ｎ，Ｎ−ジアルキル−カルバモイル、Ｎ−モノアリール−カルバモイル、Ｎ，Ｎ−ジアリール−カルバモイル、Ｎ−モノシクロアルキル−Ｎ−モノアリールカルバモイル、Ｎ−モノアルキル−Ｎ−モノアリール−カルバモイル、スルファモイル、Ｎ−モノシクロアルキル−スルファモイル、Ｎ−モノアルキル−スルファモイル、Ｎ，Ｎ−ジシクロアルキル−スルファモイル、Ｎ，Ｎ−ジアルキル−スルファモイル、Ｎ−モノアリール−スルファモイル、Ｎ，Ｎ−ジアリール−スルファモイル、Ｎ−モノシクロアルキル−Ｎ−モノアリールスルファモイル、Ｎ−モノアルキル−Ｎ−モノアリールスルファモイル、アリールスルホニルオキシ、アルキルスルホニルオキシ、アリールオキシスルホニル、アルコキシルスルホニル、及びＣＯＯＲ１２からなる群より選択される１種又は複数の置換基によって置換されたアルキルであるか、
又は
ヒドロキシ、アリール、シクロアルキル、アルコキシ、チオアルコキシ、アミノ、Ｎ−モノアルキル−アミノ、Ｎ，Ｎ−ジアルキル−アミノ、Ｎ−モノアリール−アミノ、Ｎ，Ｎ−ジアリール−アミノ、Ｎ−アルキル−Ｎ−アリール−アミノ、Ｎ−モノシクロアルキル−アミノ、Ｎ，Ｎ−ジシクロアルキル−アミノ、Ｎ−モノアルキル−モノシクロアルキル−アミノ、Ｎ，Ｎ−モノアリール−モノシクロアルキル−アミノ、Ｎ−アシルアミノ、Ｎ−アルキルスルホニル−アミノ、チオシアノ、ハロゲン、シアノ、ニトロ、アシル、チオアシル、アルキルスルホニル、アリーロイル、トリフルオロメチル、ヘテロアリール、ヘテロシクロアルキル、アルコキシカルボニル、アルコキシチオカルボニル、アシルオキシ、アリーロイルオキシ、カルバモイル、Ｎ−モノシクロアルキル−カルバモイル、Ｎ−モノアルキル−カルバモイル、Ｎ，Ｎ−ジシクロアルキル−カルバモイル、Ｎ，Ｎ−ジアルキル−カルバモイル、Ｎ−モノアリール−カルバモイル、Ｎ，Ｎ−ジアリール−カルバモイル、Ｎ−モノシクロアルキル−Ｎ−モノアリールカルバモイル、Ｎ−モノアルキル−Ｎ−モノアリール−カルバモイル、スルファモイル、Ｎ−モノシクロアルキル−スルファモイル、Ｎ−モノアルキル−スルファモイル、Ｎ，Ｎ−ジシクロアルキル−スルファモイル、Ｎ，Ｎ−ジアルキル−スルファモイル、Ｎ−モノアリール−スルファモイル、Ｎ，Ｎ−ジアリール−スルファモイル、Ｎ−モノシクロアルキル−Ｎ−モノアリールスルファモイル、Ｎ−モノアルキル−Ｎ−モノアリールスルファモイル、アリールスルホニルオキシ、アルキルスルホニルオキシ、アリールオキシスルホニル、アルコキシルスルホニル、及びＣＯＯＲ１２からなる群より選択される１種又は複数の置換基によって置換されたアリールであり、
Ｒ２〜Ｒ８は、互いに独立して、水素、アルキル、アリール、アルコキシル、シクロアルキル、ハロゲンであるか、
又は
酸素及び硫黄からなる群より選択される１個又は複数のヘテロ原子によって中断されたアルキルであるか、
又は
ヒドロキシ、アリール、シクロアルキル、アルコキシ、チオアルコキシ、アミノ、Ｎ−モノアルキル−アミノ、Ｎ，Ｎ−ジアルキル−アミノ、Ｎ−モノアリール−アミノ、Ｎ，Ｎ−ジアリール−アミノ、Ｎ−アルキル−Ｎ−アリール−アミノ、Ｎ−モノシクロアルキル−アミノ、Ｎ，Ｎ−ジシクロアルキル−アミノ、Ｎ−モノアルキル−モノシクロアルキル−アミノ、Ｎ，Ｎ−モノアリール−モノシクロアルキル−アミノ、Ｎ−アシルアミノ、Ｎ−アルキルスルホニル−アミノ、ハロゲン、シアノ、チオシアノ、ニトロ、アシル、チオアシル、アルキルスルホニル、アリーロイル、トリフルオロメチル、ヘテロアリール、ヘテロシクロアルキル、アルコキシカルボニル、アルコキシチオカルボニル、アシルオキシ、アリーロイルオキシ、カルバモイル、Ｎ−モノシクロアルキル−カルバモイル、Ｎ−モノアルキル−カルバモイル、Ｎ，Ｎ−ジシクロアルキル−カルバモイル、Ｎ，Ｎ−ジアルキル−カルバモイル、Ｎ−モノアリール−カルバモイル、Ｎ，Ｎ−ジアリール−カルバモイル、Ｎ−モノシクロアルキル−Ｎ−モノアリールカルバモイル、Ｎ−モノアルキル−Ｎ−モノアリール−カルバモイル、スルファモイル、Ｎ−モノシクロアルキル−スルファモイル、Ｎ−モノアルキル−スルファモイル、Ｎ，Ｎ−ジシクロアルキル−スルファモイル、Ｎ，Ｎ−ジアルキル−スルファモイル、Ｎ−モノアリール−スルファモイル、Ｎ，Ｎ−ジアリール−スルファモイル、Ｎ−モノシクロアルキル−Ｎ−モノアリールスルファモイル、Ｎ−モノアルキル−Ｎ−モノアリールスルファモイル、アリールスルホニルオキシ、アルキルスルホニルオキシ、アリールオキシスルホニル、アルコキシルスルホニル、及びＣＯＯＲ１２からなる群より選択される１種又は複数の置換基によって置換されたアルキルであるか、
又は
酸素及び硫黄からなる群より選択される１個又は複数のヘテロ原子によって中断され、そしてヒドロキシ、アリール、シクロアルキル、アルコキシ、チオアルコキシ、アミノ、Ｎ−モノアルキル−アミノ、Ｎ，Ｎ−ジアルキル−アミノ、Ｎ−モノアリール−アミノ、Ｎ，Ｎ−ジアリール−アミノ、Ｎ−アルキル−Ｎ−アリール−アミノ、Ｎ−モノシクロアルキル−アミノ、Ｎ，Ｎ−ジシクロアルキル−アミノ、Ｎ−モノアルキル−モノシクロアルキル−アミノ、Ｎ，Ｎ−モノアリール−モノシクロアルキル−アミノ、Ｎ−アシルアミノ、Ｎ−アルキルスルホニル−アミノ、ハロゲン、シアノ、チオシアノ、ニトロ、アシル、チオアシル、アルキルスルホニル、アリーロイル、トリフルオロメチル、ヘテロアリール、ヘテロシクロアルキル、アルコキシカルボニル、アルコキシチオカルボニル、アシルオキシ、アリーロイルオキシ、カルバモイル、Ｎ−モノシクロアルキル−カルバモイル、Ｎ−モノアルキル−カルバモイル、Ｎ，Ｎ−ジシクロアルキル−カルバモイル、Ｎ，Ｎ−ジアルキル−カルバモイル、Ｎ−モノアリール−カルバモイル、Ｎ，Ｎ−ジアリール−カルバモイル、Ｎ−モノシクロアルキル−Ｎ−モノアリールカルバモイル、Ｎ−モノアルキル−Ｎ−モノアリール−カルバモイル、スルファモイル、Ｎ−モノシクロアルキル−スルファモイル、Ｎ−モノアルキル−スルファモイル、Ｎ，Ｎ−ジシクロアルキル−スルファモイル、Ｎ，Ｎ−ジアルキル−スルファモイル、Ｎ−モノアリール−スルファモイル、Ｎ，Ｎ−ジアリール−スルファモイル、Ｎ−モノシクロアルキル−Ｎ−モノアリールスルファモイル、Ｎ−モノアルキル−Ｎ−モノアリールスルファモイル、アリールスルホニルオキシ、アルキルスルホニルオキシ、アリールオキシスルホニル、アルコキシルスルホニル、及びＣＯＯＲ１２からなる群より選択される１種又は複数の置換基によって置換されたアルキルであるか、
又は
ヒドロキシ、アリール、シクロアルキル、アルコキシ、チオアルコキシ、アミノ、Ｎ−モノアルキル−アミノ、Ｎ，Ｎ−ジアルキル−アミノ、Ｎ−モノアリール−アミノ、Ｎ，Ｎ−ジアリール−アミノ、Ｎ−アルキル−Ｎ−アリール−アミノ、Ｎ−モノシクロアルキル−アミノ、Ｎ，Ｎ−ジシクロアルキル−アミノ、Ｎ−モノアルキル−モノシクロアルキル−アミノ、Ｎ，Ｎ−モノアリール−モノシクロアルキル−アミノ、Ｎ−アシルアミノ、Ｎ−アルキルスルホニル−アミノ、チオシアノ、ハロゲン、シアノ、ニトロ、アシル、チオアシル、アルキルスルホニル、アリーロイル、トリフルオロメチル、ヘテロアリール、ヘテロシクロアルキル、アルコキシカルボニル、アルコキシチオカルボニル、アシルオキシ、アリーロイルオキシ、カルバモイル、Ｎ−モノシクロアルキル−カルバモイル、Ｎ−モノアルキル−カルバモイル、Ｎ，Ｎ−ジシクロアルキル−カルバモイル、Ｎ，Ｎ−ジアルキル−カルバモイル、Ｎ−モノアリール−カルバモイル、Ｎ，Ｎ−ジアリール−カルバモイル、Ｎ−モノシクロアルキル−Ｎ−モノアリールカルバモイル、Ｎ−モノアルキル−Ｎ−モノアリール−カルバモイル、スルファモイル、Ｎ−モノシクロアルキル−スルファモイル、Ｎ−モノアルキル−スルファモイル、Ｎ，Ｎ−ジシクロアルキル−スルファモイル、Ｎ，Ｎ−ジアルキル−スルファモイル、Ｎ−モノアリール−スルファモイル、Ｎ，Ｎ−ジアリール−スルファモイル、Ｎ−モノシクロアルキル−Ｎ−モノアリールスルファモイル、Ｎ−モノアルキル−Ｎ−モノアリールスルファモイル、アリールスルホニルオキシ、アルキルスルホニルオキシ、アリールオキシスルホニル、アルコキシルスルホニル、及びＣＯＯＲ１２からなる群より選択される１種又は複数の置換基によって置換されたアリールであり、
Ｒ９は、アルキル、アリール、シクロアルキル、酸素及び硫黄からなる群より選択される１個又は複数のヘテロ原子によって中断されたアルキルであるか、
又は
ヒドロキシ、アリール、シクロアルキル、アルコキシ、チオアルコキシ、アミノ、Ｎ−モノアルキル−アミノ、Ｎ，Ｎ−ジアルキル−アミノ、Ｎ−モノアリール−アミノ、Ｎ，Ｎ−ジアリール−アミノ、Ｎ−アルキル−Ｎ−アリール−アミノ、Ｎ−モノシクロアルキル−アミノ、Ｎ，Ｎ−ジシクロアルキル−アミノ、Ｎ−モノアルキル−モノシクロアルキル−アミノ、Ｎ，Ｎ−モノアリール−モノシクロアルキル−アミノ、Ｎ−アシルアミノ、Ｎ−アルキルスルホニル−アミノ、ハロゲン、シアノ、チオシアノ、ニトロ、アシル、チオアシル、アルキルスルホニル、アリーロイル、トリフルオロメチル、ヘテロアリール、ヘテロシクロアルキル、アルコキシカルボニル、アルコキシチオカルボニル、アシルオキシ、アリーロイルオキシ、カルバモイル、Ｎ−モノシクロアルキル−カルバモイル、Ｎ−モノアルキル−カルバモイル、Ｎ，Ｎ−ジシクロアルキル−カルバモイル、Ｎ，Ｎ−ジアルキル−カルバモイル、Ｎ−モノアリール−カルバモイル、Ｎ，Ｎ−ジアリール−カルバモイル、Ｎ−モノシクロアルキル−Ｎ−モノアリールカルバモイル、Ｎ−モノアルキル−Ｎ−モノアリール−カルバモイル、スルファモイル、Ｎ−モノシクロアルキル−スルファモイル、Ｎ−モノアルキル−スルファモイル、Ｎ，Ｎ−ジシクロアルキル−スルファモイル、Ｎ，Ｎ−ジアルキル−スルファモイル、Ｎ−モノアリール−スルファモイル、Ｎ，Ｎ−ジアリール−スルファモイル、Ｎ−モノシクロアルキル−Ｎ−モノアリールスルファモイル、Ｎ−モノアルキル−Ｎ−モノアリールスルファモイル、アリールスルホニルオキシ、アルキルスルホニルオキシ、アリールオキシスルホニル、アルコキシルスルホニル、及びＣＯＯＲ１２からなる群より選択される１種又は複数の置換基によって置換されたアルキルであるか、
又は
酸素及び硫黄からなる群より選択される１個又は複数のヘテロ原子によって中断され、そしてヒドロキシ、アリール、シクロアルキル、アルコキシ、チオアルコキシ、アミノ、Ｎ−モノアルキル−アミノ、Ｎ，Ｎ−ジアルキル−アミノ、Ｎ−モノアリール−アミノ、Ｎ，Ｎ−ジアリール−アミノ、Ｎ−アルキル−Ｎ−アリール−アミノ、Ｎ−モノシクロアルキル−アミノ、Ｎ，Ｎ−ジシクロアルキル−アミノ、Ｎ−モノアルキル−モノシクロアルキル−アミノ、Ｎ，Ｎ−モノアリール−モノシクロアルキル−アミノ、Ｎ−アシルアミノ、Ｎ−アルキルスルホニル−アミノ、ハロゲン、シアノ、チオシアノ、ニトロ、アシル、チオアシル、アルキルスルホニル、アリーロイル、トリフルオロメチル、ヘテロアリール、ヘテロシクロアルキル、アルコキシカルボニル、アルコキシチオカルボニル、アシルオキシ、アリーロイルオキシ、カルバモイル、Ｎ−モノシクロアルキル−カルバモイル、Ｎ−モノアルキル−カルバモイル、Ｎ，Ｎ−ジシクロアルキル−カルバモイル、Ｎ，Ｎ−ジアルキル−カルバモイル、Ｎ−モノアリール−カルバモイル、Ｎ，Ｎ−ジアリール−カルバモイル、Ｎ−モノシクロアルキル−Ｎ−モノアリールカルバモイル、Ｎ−モノアルキル−Ｎ−モノアリール−カルバモイル、スルファモイル、Ｎ−モノシクロアルキル−スルファモイル、Ｎ−モノアルキル−スルファモイル、Ｎ，Ｎ−ジシクロアルキル−スルファモイル、Ｎ，Ｎ−ジアルキル−スルファモイル、Ｎ−モノアリール−スルファモイル、Ｎ，Ｎ−ジアリール−スルファモイル、Ｎ−モノシクロアルキル−Ｎ−モノアリールスルファモイル、Ｎ−モノアルキル−Ｎ−モノアリールスルファモイル、アリールスルホニルオキシ、アルキルスルホニルオキシ、アリールオキシスルホニル、アルコキシルスルホニル、及びＣＯＯＲ１２からなる群より選択される１種又は複数の置換基によって置換されたアルキルであるか、
又は
ヒドロキシ、アリール、シクロアルキル、アルコキシ、チオアルコキシ、アミノ、Ｎ−モノアルキル−アミノ、Ｎ，Ｎ−ジアルキル−アミノ、Ｎ−モノアリール−アミノ、Ｎ，Ｎ−ジアリール−アミノ、Ｎ−アルキル−Ｎ−アリール−アミノ、Ｎ−モノシクロアルキル−アミノ、Ｎ，Ｎ−ジシクロアルキル−アミノ、Ｎ−モノアルキル−モノシクロアルキル−アミノ、Ｎ，Ｎ−モノアリール−モノシクロアルキル−アミノ、Ｎ−アシルアミノ、Ｎ−アルキルスルホニル−アミノ、チオシアノ、ハロゲン、シアノ、ニトロ、アシル、チオアシル、アルキルスルホニル、アリーロイル、トリフルオロメチル、ヘテロアリール、ヘテロシクロアルキル、アルコキシカルボニル、アルコキシチオカルボニル、アシルオキシ、アリーロイルオキシ、カルバモイル、Ｎ−モノシクロアルキル−カルバモイル、Ｎ−モノアルキル−カルバモイル、Ｎ，Ｎ−ジシクロアルキル−カルバモイル、Ｎ，Ｎ−ジアルキル−カルバモイル、Ｎ−モノアリール−カルバモイル、Ｎ，Ｎ−ジアリール−カルバモイル、Ｎ−モノシクロアルキル−Ｎ−モノアリールカルバモイル、Ｎ−モノアルキル−Ｎ−モノアリール−カルバモイル、スルファモイル、Ｎ−モノシクロアルキル−スルファモイル、Ｎ−モノアルキル−スルファモイル、Ｎ，Ｎ−ジシクロアルキル−スルファモイル、Ｎ，Ｎ−ジアルキル−スルファモイル、Ｎ−モノアリール−スルファモイル、Ｎ，Ｎ−ジアリール−スルファモイル、Ｎ−モノシクロアルキル−Ｎ−モノアリールスルファモイル、Ｎ−モノアルキル−Ｎ−モノアリールスルファモイル、アリールスルホニルオキシ、アルキルスルホニルオキシ、アリールオキシスルホニル、アルコキシルスルホニル、及びＣＯＯＲ１２からなる群より選択される１種又は複数の置換基によって置換されたアリールであり、
Ｄは、式（ＶＩ）の基を表すか、
【化６】
0006452170.tif 000007
［式中、
Ｔ１〜Ｔ４は、互いに独立して、水素、アルキル、シクロアルキル、アルケニル、アルキニル、アリール、アルコキシル、ハロゲン、シアノ、ニトロ、アシル、アリーロイル、アリールスルホニル、アルキルスルホニル、Ｎ−モノアルキル−スルファモイル、Ｎ，Ｎ−ジアルキル−スルファモイル、アルコキシルカルボニル、アリールオキシカルボニル、Ｎ−モノアルキル−カルバモイル、Ｎ，Ｎ−ジアルキル−カルバモイル、アリーロイルオキシ、アシルオキシ、アリールオキシ、チオシアノ、ヒドロキシル、アリールメトキシ、アリールスルホニルオキシ、アルキルスルホニルオキシ、アリールオキシスルホニル、−［（アルコキシカルボニル）−メトキシル］カルボニル、［（アリールオキシカルボニル）−メトキシル］カルボニル、［（アルキルアシル）−メトキシ］カルボニル、［（アリールアシル）−メトキシ］カルボニル、トリフルオロメチルであるか、
又は
酸素及び硫黄からなる群より選択される１個又は複数のヘテロ原子によって中断されたアルキルであるか、
又は
ヒドロキシ、アリール、シクロアルキル、アルコキシ、チオアルコキシ、アミノ、Ｎ−モノアルキル−アミノ、Ｎ，Ｎ−ジアルキル−アミノ、Ｎ−モノアリール−アミノ、Ｎ，Ｎ−ジアリール−アミノ、Ｎ−アルキル−Ｎ−アリール−アミノ、Ｎ−モノシクロアルキル−アミノ、Ｎ，Ｎ−ジシクロアルキル−アミノ、Ｎ−モノアルキル−モノシクロアルキル−アミノ、Ｎ，Ｎ−モノアリール−モノシクロアルキル−アミノ、Ｎ−アシルアミノ、Ｎ−アルキルスルホニル−アミノ、ハロゲン、シアノ、チオシアノ、ニトロ、アシル、チオアシル、アルキルスルホニル、アリーロイル、トリフルオロメチル、ヘテロアリール、ヘテロシクロアルキル、アルコキシカルボニル、アルコキシチオカルボニル、アシルオキシ、アリーロイルオキシ、カルバモイル、Ｎ−モノシクロアルキル−カルバモイル、Ｎ−モノアルキル−カルバモイル、Ｎ，Ｎ−ジシクロアルキル−カルバモイル、Ｎ，Ｎ−ジアルキル−カルバモイル、Ｎ−モノアリール−カルバモイル、Ｎ，Ｎ−ジアリール−カルバモイル、Ｎ−モノシクロアルキル−Ｎ−モノアリールカルバモイル、Ｎ−モノアルキル−Ｎ−モノアリール−カルバモイル、スルファモイル、Ｎ−モノシクロアルキル−スルファモイル、Ｎ−モノアルキル−スルファモイル、Ｎ，Ｎ−ジシクロアルキル−スルファモイル、Ｎ，Ｎ−ジアルキル−スルファモイル、Ｎ−モノアリール−スルファモイル、Ｎ，Ｎ−ジアリール−スルファモイル、Ｎ−モノシクロアルキル−Ｎ−モノアリールスルファモイル、Ｎ−モノアルキル−Ｎ−モノアリールスルファモイル、アリールスルホニルオキシ、アルキルスルホニルオキシ、アリールオキシスルホニル、アルコキシルスルホニル、及びＣＯＯＲ１２からなる群より選択される１種又は複数の置換基によって置換されたアルキルであるか、
又は
酸素及び硫黄からなる群より選択される１個又は複数のヘテロ原子によって中断され、そしてヒドロキシ、アリール、シクロアルキル、アルコキシ、チオアルコキシ、アミノ、Ｎ−モノアルキル−アミノ、Ｎ，Ｎ−ジアルキル−アミノ、Ｎ−モノアリール−アミノ、Ｎ，Ｎ−ジアリール−アミノ、Ｎ−アルキル−Ｎ−アリール−アミノ、Ｎ−モノシクロアルキル−アミノ、Ｎ，Ｎ−ジシクロアルキル−アミノ、Ｎ−モノアルキル−モノシクロアルキル−アミノ、Ｎ，Ｎ−モノアリール−モノシクロアルキル−アミノ、Ｎ−アシルアミノ、Ｎ−アルキルスルホニル−アミノ、ハロゲン、シアノ、チオシアノ、ニトロ、アシル、チオアシル、アルキルスルホニル、アリーロイル、トリフルオロメチル、ヘテロアリール、ヘテロシクロアルキル、アルコキシカルボニル、アルコキシチオカルボニル、アシルオキシ、アリーロイルオキシ、カルバモイル、Ｎ−モノシクロアルキル−カルバモイル、Ｎ−モノアルキル−カルバモイル、Ｎ，Ｎ−ジシクロアルキル−カルバモイル、Ｎ，Ｎ−ジアルキル−カルバモイル、Ｎ−モノアリール−カルバモイル、Ｎ，Ｎ−ジアリール−カルバモイル、Ｎ−モノシクロアルキル−Ｎ−モノアリールカルバモイル、Ｎ−モノアルキル−Ｎ−モノアリール−カルバモイル、スルファモイル、Ｎ−モノシクロアルキル−スルファモイル、Ｎ−モノアルキル−スルファモイル、Ｎ，Ｎ−ジシクロアルキル−スルファモイル、Ｎ，Ｎ−ジアルキル−スルファモイル、Ｎ−モノアリール−スルファモイル、Ｎ，Ｎ−ジアリール−スルファモイル、Ｎ−モノシクロアルキル−Ｎ−モノアリールスルファモイル、Ｎ−モノアルキル−Ｎ−モノアリールスルファモイル、アリールスルホニルオキシ、アルキルスルホニルオキシ、アリールオキシスルホニル、アルコキシルスルホニル、及びＣＯＯＲ１２からなる群より選択される１種又は複数の置換基によって置換されたアルキルであるか、
又は
ヒドロキシ、アリール、シクロアルキル、アルコキシ、チオアルコキシ、アミノ、Ｎ−モノアルキル−アミノ、Ｎ，Ｎ−ジアルキル−アミノ、Ｎ−モノアリール−アミノ、Ｎ，Ｎ−ジアリール−アミノ、Ｎ−アルキル−Ｎ−アリール−アミノ、Ｎ−モノシクロアルキル−アミノ、Ｎ，Ｎ−ジシクロアルキル−アミノ、Ｎ−モノアルキル−モノシクロアルキル−アミノ、Ｎ，Ｎ−モノアリール−モノシクロアルキル−アミノ、Ｎ−アシルアミノ、Ｎ−アルキルスルホニル−アミノ、チオシアノ、ハロゲン、シアノ、ニトロ、アシル、チオアシル、アルキルスルホニル、アリーロイル、トリフルオロメチル、ヘテロアリール、ヘテロシクロアルキル、アルコキシカルボニル、アルコキシチオカルボニル、アシルオキシ、アリーロイルオキシ、カルバモイル、Ｎ−モノシクロアルキル−カルバモイル、Ｎ−モノアルキル−カルバモイル、Ｎ，Ｎ−ジシクロアルキル−カルバモイル、Ｎ，Ｎ−ジアルキル−カルバモイル、Ｎ−モノアリール−カルバモイル、Ｎ，Ｎ−ジアリール−カルバモイル、Ｎ−モノシクロアルキル−Ｎ−モノアリールカルバモイル、Ｎ−モノアルキル−Ｎ−モノアリール−カルバモイル、スルファモイル、Ｎ−モノシクロアルキル−スルファモイル、Ｎ−モノアルキル−スルファモイル、Ｎ，Ｎ−ジシクロアルキル−スルファモイル、Ｎ，Ｎ−ジアルキル−スルファモイル、Ｎ−モノアリール−スルファモイル、Ｎ，Ｎ−ジアリール−スルファモイル、Ｎ−モノシクロアルキル−Ｎ−モノアリールスルファモイル、Ｎ−モノアルキル−Ｎ−モノアリールスルファモイル、アリールスルホニルオキシ、アルキルスルホニルオキシ、アリールオキシスルホニル、アルコキシルスルホニル、及びＣＯＯＲ１２からなる群より選択される１種又は複数の置換基によって置換されたアリールであり、
ここでＴ１、Ｔ２、Ｔ３、及びＴ４の内の少なくとも一つは水素ではない］
又は
Ｄは、式（ＶＩＩ）の基を表すか、
【化７】
0006452170.tif 000008
［式中、
Ｔ５〜Ｔ７は、互いに独立して、水素、アルキル、シクロアルキル、アルケニル、アルキニル、アリール、アルコキシル、ハロゲン、シアノ、ニトロ、アシル、アリールアシル、アルコキシカルボニル、アリールオキシカルボニル、［（アルコキシカルボニル）−メトキシル］カルボニル、［（アリールオキシカルボニル）−メトキシル］カルボニル、［（アルキルアシル）−メトキシ］カルボニル、［（アリールアシル）−メトキシ］カルボニル、Ｎ−モノアルキル−カルバモイル、Ｎ，Ｎ−ジアルキル−カルバモイルであるか、
又は
酸素及び硫黄からなる群より選択される１個又は複数のヘテロ原子によって中断されたアルキルであるか、
又は
ヒドロキシ、アリール、シクロアルキル、アルコキシ、チオアルコキシ、アミノ、Ｎ−モノアルキル−アミノ、Ｎ，Ｎ−ジアルキル−アミノ、Ｎ−モノアリール−アミノ、Ｎ，Ｎ−ジアリール−アミノ、Ｎ−アルキル−Ｎ−アリール−アミノ、Ｎ−モノシクロアルキル−アミノ、Ｎ，Ｎ−ジシクロアルキル−アミノ、Ｎ−モノアルキル−モノシクロアルキル−アミノ、Ｎ，Ｎ−モノアリール−モノシクロアルキル−アミノ、Ｎ−アシルアミノ、Ｎ−アルキルスルホニル−アミノ、ハロゲン、シアノ、チオシアノ、ニトロ、アシル、チオアシル、アルキルスルホニル、アリーロイル、トリフルオロメチル、ヘテロアリール、ヘテロシクロアルキル、アルコキシカルボニル、アルコキシチオカルボニル、アシルオキシ、アリーロイルオキシ、カルバモイル、Ｎ−モノシクロアルキル−カルバモイル、Ｎ−モノアルキル−カルバモイル、Ｎ，Ｎ−ジシクロアルキル−カルバモイル、Ｎ，Ｎ−ジアルキル−カルバモイル、Ｎ−モノアリール−カルバモイル、Ｎ，Ｎ−ジアリール−カルバモイル、Ｎ−モノシクロアルキル−Ｎ−モノアリールカルバモイル、Ｎ−モノアルキル−Ｎ−モノアリール−カルバモイル、スルファモイル、Ｎ−モノシクロアルキル−スルファモイル、Ｎ−モノアルキル−スルファモイル、Ｎ，Ｎ−ジシクロアルキル−スルファモイル、Ｎ，Ｎ−ジアルキル−スルファモイル、Ｎ−モノアリール−スルファモイル、Ｎ，Ｎ−ジアリール−スルファモイル、Ｎ−モノシクロアルキル−Ｎ−モノアリールスルファモイル、Ｎ−モノアルキル−Ｎ−モノアリールスルファモイル、アリールスルホニルオキシ、アルキルスルホニルオキシ、アリールオキシスルホニル、アルコキシルスルホニル、及びＣＯＯＲ１２からなる群より選択される１種又は複数の置換基によって置換されたアルキルであるか、
又は
酸素及び硫黄からなる群より選択される１個又は複数のヘテロ原子によって中断され、そしてヒドロキシ、アリール、シクロアルキル、アルコキシ、チオアルコキシ、アミノ、Ｎ−モノアルキル−アミノ、Ｎ，Ｎ−ジアルキル−アミノ、Ｎ−モノアリール−アミノ、Ｎ，Ｎ−ジアリール−アミノ、Ｎ−アルキル−Ｎ−アリール−アミノ、Ｎ−モノシクロアルキル−アミノ、Ｎ，Ｎ−ジシクロアルキル−アミノ、Ｎ−モノアルキル−モノシクロアルキル−アミノ、Ｎ，Ｎ−モノアリール−モノシクロアルキル−アミノ、Ｎ−アシルアミノ、Ｎ−アルキルスルホニル−アミノ、ハロゲン、シアノ、チオシアノ、ニトロ、アシル、チオアシル、アルキルスルホニル、アリーロイル、トリフルオロメチル、ヘテロアリール、ヘテロシクロアルキル、アルコキシカルボニル、アルコキシチオカルボニル、アシルオキシ、アリーロイルオキシ、カルバモイル、Ｎ−モノシクロアルキル−カルバモイル、Ｎ−モノアルキル−カルバモイル、Ｎ，Ｎ−ジシクロアルキル−カルバモイル、Ｎ，Ｎ−ジアルキル−カルバモイル、Ｎ−モノアリール−カルバモイル、Ｎ，Ｎ−ジアリール−カルバモイル、Ｎ−モノシクロアルキル−Ｎ−モノアリールカルバモイル、Ｎ−モノアルキル−Ｎ−モノアリール−カルバモイル、スルファモイル、Ｎ−モノシクロアルキル−スルファモイル、Ｎ−モノアルキル−スルファモイル、Ｎ，Ｎ−ジシクロアルキル−スルファモイル、Ｎ，Ｎ−ジアルキル−スルファモイル、Ｎ−モノアリール−スルファモイル、Ｎ，Ｎ−ジアリール−スルファモイル、Ｎ−モノシクロアルキル−Ｎ−モノアリールスルファモイル、Ｎ−モノアルキル−Ｎ−モノアリールスルファモイル、アリールスルホニルオキシ、アルキルスルホニルオキシ、アリールオキシスルホニル、アルコキシルスルホニル、及びＣＯＯＲ１２からなる群より選択される１種又は複数の置換基によって置換されたアルキルであるか、
又は
ヒドロキシ、アリール、シクロアルキル、アルコキシ、チオアルコキシ、アミノ、Ｎ−モノアルキル−アミノ、Ｎ，Ｎ−ジアルキル−アミノ、Ｎ−モノアリール−アミノ、Ｎ，Ｎ−ジアリール−アミノ、Ｎ−アルキル−Ｎ−アリール−アミノ、Ｎ−モノシクロアルキル−アミノ、Ｎ，Ｎ−ジシクロアルキル−アミノ、Ｎ−モノアルキル−モノシクロアルキル−アミノ、Ｎ，Ｎ−モノアリール−モノシクロアルキル−アミノ、Ｎ−アシルアミノ、Ｎ−アルキルスルホニル−アミノ、チオシアノ、ハロゲン、シアノ、ニトロ、アシル、チオアシル、アルキルスルホニル、アリーロイル、トリフルオロメチル、ヘテロアリール、ヘテロシクロアルキル、アルコキシカルボニル、アルコキシチオカルボニル、アシルオキシ、アリーロイルオキシ、カルバモイル、Ｎ−モノシクロアルキル−カルバモイル、Ｎ−モノアルキル−カルバモイル、Ｎ，Ｎ−ジシクロアルキル−カルバモイル、Ｎ，Ｎ−ジアルキル−カルバモイル、Ｎ−モノアリール−カルバモイル、Ｎ，Ｎ−ジアリール−カルバモイル、Ｎ−モノシクロアルキル−Ｎ−モノアリールカルバモイル、Ｎ−モノアルキル−Ｎ−モノアリール−カルバモイル、スルファモイル、Ｎ−モノシクロアルキル−スルファモイル、Ｎ−モノアルキル−スルファモイル、Ｎ，Ｎ−ジシクロアルキル−スルファモイル、Ｎ，Ｎ−ジアルキル−スルファモイル、Ｎ−モノアリール−スルファモイル、Ｎ，Ｎ−ジアリール−スルファモイル、Ｎ−モノシクロアルキル−Ｎ−モノアリールスルファモイル、Ｎ−モノアルキル−Ｎ−モノアリールスルファモイル、アリールスルホニルオキシ、アルキルスルホニルオキシ、アリールオキシスルホニル、アルコキシルスルホニル、及びＣＯＯＲ１２からなる群より選択される１種又は複数の置換基によって置換されたアリールであり、
ここで、Ｔ５、Ｔ６、及びＴ７の内の少なくとも一つは水素ではない］
又は
Ｄは、式（ＶＩＩＩ）の基を表すか、
【化８】
0006452170.tif 000009
［式中、
Ｕは、酸素、硫黄、又はＮ−Ｒ１５であり、
Ｔ８及びＴ１０は、互いに独立して、水素、フッ素、塩素、又は臭素であり、
Ｔ９は、水素、アルキルスルホニル、チオシアノ、アルコキシ、ハロゲン、又はニトロであり、
Ｒ１５は、アルキル、アリール、又はシクロアルキルである］
又は
Ｄは、式（ＩＸ）の基を表すか、
【化９】
0006452170.tif 000010
［式中、
Ｔ１１は、水素、ニトロ、又はハロゲンである］
又は
Ｄは、式（Ｘ）の基を表すか、
【化１０】
0006452170.tif 000011
［式中、
Ｔ１２及びＴ１４は、互いに独立して、ニトロ、シアノ、アシル、又はアルコキシカルボニルであり、
Ｔ１３は、水素、アリール、アルキル、ハロゲンであるか、
又は
酸素及び硫黄からなる群より選択される１個又は複数のヘテロ原子によって中断されたアルキルであるか、
又は
ヒドロキシ、アリール、シクロアルキル、アルコキシ、チオアルコキシ、アミノ、Ｎ−モノアルキル−アミノ、Ｎ，Ｎ−ジアルキル−アミノ、Ｎ−モノアリール−アミノ、Ｎ，Ｎ−ジアリール−アミノ、Ｎ−アルキル−Ｎ−アリール−アミノ、Ｎ−モノシクロアルキル−アミノ、Ｎ，Ｎ−ジシクロアルキル−アミノ、Ｎ−モノアルキル−モノシクロアルキル−アミノ、Ｎ，Ｎ−モノアリール−モノシクロアルキル−アミノ、Ｎ−アシルアミノ、Ｎ−アルキルスルホニル−アミノ、ハロゲン、シアノ、チオシアノ、ニトロ、アシル、チオアシル、アルキルスルホニル、アリーロイル、トリフルオロメチル、ヘテロアリール、ヘテロシクロアルキル、アルコキシカルボニル、アルコキシチオカルボニル、アシルオキシ、アリーロイルオキシ、カルバモイル、Ｎ−モノシクロアルキル−カルバモイル、Ｎ−モノアルキル−カルバモイル、Ｎ，Ｎ−ジシクロアルキル−カルバモイル、Ｎ，Ｎ−ジアルキル−カルバモイル、Ｎ−モノアリール−カルバモイル、Ｎ，Ｎ−ジアリール−カルバモイル、Ｎ−モノシクロアルキル−Ｎ−モノアリールカルバモイル、Ｎ−モノアルキル−Ｎ−モノアリール−カルバモイル、スルファモイル、Ｎ−モノシクロアルキル−スルファモイル、Ｎ−モノアルキル−スルファモイル、Ｎ，Ｎ−ジシクロアルキル−スルファモイル、Ｎ，Ｎ−ジアルキル−スルファモイル、Ｎ−モノアリール−スルファモイル、Ｎ，Ｎ−ジアリール−スルファモイル、Ｎ−モノシクロアルキル−Ｎ−モノアリールスルファモイル、Ｎ−モノアルキル−Ｎ−モノアリールスルファモイル、アリールスルホニルオキシ、アルキルスルホニルオキシ、アリールオキシスルホニル、アルコキシルスルホニル、及びＣＯＯＲ１２からなる群より選択される１種又は複数の置換基によって置換されたアルキルであるか、
又は
酸素及び硫黄からなる群より選択される１個又は複数のヘテロ原子によって中断され、そしてヒドロキシ、アリール、シクロアルキル、アルコキシ、チオアルコキシ、アミノ、Ｎ−モノアルキル−アミノ、Ｎ，Ｎ−ジアルキル−アミノ、Ｎ−モノアリール−アミノ、Ｎ，Ｎ−ジアリール−アミノ、Ｎ−アルキル−Ｎ−アリール−アミノ、Ｎ−モノシクロアルキル−アミノ、Ｎ，Ｎ−ジシクロアルキル−アミノ、Ｎ−モノアルキル−モノシクロアルキル−アミノ、Ｎ，Ｎ−モノアリール−モノシクロアルキル−アミノ、Ｎ−アシルアミノ、Ｎ−アルキルスルホニル−アミノ、ハロゲン、シアノ、チオシアノ、ニトロ、アシル、チオアシル、アルキルスルホニル、アリーロイル、トリフルオロメチル、ヘテロアリール、ヘテロシクロアルキル、アルコキシカルボニル、アルコキシチオカルボニル、アシルオキシ、アリーロイルオキシ、カルバモイル、Ｎ−モノシクロアルキル−カルバモイル、Ｎ−モノアルキル−カルバモイル、Ｎ，Ｎ−ジシクロアルキル−カルバモイル、Ｎ，Ｎ−ジアルキル−カルバモイル、Ｎ−モノアリール−カルバモイル、Ｎ，Ｎ−ジアリール−カルバモイル、Ｎ−モノシクロアルキル−Ｎ−モノアリールカルバモイル、Ｎ−モノアルキル−Ｎ−モノアリール−カルバモイル、スルファモイル、Ｎ−モノシクロアルキル−スルファモイル、Ｎ−モノアルキル−スルファモイル、Ｎ，Ｎ−ジシクロアルキル−スルファモイル、Ｎ，Ｎ−ジアルキル−スルファモイル、Ｎ−モノアリール−スルファモイル、Ｎ，Ｎ−ジアリール−スルファモイル、Ｎ−モノシクロアルキル−Ｎ−モノアリールスルファモイル、Ｎ−モノアルキル−Ｎ−モノアリールスルファモイル、アリールスルホニルオキシ、アルキルスルホニルオキシ、アリールオキシスルホニル、アルコキシルスルホニル、及びＣＯＯＲ１２からなる群より選択される１種又は複数の置換基によって置換されたアルキルであるか、
又は
ヒドロキシ、アリール、シクロアルキル、アルコキシ、チオアルコキシ、アミノ、Ｎ−モノアルキル−アミノ、Ｎ，Ｎ−ジアルキル−アミノ、Ｎ−モノアリール−アミノ、Ｎ，Ｎ−ジアリール−アミノ、Ｎ−アルキル−Ｎ−アリール−アミノ、Ｎ−モノシクロアルキル−アミノ、Ｎ，Ｎ−ジシクロアルキル−アミノ、Ｎ−モノアルキル−モノシクロアルキル−アミノ、Ｎ，Ｎ−モノアリール−モノシクロアルキル−アミノ、Ｎ−アシルアミノ、Ｎ−アルキルスルホニル−アミノ、チオシアノ、ハロゲン、シアノ、ニトロ、アシル、チオアシル、アルキルスルホニル、アリーロイル、トリフルオロメチル、ヘテロアリール、ヘテロシクロアルキル、アルコキシカルボニル、アルコキシチオカルボニル、アシルオキシ、アリーロイルオキシ、カルバモイル、Ｎ−モノシクロアルキル−カルバモイル、Ｎ−モノアルキル−カルバモイル、Ｎ，Ｎ−ジシクロアルキル−カルバモイル、Ｎ，Ｎ−ジアルキル−カルバモイル、Ｎ−モノアリール−カルバモイル、Ｎ，Ｎ−ジアリール−カルバモイル、Ｎ−モノシクロアルキル−Ｎ−モノアリールカルバモイル、Ｎ−モノアルキル−Ｎ−モノアリール−カルバモイル、スルファモイル、Ｎ−モノシクロアルキル−スルファモイル、Ｎ−モノアルキル−スルファモイル、Ｎ，Ｎ−ジシクロアルキル−スルファモイル、Ｎ，Ｎ−ジアルキル−スルファモイル、Ｎ−モノアリール−スルファモイル、Ｎ，Ｎ−ジアリール−スルファモイル、Ｎ−モノシクロアルキル−Ｎ−モノアリールスルファモイル、Ｎ−モノアルキル−Ｎ−モノアリールスルファモイル、アリールスルホニルオキシ、アルキルスルホニルオキシ、アリールオキシスルホニル、アルコキシルスルホニル、及びＣＯＯＲ１２からなる群より選択される１種又は複数の置換基によって置換されたアリールである］
又は
Ｄは、式（ＸＩ）の基を表すか、
【化１１】
0006452170.tif 000012
［式中、
Ｔ１５及びＴ１６は、互いに独立して、水素、ハロゲン、アルキル、ニトロ、シアノ、アシル、アルコキシカルボニル、アリールであるか、
又は
酸素及び硫黄からなる群より選択される１個又は複数のヘテロ原子によって中断されたアルキルであるか、
又は
ヒドロキシ、アリール、シクロアルキル、アルコキシ、チオアルコキシ、アミノ、Ｎ−モノアルキル−アミノ、Ｎ，Ｎ−ジアルキル−アミノ、Ｎ−モノアリール−アミノ、Ｎ，Ｎ−ジアリール−アミノ、Ｎ−アルキル−Ｎ−アリール−アミノ、Ｎ−モノシクロアルキル−アミノ、Ｎ，Ｎ−ジシクロアルキル−アミノ、Ｎ−モノアルキル−モノシクロアルキル−アミノ、Ｎ，Ｎ−モノアリール−モノシクロアルキル−アミノ、Ｎ−アシルアミノ、Ｎ−アルキルスルホニル−アミノ、ハロゲン、シアノ、チオシアノ、ニトロ、アシル、チオアシル、アルキルスルホニル、アリーロイル、トリフルオロメチル、ヘテロアリール、ヘテロシクロアルキル、アルコキシカルボニル、アルコキシチオカルボニル、アシルオキシ、アリーロイルオキシ、カルバモイル、Ｎ−モノシクロアルキル−カルバモイル、Ｎ−モノアルキル−カルバモイル、Ｎ，Ｎ−ジシクロアルキル−カルバモイル、Ｎ，Ｎ−ジアルキル−カルバモイル、Ｎ−モノアリール−カルバモイル、Ｎ，Ｎ−ジアリール−カルバモイル、Ｎ−モノシクロアルキル−Ｎ−モノアリールカルバモイル、Ｎ−モノアルキル−Ｎ−モノアリール−カルバモイル、スルファモイル、Ｎ−モノシクロアルキル−スルファモイル、Ｎ−モノアルキル−スルファモイル、Ｎ，Ｎ−ジシクロアルキル−スルファモイル、Ｎ，Ｎ−ジアルキル−スルファモイル、Ｎ−モノアリール−スルファモイル、Ｎ，Ｎ−ジアリール−スルファモイル、Ｎ−モノシクロアルキル−Ｎ−モノアリールスルファモイル、Ｎ−モノアルキル−Ｎ−モノアリールスルファモイル、アリールスルホニルオキシ、アルキルスルホニルオキシ、アリールオキシスルホニル、アルコキシルスルホニル、及びＣＯＯＲ１２からなる群より選択される１種又は複数の置換基によって置換されたアルキルであるか、
又は
酸素及び硫黄からなる群より選択される１個又は複数のヘテロ原子によって中断され、そしてヒドロキシ、アリール、シクロアルキル、アルコキシ、チオアルコキシ、アミノ、Ｎ−モノアルキル−アミノ、Ｎ，Ｎ−ジアルキル−アミノ、Ｎ−モノアリール−アミノ、Ｎ，Ｎ−ジアリール−アミノ、Ｎ−アルキル−Ｎ−アリール−アミノ、Ｎ−モノシクロアルキル−アミノ、Ｎ，Ｎ−ジシクロアルキル−アミノ、Ｎ−モノアルキル−モノシクロアルキル−アミノ、Ｎ，Ｎ−モノアリール−モノシクロアルキル−アミノ、Ｎ−アシルアミノ、Ｎ−アルキルスルホニル−アミノ、ハロゲン、シアノ、チオシアノ、ニトロ、アシル、チオアシル、アルキルスルホニル、アリーロイル、トリフルオロメチル、ヘテロアリール、ヘテロシクロアルキル、アルコキシカルボニル、アルコキシチオカルボニル、アシルオキシ、アリーロイルオキシ、カルバモイル、Ｎ−モノシクロアルキル−カルバモイル、Ｎ−モノアルキル−カルバモイル、Ｎ，Ｎ−ジシクロアルキル−カルバモイル、Ｎ，Ｎ−ジアルキル−カルバモイル、Ｎ−モノアリール−カルバモイル、Ｎ，Ｎ−ジアリール−カルバモイル、Ｎ−モノシクロアルキル−Ｎ−モノアリールカルバモイル、Ｎ−モノアルキル−Ｎ−モノアリール−カルバモイル、スルファモイル、Ｎ−モノシクロアルキル−スルファモイル、Ｎ−モノアルキル−スルファモイル、Ｎ，Ｎ−ジシクロアルキル−スルファモイル、Ｎ，Ｎ−ジアルキル−スルファモイル、Ｎ−モノアリール−スルファモイル、Ｎ，Ｎ−ジアリール−スルファモイル、Ｎ−モノシクロアルキル−Ｎ−モノアリールスルファモイル、Ｎ−モノアルキル−Ｎ−モノアリールスルファモイル、アリールスルホニルオキシ、アルキルスルホニルオキシ、アリールオキシスルホニル、アルコキシルスルホニル、及びＣＯＯＲ１２からなる群より選択される１種又は複数の置換基によって置換されたアルキルであるか、
又は
ヒドロキシ、アリール、シクロアルキル、アルコキシ、チオアルコキシ、アミノ、Ｎ−モノアルキル−アミノ、Ｎ，Ｎ−ジアルキル−アミノ、Ｎ−モノアリール−アミノ、Ｎ，Ｎ−ジアリール−アミノ、Ｎ−アルキル−Ｎ−アリール−アミノ、Ｎ−モノシクロアルキル−アミノ、Ｎ，Ｎ−ジシクロアルキル−アミノ、Ｎ−モノアルキル−モノシクロアルキル−アミノ、Ｎ，Ｎ−モノアリール−モノシクロアルキル−アミノ、Ｎ−アシルアミノ、Ｎ−アルキルスルホニル−アミノ、チオシアノ、ハロゲン、シアノ、ニトロ、アシル、チオアシル、アルキルスルホニル、アリーロイル、トリフルオロメチル、ヘテロアリール、ヘテロシクロアルキル、アルコキシカルボニル、アルコキシチオカルボニル、アシルオキシ、アリーロイルオキシ、カルバモイル、Ｎ−モノシクロアルキル−カルバモイル、Ｎ−モノアルキル−カルバモイル、Ｎ，Ｎ−ジシクロアルキル−カルバモイル、Ｎ，Ｎ−ジアルキル−カルバモイル、Ｎ−モノアリール−カルバモイル、Ｎ，Ｎ−ジアリール−カルバモイル、Ｎ−モノシクロアルキル−Ｎ−モノアリールカルバモイル、Ｎ−モノアルキル−Ｎ−モノアリール−カルバモイル、スルファモイル、Ｎ−モノシクロアルキル−スルファモイル、Ｎ−モノアルキル−スルファモイル、Ｎ，Ｎ−ジシクロアルキル−スルファモイル、Ｎ，Ｎ−ジアルキル−スルファモイル、Ｎ−モノアリール−スルファモイル、Ｎ，Ｎ−ジアリール−スルファモイル、Ｎ−モノシクロアルキル−Ｎ−モノアリールスルファモイル、Ｎ−モノアルキル−Ｎ−モノアリールスルファモイル、アリールスルホニルオキシ、アルキルスルホニルオキシ、アリールオキシスルホニル、アルコキシルスルホニル、及びＣＯＯＲ１２からなる群より選択される１種又は複数の置換基によって置換されたアリールであるが、
ここで、Ｔ１５及びＴ１６の少なくとも一つは、水素ではない］
又は
Ｄは、式（ＸＩＩ）の基を表すか、
【化１２】
0006452170.tif 000013
［式中、
Ｔ１７は、アリール、チオアルコキシルであるか、
又は
ヒドロキシ、アリール、シクロアルキル、アルコキシ、チオアルコキシ、アミノ、Ｎ−モノアルキル−アミノ、Ｎ，Ｎ−ジアルキル−アミノ、Ｎ−モノアリール−アミノ、Ｎ，Ｎ−ジアリール−アミノ、Ｎ−アルキル−Ｎ−アリール−アミノ、Ｎ−モノシクロアルキル−アミノ、Ｎ，Ｎ−ジシクロアルキル−アミノ、Ｎ−モノアルキル−モノシクロアルキル−アミノ、Ｎ，Ｎ−モノアリール−モノシクロアルキル−アミノ、Ｎ−アシルアミノ、Ｎ−アルキルスルホニル−アミノ、チオシアノ、ハロゲン、シアノ、ニトロ、アシル、チオアシル、アルキルスルホニル、アリーロイル、トリフルオロメチル、ヘテロアリール、ヘテロシクロアルキル、アルコキシカルボニル、アルコキシチオカルボニル、アシルオキシ、アリーロイルオキシ、カルバモイル、Ｎ−モノシクロアルキル−カルバモイル、Ｎ−モノアルキル−カルバモイル、Ｎ，Ｎ−ジシクロアルキル−カルバモイル、Ｎ，Ｎ−ジアルキル−カルバモイル、Ｎ−モノアリール−カルバモイル、Ｎ，Ｎ−ジアリール−カルバモイル、Ｎ−モノシクロアルキル−Ｎ−モノアリールカルバモイル、Ｎ−モノアルキル−Ｎ−モノアリール−カルバモイル、スルファモイル、Ｎ−モノシクロアルキル−スルファモイル、Ｎ−モノアルキル−スルファモイル、Ｎ，Ｎ−ジシクロアルキル−スルファモイル、Ｎ，Ｎ−ジアルキル−スルファモイル、Ｎ−モノアリール−スルファモイル、Ｎ，Ｎ−ジアリール−スルファモイル、Ｎ−モノシクロアルキル−Ｎ−モノアリールスルファモイル、Ｎ−モノアルキル−Ｎ−モノアリールスルファモイル、アリールスルホニルオキシ、アルキルスルホニルオキシ、アリールオキシスルホニル、アルコキシルスルホニル、及びＣＯＯＲ１２からなる群より選択される１種又は複数の置換基によって置換されたアリールであり、
Ｑは、酸素又は硫黄である］
又は
Ｄは、式（ＸＩＩＩ）の基を表すか、
【化１３】
0006452170.tif 000014
［式中、
Ｔ１８は、アルキル、アルケニル、アリールであるか、
又は
酸素及び硫黄からなる群より選択される１個又は複数のヘテロ原子によって中断されたアルキルであるか、
又は
ヒドロキシ、アリール、シクロアルキル、アルコキシ、チオアルコキシ、アミノ、Ｎ−モノアルキル−アミノ、Ｎ，Ｎ−ジアルキル−アミノ、Ｎ−モノアリール−アミノ、Ｎ，Ｎ−ジアリール−アミノ、Ｎ−アルキル−Ｎ−アリール−アミノ、Ｎ−モノシクロアルキル−アミノ、Ｎ，Ｎ−ジシクロアルキル−アミノ、Ｎ−モノアルキル−モノシクロアルキル−アミノ、Ｎ，Ｎ−モノアリール−モノシクロアルキル−アミノ、Ｎ−アシルアミノ、Ｎ−アルキルスルホニル−アミノ、ハロゲン、シアノ、チオシアノ、ニトロ、アシル、チオアシル、アルキルスルホニル、アリーロイル、トリフルオロメチル、ヘテロアリール、ヘテロシクロアルキル、アルコキシカルボニル、アルコキシチオカルボニル、アシルオキシ、アリーロイルオキシ、カルバモイル、Ｎ−モノシクロアルキル−カルバモイル、Ｎ−モノアルキル−カルバモイル、Ｎ，Ｎ−ジシクロアルキル−カルバモイル、Ｎ，Ｎ−ジアルキル−カルバモイル、Ｎ−モノアリール−カルバモイル、Ｎ，Ｎ−ジアリール−カルバモイル、Ｎ−モノシクロアルキル−Ｎ−モノアリールカルバモイル、Ｎ−モノアルキル−Ｎ−モノアリール−カルバモイル、スルファモイル、Ｎ−モノシクロアルキル−スルファモイル、Ｎ−モノアルキル−スルファモイル、Ｎ，Ｎ−ジシクロアルキル−スルファモイル、Ｎ，Ｎ−ジアルキル−スルファモイル、Ｎ−モノアリール−スルファモイル、Ｎ，Ｎ−ジアリール−スルファモイル、Ｎ−モノシクロアルキル−Ｎ−モノアリールスルファモイル、Ｎ−モノアルキル−Ｎ−モノアリールスルファモイル、アリールスルホニルオキシ、アルキルスルホニルオキシ、アリールオキシスルホニル、アルコキシルスルホニル、及びＣＯＯＲ１２からなる群より選択される１種又は複数の置換基によって置換されたアルキルであるか、
又は
酸素及び硫黄からなる群より選択される１個又は複数のヘテロ原子によって中断され、そしてヒドロキシ、アリール、シクロアルキル、アルコキシ、チオアルコキシ、アミノ、Ｎ−モノアルキル−アミノ、Ｎ，Ｎ−ジアルキル−アミノ、Ｎ−モノアリール−アミノ、Ｎ，Ｎ−ジアリール−アミノ、Ｎ−アルキル−Ｎ−アリール−アミノ、Ｎ−モノシクロアルキル−アミノ、Ｎ，Ｎ−ジシクロアルキル−アミノ、Ｎ−モノアルキル−モノシクロアルキル−アミノ、Ｎ，Ｎ−モノアリール−モノシクロアルキル−アミノ、Ｎ−アシルアミノ、Ｎ−アルキルスルホニル−アミノ、ハロゲン、シアノ、チオシアノ、ニトロ、アシル、チオアシル、アルキルスルホニル、アリーロイル、トリフルオロメチル、ヘテロアリール、ヘテロシクロアルキル、アルコキシカルボニル、アルコキシチオカルボニル、アシルオキシ、アリーロイルオキシ、カルバモイル、Ｎ−モノシクロアルキル−カルバモイル、Ｎ−モノアルキル−カルバモイル、Ｎ，Ｎ−ジシクロアルキル−カルバモイル、Ｎ，Ｎ−ジアルキル−カルバモイル、Ｎ−モノアリール−カルバモイル、Ｎ，Ｎ−ジアリール−カルバモイル、Ｎ−モノシクロアルキル−Ｎ−モノアリールカルバモイル、Ｎ−モノアルキル−Ｎ−モノアリール−カルバモイル、スルファモイル、Ｎ−モノシクロアルキル−スルファモイル、Ｎ−モノアルキル−スルファモイル、Ｎ，Ｎ−ジシクロアルキル−スルファモイル、Ｎ，Ｎ−ジアルキル−スルファモイル、Ｎ−モノアリール−スルファモイル、Ｎ，Ｎ−ジアリール−スルファモイル、Ｎ−モノシクロアルキル−Ｎ−モノアリールスルファモイル、Ｎ−モノアルキル−Ｎ−モノアリールスルファモイル、アリールスルホニルオキシ、アルキルスルホニルオキシ、アリールオキシスルホニル、アルコキシルスルホニル、及びＣＯＯＲ１２からなる群より選択される１種又は複数の置換基によって置換されたアルキルであるか、
又は
ヒドロキシ、アリール、シクロアルキル、アルコキシ、チオアルコキシ、アミノ、Ｎ−モノアルキル−アミノ、Ｎ，Ｎ−ジアルキル−アミノ、Ｎ−モノアリール−アミノ、Ｎ，Ｎ−ジアリール−アミノ、Ｎ−アルキル−Ｎ−アリール−アミノ、Ｎ−モノシクロアルキル−アミノ、Ｎ，Ｎ−ジシクロアルキル−アミノ、Ｎ−モノアルキル−モノシクロアルキル−アミノ、Ｎ，Ｎ−モノアリール−モノシクロアルキル−アミノ、Ｎ−アシルアミノ、Ｎ−アルキルスルホニル−アミノ、チオシアノ、ハロゲン、シアノ、ニトロ、アシル、チオアシル、アルキルスルホニル、アリーロイル、トリフルオロメチル、ヘテロアリール、ヘテロシクロアルキル、アルコキシカルボニル、アルコキシチオカルボニル、アシルオキシ、アリーロイルオキシ、カルバモイル、Ｎ−モノシクロアルキル−カルバモイル、Ｎ−モノアルキル−カルバモイル、Ｎ，Ｎ−ジシクロアルキル−カルバモイル、Ｎ，Ｎ−ジアルキル−カルバモイル、Ｎ−モノアリール−カルバモイル、Ｎ，Ｎ−ジアリール−カルバモイル、Ｎ−モノシクロアルキル−Ｎ−モノアリールカルバモイル、Ｎ−モノアルキル−Ｎ−モノアリール−カルバモイル、スルファモイル、Ｎ−モノシクロアルキル−スルファモイル、Ｎ−モノアルキル−スルファモイル、Ｎ，Ｎ−ジシクロアルキル−スルファモイル、Ｎ，Ｎ−ジアルキル−スルファモイル、Ｎ−モノアリール−スルファモイル、Ｎ，Ｎ−ジアリール−スルファモイル、Ｎ−モノシクロアルキル−Ｎ−モノアリールスルファモイル、Ｎ−モノアルキル−Ｎ−モノアリールスルファモイル、アリールスルホニルオキシ、アルキルスルホニルオキシ、アリールオキシスルホニル、アルコキシルスルホニル、及びＣＯＯＲ１２からなる群より選択される１種又は複数の置換基によって置換されたアリールであり、
Ｔ１９及びＴ２０は、互いに独立して、水素、ハロゲン、シアノ、ニトロ、又はトリフルオロメチルであり、
Ｚは、カルボニル又はスルホニル残基である］
又は
Ｄは、式（ＸＩＶ）の基を表すか、
【化１４】
0006452170.tif 000015
［式中、
Ｔ２１は、シアノ、ニトロ、又はアルコキシカルボニルであり、
Ｔ２２は、アルキル、水素、ハロゲン、アリールであるか、
又は
酸素及び硫黄からなる群より選択される１個又は複数のヘテロ原子によって中断されたアルキルであるか、
又は
ヒドロキシ、アリール、シクロアルキル、アルコキシ、チオアルコキシ、アミノ、Ｎ−モノアルキル−アミノ、Ｎ，Ｎ−ジアルキル−アミノ、Ｎ−モノアリール−アミノ、Ｎ，Ｎ−ジアリール−アミノ、Ｎ−アルキル−Ｎ−アリール−アミノ、Ｎ−モノシクロアルキル−アミノ、Ｎ，Ｎ−ジシクロアルキル−アミノ、Ｎ−モノアルキル−モノシクロアルキル−アミノ、Ｎ，Ｎ−モノアリール−モノシクロアルキル−アミノ、Ｎ−アシルアミノ、Ｎ−アルキルスルホニル−アミノ、ハロゲン、シアノ、チオシアノ、ニトロ、アシル、チオアシル、アルキルスルホニル、アリーロイル、トリフルオロメチル、ヘテロアリール、ヘテロシクロアルキル、アルコキシカルボニル、アルコキシチオカルボニル、アシルオキシ、アリーロイルオキシ、カルバモイル、Ｎ−モノシクロアルキル−カルバモイル、Ｎ−モノアルキル−カルバモイル、Ｎ，Ｎ−ジシクロアルキル−カルバモイル、Ｎ，Ｎ−ジアルキル−カルバモイル、Ｎ−モノアリール−カルバモイル、Ｎ，Ｎ−ジアリール−カルバモイル、Ｎ−モノシクロアルキル−Ｎ−モノアリールカルバモイル、Ｎ−モノアルキル−Ｎ−モノアリール−カルバモイル、スルファモイル、Ｎ−モノシクロアルキル−スルファモイル、Ｎ−モノアルキル−スルファモイル、Ｎ，Ｎ−ジシクロアルキル−スルファモイル、Ｎ，Ｎ−ジアルキル−スルファモイル、Ｎ−モノアリール−スルファモイル、Ｎ，Ｎ−ジアリール−スルファモイル、Ｎ−モノシクロアルキル−Ｎ−モノアリールスルファモイル、Ｎ−モノアルキル−Ｎ−モノアリールスルファモイル、アリールスルホニルオキシ、アルキルスルホニルオキシ、アリールオキシスルホニル、アルコキシルスルホニル、及びＣＯＯＲ１２からなる群より選択される１種又は複数の置換基によって置換されたアルキルであるか、
又は
酸素又は硫黄からなる群より選択される１個又は複数のヘテロ原子によって中断され、そしてヒドロキシ、アリール、シクロアルキル、アルコキシ、チオアルコキシ、アミノ、Ｎ−モノアルキル−アミノ、Ｎ，Ｎ−ジアルキル−アミノ、Ｎ−モノアリール−アミノ、Ｎ，Ｎ−ジアリール−アミノ、Ｎ−アルキル−Ｎ−アリール−アミノ、Ｎ−モノシクロアルキル−アミノ、Ｎ，Ｎ−ジシクロアルキル−アミノ、Ｎ−モノアルキル−モノシクロアルキル−アミノ、Ｎ，Ｎ−モノアリール−モノシクロアルキル−アミノ、Ｎ−アシルアミノ、Ｎ−アルキルスルホニル−アミノ、ハロゲン、シアノ、チオシアノ、ニトロ、アシル、チオアシル、アルキルスルホニル、アリーロイル、トリフルオロメチル、ヘテロアリール、ヘテロシクロアルキル、アルコキシカルボニル、アルコキシチオカルボニル、アシルオキシ、アリーロイルオキシ、カルバモイル、Ｎ−モノシクロアルキル−カルバモイル、Ｎ−モノアルキル−カルバモイル、Ｎ，Ｎ−ジシクロアルキル−カルバモイル、Ｎ，Ｎ−ジアルキル−カルバモイル、Ｎ−モノアリール−カルバモイル、Ｎ，Ｎ−ジアリール−カルバモイル、Ｎ−モノシクロアルキル−Ｎ−モノアリールカルバモイル、Ｎ−モノアルキル−Ｎ−モノアリール−カルバモイル、スルファモイル、Ｎ−モノシクロアルキル−スルファモイル、Ｎ−モノアルキル−スルファモイル、Ｎ，Ｎ−ジシクロアルキル−スルファモイル、Ｎ，Ｎ−ジアルキル−スルファモイル、Ｎ−モノアリール−スルファモイル、Ｎ，Ｎ−ジアリール−スルファモイル、Ｎ−モノシクロアルキル−Ｎ−モノアリールスルファモイル、Ｎ−モノアルキル−Ｎ−モノアリールスルファモイル、アリールスルホニルオキシ、アルキルスルホニルオキシ、アリールオキシスルホニル、アルコキシルスルホニル、及びＣＯＯＲ１２からなる群より選択される１種又は複数の置換基によって置換されたアルキルであるか、
又は
ヒドロキシ、アリール、シクロアルキル、アルコキシ、チオアルコキシ、アミノ、Ｎ−モノアルキル−アミノ、Ｎ，Ｎ−ジアルキル−アミノ、Ｎ−モノアリール−アミノ、Ｎ，Ｎ−ジアリール−アミノ、Ｎ−アルキル−Ｎ−アリール−アミノ、Ｎ−モノシクロアルキル−アミノ、Ｎ，Ｎ−ジシクロアルキル−アミノ、Ｎ−モノアルキル−モノシクロアルキル−アミノ、Ｎ，Ｎ−モノアリール−モノシクロアルキル−アミノ、Ｎ−アシルアミノ、Ｎ−アルキルスルホニル−アミノ、チオシアノ、ハロゲン、シアノ、ニトロ、アシル、チオアシル、アルキルスルホニル、アリーロイル、トリフルオロメチル、ヘテロアリール、ヘテロシクロアルキル、アルコキシカルボニル、アルコキシチオカルボニル、アシルオキシ、アリーロイルオキシ、カルバモイル、Ｎ−モノシクロアルキル−カルバモイル、Ｎ−モノアルキル−カルバモイル、Ｎ，Ｎ−ジシクロアルキル−カルバモイル、Ｎ，Ｎ−ジアルキル−カルバモイル、Ｎ−モノアリール−カルバモイル、Ｎ，Ｎ−ジアリール−カルバモイル、Ｎ−モノシクロアルキル−Ｎ−モノアリールカルバモイル、Ｎ−モノアルキル−Ｎ−モノアリール−カルバモイル、スルファモイル、Ｎ−モノシクロアルキル−スルファモイル、Ｎ−モノアルキル−スルファモイル、Ｎ，Ｎ−ジシクロアルキル−スルファモイル、Ｎ，Ｎ−ジアルキル−スルファモイル、Ｎ−モノアリール−スルファモイル、Ｎ，Ｎ−ジアリール−スルファモイル、Ｎ−モノシクロアルキル−Ｎ−モノアリールスルファモイル、Ｎ−モノアルキル−Ｎ−モノアリールスルファモイル、アリールスルホニルオキシ、アルキルスルホニルオキシ、アリールオキシスルホニル、アルコキシルスルホニル、及びＣＯＯＲ１２からなる群より選択される１種又は複数の置換基によって置換されたアリールである］
又は
Ｄは、式（ＸＶ）の基を表すか、
【化１５】
0006452170.tif 000016
［式中、
Ｔ２３及びＴ２４は、互いに独立して、シアノ、ニトロ、ハロゲン、アリール、又はトリフルオロメチルであり、
Ｔ２５は、水素、アルキル、アルケニル、アリールであるか、
又は
酸素及び硫黄からなる群より選択される１個又は複数のヘテロ原子によって中断されたアルキルであるか、
又は
ヒドロキシ、アリール、シクロアルキル、アルコキシ、チオアルコキシ、アミノ、Ｎ−モノアルキル−アミノ、Ｎ，Ｎ−ジアルキル−アミノ、Ｎ−モノアリール−アミノ、Ｎ，Ｎ−ジアリール−アミノ、Ｎ−アルキル−Ｎ−アリール−アミノ、Ｎ−モノシクロアルキル−アミノ、Ｎ，Ｎ−ジシクロアルキル−アミノ、Ｎ−モノアルキル−モノシクロアルキル−アミノ、Ｎ，Ｎ−モノアリール−モノシクロアルキル−アミノ、Ｎ−アシルアミノ、Ｎ−アルキルスルホニル−アミノ、ハロゲン、シアノ、チオシアノ、ニトロ、アシル、チオアシル、アルキルスルホニル、アリーロイル、トリフルオロメチル、ヘテロアリール、ヘテロシクロアルキル、アルコキシカルボニル、アルコキシチオカルボニル、アシルオキシ、アリーロイルオキシ、カルバモイル、Ｎ−モノシクロアルキル−カルバモイル、Ｎ−モノアルキル−カルバモイル、Ｎ，Ｎ−ジシクロアルキル−カルバモイル、Ｎ，Ｎ−ジアルキル−カルバモイル、Ｎ−モノアリール−カルバモイル、Ｎ，Ｎ−ジアリール−カルバモイル、Ｎ−モノシクロアルキル−Ｎ−モノアリールカルバモイル、Ｎ−モノアルキル−Ｎ−モノアリール−カルバモイル、スルファモイル、Ｎ−モノシクロアルキル−スルファモイル、Ｎ−モノアルキル−スルファモイル、Ｎ，Ｎ−ジシクロアルキル−スルファモイル、Ｎ，Ｎ−ジアルキル−スルファモイル、Ｎ−モノアリール−スルファモイル、Ｎ，Ｎ−ジアリール−スルファモイル、Ｎ−モノシクロアルキル−Ｎ−モノアリールスルファモイル、Ｎ−モノアルキル−Ｎ−モノアリールスルファモイル、アリールスルホニルオキシ、アルキルスルホニルオキシ、アリールオキシスルホニル、アルコキシルスルホニル、及びＣＯＯＲ１２からなる群より選択される１種又は複数の置換基によって置換されたアルキルであるか、
又は
酸素及び硫黄からなる群より選択される１個又は複数のヘテロ原子によって中断され、そしてヒドロキシ、アリール、シクロアルキル、アルコキシ、チオアルコキシ、アミノ、Ｎ−モノアルキル−アミノ、Ｎ，Ｎ−ジアルキル−アミノ、Ｎ−モノアリール−アミノ、Ｎ，Ｎ−ジアリール−アミノ、Ｎ−アルキル−Ｎ−アリール−アミノ、Ｎ−モノシクロアルキル−アミノ、Ｎ，Ｎ−ジシクロアルキル−アミノ、Ｎ−モノアルキル−モノシクロアルキル−アミノ、Ｎ，Ｎ−モノアリール−モノシクロアルキル−アミノ、Ｎ−アシルアミノ、Ｎ−アルキルスルホニル−アミノ、ハロゲン、シアノ、チオシアノ、ニトロ、アシル、チオアシル、アルキルスルホニル、アリーロイル、トリフルオロメチル、ヘテロアリール、ヘテロシクロアルキル、アルコキシカルボニル、アルコキシチオカルボニル、アシルオキシ、アリーロイルオキシ、カルバモイル、Ｎ−モノシクロアルキル−カルバモイル、Ｎ−モノアルキル−カルバモイル、Ｎ，Ｎ−ジシクロアルキル−カルバモイル、Ｎ，Ｎ−ジアルキル−カルバモイル、Ｎ−モノアリール−カルバモイル、Ｎ，Ｎ−ジアリール−カルバモイル、Ｎ−モノシクロアルキル−Ｎ−モノアリールカルバモイル、Ｎ−モノアルキル−Ｎ−モノアリール−カルバモイル、スルファモイル、Ｎ−モノシクロアルキル−スルファモイル、Ｎ−モノアルキル−スルファモイル、Ｎ，Ｎ−ジシクロアルキル−スルファモイル、Ｎ，Ｎ−ジアルキル−スルファモイル、Ｎ−モノアリール−スルファモイル、Ｎ，Ｎ−ジアリール−スルファモイル、Ｎ−モノシクロアルキル−Ｎ−モノアリールスルファモイル、Ｎ−モノアルキル−Ｎ−モノアリールスルファモイル、アリールスルホニルオキシ、アルキルスルホニルオキシ、アリールオキシスルホニル、アルコキシルスルホニル、及びＣＯＯＲ１２からなる群より選択される１種又は複数の置換基によって置換されたアルキルであるか、
又は
ヒドロキシ、アリール、シクロアルキル、アルコキシ、チオアルコキシ、アミノ、Ｎ−モノアルキル−アミノ、Ｎ，Ｎ−ジアルキル−アミノ、Ｎ−モノアリール−アミノ、Ｎ，Ｎ−ジアリール−アミノ、Ｎ−アルキル−Ｎ−アリール−アミノ、Ｎ−モノシクロアルキル−アミノ、Ｎ，Ｎ−ジシクロアルキル−アミノ、Ｎ−モノアルキル−モノシクロアルキル−アミノ、Ｎ，Ｎ−モノアリール−モノシクロアルキル−アミノ、Ｎ−アシルアミノ、Ｎ−アルキルスルホニル−アミノ、チオシアノ、ハロゲン、シアノ、ニトロ、アシル、チオアシル、アルキルスルホニル、アリーロイル、トリフルオロメチル、ヘテロアリール、ヘテロシクロアルキル、アルコキシカルボニル、アルコキシチオカルボニル、アシルオキシ、アリーロイルオキシ、カルバモイル、Ｎ−モノシクロアルキル−カルバモイル、Ｎ−モノアルキル−カルバモイル、Ｎ，Ｎ−ジシクロアルキル−カルバモイル、Ｎ，Ｎ−ジアルキル−カルバモイル、Ｎ−モノアリール−カルバモイル、Ｎ，Ｎ−ジアリール−カルバモイル、Ｎ−モノシクロアルキル−Ｎ−モノアリールカルバモイル、Ｎ−モノアルキル−Ｎ−モノアリール−カルバモイル、スルファモイル、Ｎ−モノシクロアルキル−スルファモイル、Ｎ−モノアルキル−スルファモイル、Ｎ，Ｎ−ジシクロアルキル−スルファモイル、Ｎ，Ｎ−ジアルキル−スルファモイル、Ｎ−モノアリール−スルファモイル、Ｎ，Ｎ−ジアリール−スルファモイル、Ｎ−モノシクロアルキル−Ｎ−モノアリールスルファモイル、Ｎ−モノアルキル−Ｎ−モノアリールスルファモイル、アリールスルホニルオキシ、アルキルスルホニルオキシ、アリールオキシスルホニル、アルコキシルスルホニル、及びＣＯＯＲ１２からなる群より選択される１種又は複数の置換基によって置換されたアリールである］
又は
Ｄは、式（ＸＶＩ）の基を表すか、
【化１６】
0006452170.tif 000017
［式中、
Ｔ２６は、シアノ、ニトロ、アリール、又はトリフルオロメチルであり、
Ｔ２７は、水素、アリール、アルキルであるか、
又は
酸素及び硫黄からなる群より選択される１個又は複数のヘテロ原子によって中断されたアルキルであるか、
又は
ヒドロキシ、アリール、シクロアルキル、アルコキシ、チオアルコキシ、アミノ、Ｎ−モノアルキル−アミノ、Ｎ，Ｎ−ジアルキル−アミノ、Ｎ−モノアリール−アミノ、Ｎ，Ｎ−ジアリール−アミノ、Ｎ−アルキル−Ｎ−アリール−アミノ、Ｎ−モノシクロアルキル−アミノ、Ｎ，Ｎ−ジシクロアルキル−アミノ、Ｎ−モノアルキル−モノシクロアルキル−アミノ、Ｎ，Ｎ−モノアリール−モノシクロアルキル−アミノ、Ｎ−アシルアミノ、Ｎ−アルキルスルホニル−アミノ、ハロゲン、シアノ、チオシアノ、ニトロ、アシル、チオアシル、アルキルスルホニル、アリーロイル、トリフルオロメチル、ヘテロアリール、ヘテロシクロアルキル、アルコキシカルボニル、アルコキシチオカルボニル、アシルオキシ、アリーロイルオキシ、カルバモイル、Ｎ−モノシクロアルキル−カルバモイル、Ｎ−モノアルキル−カルバモイル、Ｎ，Ｎ−ジシクロアルキル−カルバモイル、Ｎ，Ｎ−ジアルキル−カルバモイル、Ｎ−モノアリール−カルバモイル、Ｎ，Ｎ−ジアリール−カルバモイル、Ｎ−モノシクロアルキル−Ｎ−モノアリールカルバモイル、Ｎ−モノアルキル−Ｎ−モノアリール−カルバモイル、スルファモイル、Ｎ−モノシクロアルキル−スルファモイル、Ｎ−モノアルキル−スルファモイル、Ｎ，Ｎ−ジシクロアルキル−スルファモイル、Ｎ，Ｎ−ジアルキル−スルファモイル、Ｎ−モノアリール−スルファモイル、Ｎ，Ｎ−ジアリール−スルファモイル、Ｎ−モノシクロアルキル−Ｎ−モノアリールスルファモイル、Ｎ−モノアルキル−Ｎ−モノアリールスルファモイル、アリールスルホニルオキシ、アルキルスルホニルオキシ、アリールオキシスルホニル、アルコキシルスルホニル、及びＣＯＯＲ１２からなる群より選択される１種又は複数の置換基によって置換されたアルキルであるか、
又は
酸素及び硫黄からなる群より選択される１個又は複数のヘテロ原子によって中断され、そしてヒドロキシ、アリール、シクロアルキル、アルコキシ、チオアルコキシ、アミノ、Ｎ−モノアルキル−アミノ、Ｎ，Ｎ−ジアルキル−アミノ、Ｎ−モノアリール−アミノ、Ｎ，Ｎ−ジアリール−アミノ、Ｎ−アルキル−Ｎ−アリール−アミノ、Ｎ−モノシクロアルキル−アミノ、Ｎ，Ｎ−ジシクロアルキル−アミノ、Ｎ−モノアルキル−モノシクロアルキル−アミノ、Ｎ，Ｎ−モノアリール−モノシクロアルキル−アミノ、Ｎ−アシルアミノ、Ｎ−アルキルスルホニル−アミノ、ハロゲン、シアノ、チオシアノ、ニトロ、アシル、チオアシル、アルキルスルホニル、アリーロイル、トリフルオロメチル、ヘテロアリール、ヘテロシクロアルキル、アルコキシカルボニル、アルコキシチオカルボニル、アシルオキシ、アリーロイルオキシ、カルバモイル、Ｎ−モノシクロアルキル−カルバモイル、Ｎ−モノアルキル−カルバモイル、Ｎ，Ｎ−ジシクロアルキル−カルバモイル、Ｎ，Ｎ−ジアルキル−カルバモイル、Ｎ−モノアリール−カルバモイル、Ｎ，Ｎ−ジアリール−カルバモイル、Ｎ−モノシクロアルキル−Ｎ−モノアリールカルバモイル、Ｎ−モノアルキル−Ｎ−モノアリール−カルバモイル、スルファモイル、Ｎ−モノシクロアルキル−スルファモイル、Ｎ−モノアルキル−スルファモイル、Ｎ，Ｎ−ジシクロアルキル−スルファモイル、Ｎ，Ｎ−ジアルキル−スルファモイル、Ｎ−モノアリール−スルファモイル、Ｎ，Ｎ−ジアリール−スルファモイル、Ｎ−モノシクロアルキル−Ｎ−モノアリールスルファモイル、Ｎ−モノアルキル−Ｎ−モノアリールスルファモイル、アリールスルホニルオキシ、アルキルスルホニルオキシ、アリールオキシスルホニル、アルコキシルスルホニル、及びＣＯＯＲ１２からなる群より選択される１種又は複数の置換基によって置換されたアルキルであるか、
又は
ヒドロキシ、アリール、シクロアルキル、アルコキシ、チオアルコキシ、アミノ、Ｎ−モノアルキル−アミノ、Ｎ，Ｎ−ジアルキル−アミノ、Ｎ−モノアリール−アミノ、Ｎ，Ｎ−ジアリール−アミノ、Ｎ−アルキル−Ｎ−アリール−アミノ、Ｎ−モノシクロアルキル−アミノ、Ｎ，Ｎ−ジシクロアルキル−アミノ、Ｎ−モノアルキル−モノシクロアルキル−アミノ、Ｎ，Ｎ−モノアリール−モノシクロアルキル−アミノ、Ｎ−アシルアミノ、Ｎ−アルキルスルホニル−アミノ、チオシアノ、ハロゲン、シアノ、ニトロ、アシル、チオアシル、アルキルスルホニル、アリーロイル、トリフルオロメチル、ヘテロアリール、ヘテロシクロアルキル、アルコキシカルボニル、アルコキシチオカルボニル、アシルオキシ、アリーロイルオキシ、カルバモイル、Ｎ−モノシクロアルキル−カルバモイル、Ｎ−モノアルキル−カルバモイル、Ｎ，Ｎ−ジシクロアルキル−カルバモイル、Ｎ，Ｎ−ジアルキル−カルバモイル、Ｎ−モノアリール−カルバモイル、Ｎ，Ｎ−ジアリール−カルバモイル、Ｎ−モノシクロアルキル−Ｎ−モノアリールカルバモイル、Ｎ−モノアルキル−Ｎ−モノアリール−カルバモイル、スルファモイル、Ｎ−モノシクロアルキル−スルファモイル、Ｎ−モノアルキル−スルファモイル、Ｎ，Ｎ−ジシクロアルキル−スルファモイル、Ｎ，Ｎ−ジアルキル−スルファモイル、Ｎ−モノアリール−スルファモイル、Ｎ，Ｎ−ジアリール−スルファモイル、Ｎ−モノシクロアルキル−Ｎ−モノアリールスルファモイル、Ｎ−モノアルキル−Ｎ−モノアリールスルファモイル、アリールスルホニルオキシ、アルキルスルホニルオキシ、アリールオキシスルホニル、アルコキシルスルホニル、及びＣＯＯＲ１２からなる群より選択される１種又は複数の置換基によって置換されたアリールであり、
Ｔ２８は、水素、アルキル、アルケニル、アルキニル、アリール、アルコキシカルボニルであるか、
又は
酸素及び硫黄からなる群より選択される１個又は複数のヘテロ原子によって中断されたアルキルであるか、
又は
ヒドロキシ、アリール、シクロアルキル、アルコキシ、チオアルコキシ、アミノ、Ｎ−モノアルキル−アミノ、Ｎ，Ｎ−ジアルキル−アミノ、Ｎ−モノアリール−アミノ、Ｎ，Ｎ−ジアリール−アミノ、Ｎ−アルキル−Ｎ−アリール−アミノ、Ｎ−モノシクロアルキル−アミノ、Ｎ，Ｎ−ジシクロアルキル−アミノ、Ｎ−モノアルキル−モノシクロアルキル−アミノ、Ｎ，Ｎ−モノアリール−モノシクロアルキル−アミノ、Ｎ−アシルアミノ、Ｎ−アルキルスルホニル−アミノ、ハロゲン、シアノ、チオシアノ、ニトロ、アシル、チオアシル、アルキルスルホニル、アリーロイル、トリフルオロメチル、ヘテロアリール、ヘテロシクロアルキル、アルコキシカルボニル、アルコキシチオカルボニル、アシルオキシ、アリーロイルオキシ、カルバモイル、Ｎ−モノシクロアルキル−カルバモイル、Ｎ−モノアルキル−カルバモイル、Ｎ，Ｎ−ジシクロアルキル−カルバモイル、Ｎ，Ｎ−ジアルキル−カルバモイル、Ｎ−モノアリール−カルバモイル、Ｎ，Ｎ−ジアリール−カルバモイル、Ｎ−モノシクロアルキル−Ｎ−モノアリールカルバモイル、Ｎ−モノアルキル−Ｎ−モノアリール−カルバモイル、スルファモイル、Ｎ−モノシクロアルキル−スルファモイル、Ｎ−モノアルキル−スルファモイル、Ｎ，Ｎ−ジシクロアルキル−スルファモイル、Ｎ，Ｎ−ジアルキル−スルファモイル、Ｎ−モノアリール−スルファモイル、Ｎ，Ｎ−ジアリール−スルファモイル、Ｎ−モノシクロアルキル−Ｎ−モノアリールスルファモイル、Ｎ−モノアルキル−Ｎ−モノアリールスルファモイル、アリールスルホニルオキシ、アルキルスルホニルオキシ、アリールオキシスルホニル、アルコキシルスルホニル、及びＣＯＯＲ１２からなる群より選択される１種又は複数の置換基によって置換されたアルキルであるか、
又は
酸素及び硫黄からなる群より選択される１個又は複数のヘテロ原子によって中断され、そしてヒドロキシ、アリール、シクロアルキル、アルコキシ、チオアルコキシ、アミノ、Ｎ−モノアルキル−アミノ、Ｎ，Ｎ−ジアルキル−アミノ、Ｎ−モノアリール−アミノ、Ｎ，Ｎ−ジアリール−アミノ、Ｎ−アルキル−Ｎ−アリール−アミノ、Ｎ−モノシクロアルキル−アミノ、Ｎ，Ｎ−ジシクロアルキル−アミノ、Ｎ−モノアルキル−モノシクロアルキル−アミノ、Ｎ，Ｎ−モノアリール−モノシクロアルキル−アミノ、Ｎ−アシルアミノ、Ｎ−アルキルスルホニル−アミノ、ハロゲン、シアノ、チオシアノ、ニトロ、アシル、チオアシル、アルキルスルホニル、アリーロイル、トリフルオロメチル、ヘテロアリール、ヘテロシクロアルキル、アルコキシカルボニル、アルコキシチオカルボニル、アシルオキシ、アリーロイルオキシ、カルバモイル、Ｎ−モノシクロアルキル−カルバモイル、Ｎ−モノアルキル−カルバモイル、Ｎ，Ｎ−ジシクロアルキル−カルバモイル、Ｎ，Ｎ−ジアルキル−カルバモイル、Ｎ−モノアリール−カルバモイル、Ｎ，Ｎ−ジアリール−カルバモイル、Ｎ−モノシクロアルキル−Ｎ−モノアリールカルバモイル、Ｎ−モノアルキル−Ｎ−モノアリール−カルバモイル、スルファモイル、Ｎ−モノシクロアルキル−スルファモイル、Ｎ−モノアルキル−スルファモイル、Ｎ，Ｎ−ジシクロアルキル−スルファモイル、Ｎ，Ｎ−ジアルキル−スルファモイル、Ｎ−モノアリール−スルファモイル、Ｎ，Ｎ−ジアリール−スルファモイル、Ｎ−モノシクロアルキル−Ｎ−モノアリールスルファモイル、Ｎ−モノアルキル−Ｎ−モノアリールスルファモイル、アリールスルホニルオキシ、アルキルスルホニルオキシ、アリールオキシスルホニル、アルコキシルスルホニル、及びＣＯＯＲ１２からなる群より選択される１種又は複数の置換基によって置換されたアルキルであるか、
又は
ヒドロキシ、アリール、シクロアルキル、アルコキシ、チオアルコキシ、アミノ、Ｎ−モノアルキル−アミノ、Ｎ，Ｎ−ジアルキル−アミノ、Ｎ−モノアリール−アミノ、Ｎ，Ｎ−ジアリール−アミノ、Ｎ−アルキル−Ｎ−アリール−アミノ、Ｎ−モノシクロアルキル−アミノ、Ｎ，Ｎ−ジシクロアルキル−アミノ、Ｎ−モノアルキル−モノシクロアルキル−アミノ、Ｎ，Ｎ−モノアリール−モノシクロアルキル−アミノ、Ｎ−アシルアミノ、Ｎ−アルキルスルホニル−アミノ、チオシアノ、ハロゲン、シアノ、ニトロ、アシル、チオアシル、アルキルスルホニル、アリーロイル、トリフルオロメチル、ヘテロアリール、ヘテロシクロアルキル、アルコキシカルボニル、アルコキシチオカルボニル、アシルオキシ、アリーロイルオキシ、カルバモイル、Ｎ−モノシクロアルキル−カルバモイル、Ｎ−モノアルキル−カルバモイル、Ｎ，Ｎ−ジシクロアルキル−カルバモイル、Ｎ，Ｎ−ジアルキル−カルバモイル、Ｎ−モノアリール−カルバモイル、Ｎ，Ｎ−ジアリール−カルバモイル、Ｎ−モノシクロアルキル−Ｎ−モノアリールカルバモイル、Ｎ−モノアルキル−Ｎ−モノアリール−カルバモイル、スルファモイル、Ｎ−モノシクロアルキル−スルファモイル、Ｎ−モノアルキル−スルファモイル、Ｎ，Ｎ−ジシクロアルキル−スルファモイル、Ｎ，Ｎ−ジアルキル−スルファモイル、Ｎ−モノアリール−スルファモイル、Ｎ，Ｎ−ジアリール−スルファモイル、Ｎ−モノシクロアルキル−Ｎ−モノアリールスルファモイル、Ｎ−モノアルキル−Ｎ−モノアリールスルファモイル、アリールスルホニルオキシ、アルキルスルホニルオキシ、アリールオキシスルホニル、アルコキシルスルホニル、及びＣＯＯＲ１２からなる群より選択される１種又は複数の置換基によって置換されたアリールである］
又は
Ｄは、式（ＸＶＩＩ）の基を表すか、
【化１７】
0006452170.tif 000018
［式中、
Ｔ２９は、シアノ、ニトロ、アリール、又はトリフルオロメチルであり、
Ｔ３０は、水素、アルキル、アルケニル、アルケニル、アルキニル、アリール、アリールメチル、アルコキシカルボニルであるか、
又は
酸素及び硫黄からなる群より選択される１個又は複数のヘテロ原子によって中断されたアルキルであるか、
又は
ヒドロキシ、アリール、シクロアルキル、アルコキシ、チオアルコキシ、アミノ、Ｎ−モノアルキル−アミノ、Ｎ，Ｎ−ジアルキル−アミノ、Ｎ−モノアリール−アミノ、Ｎ，Ｎ−ジアリール−アミノ、Ｎ−アルキル−Ｎ−アリール−アミノ、Ｎ−モノシクロアルキル−アミノ、Ｎ，Ｎ−ジシクロアルキル−アミノ、Ｎ−モノアルキル−モノシクロアルキル−アミノ、Ｎ，Ｎ−モノアリール−モノシクロアルキル−アミノ、Ｎ−アシルアミノ、Ｎ−アルキルスルホニル−アミノ、ハロゲン、シアノ、チオシアノ、ニトロ、アシル、チオアシル、アルキルスルホニル、アリーロイル、トリフルオロメチル、ヘテロアリール、ヘテロシクロアルキル、アルコキシカルボニル、アルコキシチオカルボニル、アシルオキシ、アリーロイルオキシ、カルバモイル、Ｎ−モノシクロアルキル−カルバモイル、Ｎ−モノアルキル−カルバモイル、Ｎ，Ｎ−ジシクロアルキル−カルバモイル、Ｎ，Ｎ−ジアルキル−カルバモイル、Ｎ−モノアリール−カルバモイル、Ｎ，Ｎ−ジアリール−カルバモイル、Ｎ−モノシクロアルキル−Ｎ−モノアリールカルバモイル、Ｎ−モノアルキル−Ｎ−モノアリール−カルバモイル、スルファモイル、Ｎ−モノシクロアルキル−スルファモイル、Ｎ−モノアルキル−スルファモイル、Ｎ，Ｎ−ジシクロアルキル−スルファモイル、Ｎ，Ｎ−ジアルキル−スルファモイル、Ｎ−モノアリール−スルファモイル、Ｎ，Ｎ−ジアリール−スルファモイル、Ｎ−モノシクロアルキル−Ｎ−モノアリールスルファモイル、Ｎ−モノアルキル−Ｎ−モノアリールスルファモイル、アリールスルホニルオキシ、アルキルスルホニルオキシ、アリールオキシスルホニル、アルコキシルスルホニル、及びＣＯＯＲ１２からなる群より選択される１種又は複数の置換基によって置換されたアルキルであるか、
又は
酸素及び硫黄からなる群より選択される１個又は複数のヘテロ原子によって中断され、そしてヒドロキシ、アリール、シクロアルキル、アルコキシ、チオアルコキシ、アミノ、Ｎ−モノアルキル−アミノ、Ｎ，Ｎ−ジアルキル−アミノ、Ｎ−モノアリール−アミノ、Ｎ，Ｎ−ジアリール−アミノ、Ｎ−アルキル−Ｎ−アリール−アミノ、Ｎ−モノシクロアルキル−アミノ、Ｎ，Ｎ−ジシクロアルキル−アミノ、Ｎ−モノアルキル−モノシクロアルキル−アミノ、Ｎ，Ｎ−モノアリール−モノシクロアルキル−アミノ、Ｎ−アシルアミノ、Ｎ−アルキルスルホニル−アミノ、ハロゲン、シアノ、チオシアノ、ニトロ、アシル、チオアシル、アルキルスルホニル、アリーロイル、トリフルオロメチル、ヘテロアリール、ヘテロシクロアルキル、アルコキシカルボニル、アルコキシチオカルボニル、アシルオキシ、アリーロイルオキシ、カルバモイル、Ｎ−モノシクロアルキル−カルバモイル、Ｎ−モノアルキル−カルバモイル、Ｎ，Ｎ−ジシクロアルキル−カルバモイル、Ｎ，Ｎ−ジアルキル−カルバモイル、Ｎ−モノアリール−カルバモイル、Ｎ，Ｎ−ジアリール−カルバモイル、Ｎ−モノシクロアルキル−Ｎ−モノアリールカルバモイル、Ｎ−モノアルキル−Ｎ−モノアリール−カルバモイル、スルファモイル、Ｎ−モノシクロアルキル−スルファモイル、Ｎ−モノアルキル−スルファモイル、Ｎ，Ｎ−ジシクロアルキル−スルファモイル、Ｎ，Ｎ−ジアルキル−スルファモイル、Ｎ−モノアリール−スルファモイル、Ｎ，Ｎ−ジアリール−スルファモイル、Ｎ−モノシクロアルキル−Ｎ−モノアリールスルファモイル、Ｎ−モノアルキル−Ｎ−モノアリールスルファモイル、アリールスルホニルオキシ、アルキルスルホニルオキシ、アリールオキシスルホニル、アルコキシルスルホニル、及びＣＯＯＲ１２からなる群より選択される１種又は複数の置換基によって置換されたアルキルであるか、
又は
ヒドロキシ、アリール、シクロアルキル、アルコキシ、チオアルコキシ、アミノ、Ｎ−モノアルキル−アミノ、Ｎ，Ｎ−ジアルキル−アミノ、Ｎ−モノアリール−アミノ、Ｎ，Ｎ−ジアリール−アミノ、Ｎ−アルキル−Ｎ−アリール−アミノ、Ｎ−モノシクロアルキル−アミノ、Ｎ，Ｎ−ジシクロアルキル−アミノ、Ｎ−モノアルキル−モノシクロアルキル−アミノ、Ｎ，Ｎ−モノアリール−モノシクロアルキル−アミノ、Ｎ−アシルアミノ、Ｎ−アルキルスルホニル−アミノ、チオシアノ、ハロゲン、シアノ、ニトロ、アシル、チオアシル、アルキルスルホニル、アリーロイル、トリフルオロメチル、ヘテロアリール、ヘテロシクロアルキル、アルコキシカルボニル、アルコキシチオカルボニル、アシルオキシ、アリーロイルオキシ、カルバモイル、Ｎ−モノシクロアルキル−カルバモイル、Ｎ−モノアルキル−カルバモイル、Ｎ，Ｎ−ジシクロアルキル−カルバモイル、Ｎ，Ｎ−ジアルキル−カルバモイル、Ｎ−モノアリール−カルバモイル、Ｎ，Ｎ−ジアリール−カルバモイル、Ｎ−モノシクロアルキル−Ｎ−モノアリールカルバモイル、Ｎ−モノアルキル−Ｎ−モノアリール−カルバモイル、スルファモイル、Ｎ−モノシクロアルキル−スルファモイル、Ｎ−モノアルキル−スルファモイル、Ｎ，Ｎ−ジシクロアルキル−スルファモイル、Ｎ，Ｎ−ジアルキル−スルファモイル、Ｎ−モノアリール−スルファモイル、Ｎ，Ｎ−ジアリール−スルファモイル、Ｎ−モノシクロアルキル−Ｎ−モノアリールスルファモイル、Ｎ−モノアルキル−Ｎ−モノアリールスルファモイル、アリールスルホニルオキシ、アルキルスルホニルオキシ、アリールオキシスルホニル、アルコキシルスルホニル、及びＣＯＯＲ１２からなる群より選択される１種又は複数の置換基によって置換されたアリールである］
又は
Ｄは、式（ＸＶＩＩＩ）の基を表すか、
【化１８】
0006452170.tif 000019
［式中、
Ｔ３１は、シアノ、ニトロ、アリール、トリフルオロメチルであるか、
又は
ヒドロキシ、アリール、シクロアルキル、アルコキシ、チオアルコキシ、アミノ、Ｎ−モノアルキル−アミノ、Ｎ，Ｎ−ジアルキル−アミノ、Ｎ−モノアリール−アミノ、Ｎ，Ｎ−ジアリール−アミノ、Ｎ−アルキル−Ｎ−アリール−アミノ、Ｎ−モノシクロアルキル−アミノ、Ｎ，Ｎ−ジシクロアルキル−アミノ、Ｎ−モノアルキル−モノシクロアルキル−アミノ、Ｎ，Ｎ−モノアリール−モノシクロアルキル−アミノ、Ｎ−アシルアミノ、Ｎ−アルキルスルホニル−アミノ、チオシアノ、ハロゲン、シアノ、ニトロ、アシル、チオアシル、アルキルスルホニル、アリーロイル、トリフルオロメチル、ヘテロアリール、ヘテロシクロアルキル、アルコキシカルボニル、アルコキシチオカルボニル、アシルオキシ、アリーロイルオキシ、カルバモイル、Ｎ−モノシクロアルキル−カルバモイル、Ｎ−モノアルキル−カルバモイル、Ｎ，Ｎ−ジシクロアルキル−カルバモイル、Ｎ，Ｎ−ジアルキル−カルバモイル、Ｎ−モノアリール−カルバモイル、Ｎ，Ｎ−ジアリール−カルバモイル、Ｎ−モノシクロアルキル−Ｎ−モノアリールカルバモイル、Ｎ−モノアルキル−Ｎ−モノアリール−カルバモイル、スルファモイル、Ｎ−モノシクロアルキル−スルファモイル、Ｎ−モノアルキル−スルファモイル、Ｎ，Ｎ−ジシクロアルキル−スルファモイル、Ｎ，Ｎ−ジアルキル−スルファモイル、Ｎ−モノアリール−スルファモイル、Ｎ，Ｎ−ジアリール−スルファモイル、Ｎ−モノシクロアルキル−Ｎ−モノアリールスルファモイル、Ｎ−モノアルキル−Ｎ−モノアリールスルファモイル、アリールスルホニルオキシ、アルキルスルホニルオキシ、アリールオキシスルホニル、アルコキシルスルホニル、及びＣＯＯＲ１２からなる群より選択される１種又は複数の置換基によって置換されたアリールであり、
Ｔ３２は、水素、アルキル、アルケニル、アルキニル、アリール、アルコキシカルボニルであるか、
又は
酸素及び硫黄からなる群より選択される１個又は複数のヘテロ原子によって中断されたアルキルであるか、
又は
ヒドロキシ、アリール、シクロアルキル、アルコキシ、チオアルコキシ、アミノ、Ｎ−モノアルキル−アミノ、Ｎ，Ｎ−ジアルキル−アミノ、Ｎ−モノアリール−アミノ、Ｎ，Ｎ−ジアリール−アミノ、Ｎ−アルキル−Ｎ−アリール−アミノ、Ｎ−モノシクロアルキル−アミノ、Ｎ，Ｎ−ジシクロアルキル−アミノ、Ｎ−モノアルキル−モノシクロアルキル−アミノ、Ｎ，Ｎ−モノアリール−モノシクロアルキル−アミノ、Ｎ−アシルアミノ、Ｎ−アルキルスルホニル−アミノ、ハロゲン、シアノ、チオシアノ、ニトロ、アシル、チオアシル、アルキルスルホニル、アリーロイル、トリフルオロメチル、ヘテロアリール、ヘテロシクロアルキル、アルコキシカルボニル、アルコキシチオカルボニル、アシルオキシ、アリーロイルオキシ、カルバモイル、Ｎ−モノシクロアルキル−カルバモイル、Ｎ−モノアルキル−カルバモイル、Ｎ，Ｎ−ジシクロアルキル−カルバモイル、Ｎ，Ｎ−ジアルキル−カルバモイル、Ｎ−モノアリール−カルバモイル、Ｎ，Ｎ−ジアリール−カルバモイル、Ｎ−モノシクロアルキル−Ｎ−モノアリールカルバモイル、Ｎ−モノアルキル−Ｎ−モノアリール−カルバモイル、スルファモイル、Ｎ−モノシクロアルキル−スルファモイル、Ｎ−モノアルキル−スルファモイル、Ｎ，Ｎ−ジシクロアルキル−スルファモイル、Ｎ，Ｎ−ジアルキル−スルファモイル、Ｎ−モノアリール−スルファモイル、Ｎ，Ｎ−ジアリール−スルファモイル、Ｎ−モノシクロアルキル−Ｎ−モノアリールスルファモイル、Ｎ−モノアルキル−Ｎ−モノアリールスルファモイル、アリールスルホニルオキシ、アルキルスルホニルオキシ、アリールオキシスルホニル、アルコキシルスルホニル、及びＣＯＯＲ１２からなる群より選択される１種又は複数の置換基によって置換されたアルキルであるか、
又は
酸素及び硫黄からなる群より選択される１個又は複数のヘテロ原子によって中断され、そしてヒドロキシ、アリール、シクロアルキル、アルコキシ、チオアルコキシ、アミノ、Ｎ−モノアルキル−アミノ、Ｎ，Ｎ−ジアルキル−アミノ、Ｎ−モノアリール−アミノ、Ｎ，Ｎ−ジアリール−アミノ、Ｎ−アルキル−Ｎ−アリール−アミノ、Ｎ−モノシクロアルキル−アミノ、Ｎ，Ｎ−ジシクロアルキル−アミノ、Ｎ−モノアルキル−モノシクロアルキル−アミノ、Ｎ，Ｎ−モノアリール−モノシクロアルキル−アミノ、Ｎ−アシルアミノ、Ｎ−アルキルスルホニル−アミノ、ハロゲン、シアノ、チオシアノ、ニトロ、アシル、チオアシル、アルキルスルホニル、アリーロイル、トリフルオロメチル、ヘテロアリール、ヘテロシクロアルキル、アルコキシカルボニル、アルコキシチオカルボニル、アシルオキシ、アリーロイルオキシ、カルバモイル、Ｎ−モノシクロアルキル−カルバモイル、Ｎ−モノアルキル−カルバモイル、Ｎ，Ｎ−ジシクロアルキル−カルバモイル、Ｎ，Ｎ−ジアルキル−カルバモイル、Ｎ−モノアリール−カルバモイル、Ｎ，Ｎ−ジアリール−カルバモイル、Ｎ−モノシクロアルキル−Ｎ−モノアリールカルバモイル、Ｎ−モノアルキル−Ｎ−モノアリール−カルバモイル、スルファモイル、Ｎ−モノシクロアルキル−スルファモイル、Ｎ−モノアルキル−スルファモイル、Ｎ，Ｎ−ジシクロアルキル−スルファモイル、Ｎ，Ｎ−ジアルキル−スルファモイル、Ｎ−モノアリール−スルファモイル、Ｎ，Ｎ−ジアリール−スルファモイル、Ｎ−モノシクロアルキル−Ｎ−モノアリールスルファモイル、Ｎ−モノアルキル−Ｎ−モノアリールスルファモイル、アリールスルホニルオキシ、アルキルスルホニルオキシ、アリールオキシスルホニル、アルコキシルスルホニル、及びＣＯＯＲ１２からなる群より選択される１種又は複数の置換基によって置換されたアルキルであるか、
又は
ヒドロキシ、アリール、シクロアルキル、アルコキシ、チオアルコキシ、アミノ、Ｎ−モノアルキル−アミノ、Ｎ，Ｎ−ジアルキル−アミノ、Ｎ−モノアリール−アミノ、Ｎ，Ｎ−ジアリール−アミノ、Ｎ−アルキル−Ｎ−アリール−アミノ、Ｎ−モノシクロアルキル−アミノ、Ｎ，Ｎ−ジシクロアルキル−アミノ、Ｎ−モノアルキル−モノシクロアルキル−アミノ、Ｎ，Ｎ−モノアリール−モノシクロアルキル−アミノ、Ｎ−アシルアミノ、Ｎ−アルキルスルホニル−アミノ、チオシアノ、ハロゲン、シアノ、ニトロ、アシル、チオアシル、アルキルスルホニル、アリーロイル、トリフルオロメチル、ヘテロアリール、ヘテロシクロアルキル、アルコキシカルボニル、アルコキシチオカルボニル、アシルオキシ、アリーロイルオキシ、カルバモイル、Ｎ−モノシクロアルキル−カルバモイル、Ｎ−モノアルキル−カルバモイル、Ｎ，Ｎ−ジシクロアルキル−カルバモイル、Ｎ，Ｎ−ジアルキル−カルバモイル、Ｎ−モノアリール−カルバモイル、Ｎ，Ｎ−ジアリール−カルバモイル、Ｎ−モノシクロアルキル−Ｎ−モノアリールカルバモイル、Ｎ−モノアルキル−Ｎ−モノアリール−カルバモイル、スルファモイル、Ｎ−モノシクロアルキル−スルファモイル、Ｎ−モノアルキル−スルファモイル、Ｎ，Ｎ−ジシクロアルキル−スルファモイル、Ｎ，Ｎ−ジアルキル−スルファモイル、Ｎ−モノアリール−スルファモイル、Ｎ，Ｎ−ジアリール−スルファモイル、Ｎ−モノシクロアルキル−Ｎ−モノアリールスルファモイル、Ｎ−モノアルキル−Ｎ−モノアリールスルファモイル、アリールスルホニルオキシ、アルキルスルホニルオキシ、アリールオキシスルホニル、アルコキシルスルホニル、及びＣＯＯＲ１２からなる群より選択される１種又は複数の置換基によって置換されたアリールであり、
Ｔ３３は、水素、アルキルであるか、
又は
酸素及び硫黄からなる群より選択される１個又は複数のヘテロ原子によって中断されたアルキルであるか、
又は
ヒドロキシ、アリール、シクロアルキル、アルコキシ、チオアルコキシ、アミノ、Ｎ−モノアルキル−アミノ、Ｎ，Ｎ−ジアルキル−アミノ、Ｎ−モノアリール−アミノ、Ｎ，Ｎ−ジアリール−アミノ、Ｎ−アルキル−Ｎ−アリール−アミノ、Ｎ−モノシクロアルキル−アミノ、Ｎ，Ｎ−ジシクロアルキル−アミノ、Ｎ−モノアルキル−モノシクロアルキル−アミノ、Ｎ，Ｎ−モノアリール−モノシクロアルキル−アミノ、Ｎ−アシルアミノ、Ｎ−アルキルスルホニル−アミノ、ハロゲン、シアノ、チオシアノ、ニトロ、アシル、チオアシル、アルキルスルホニル、アリーロイル、トリフルオロメチル、ヘテロアリール、ヘテロシクロアルキル、アルコキシカルボニル、アルコキシチオカルボニル、アシルオキシ、アリーロイルオキシ、カルバモイル、Ｎ−モノシクロアルキル−カルバモイル、Ｎ−モノアルキル−カルバモイル、Ｎ，Ｎ−ジシクロアルキル−カルバモイル、Ｎ，Ｎ−ジアルキル−カルバモイル、Ｎ−モノアリール−カルバモイル、Ｎ，Ｎ−ジアリール−カルバモイル、Ｎ−モノシクロアルキル−Ｎ−モノアリールカルバモイル、Ｎ−モノアルキル−Ｎ−モノアリール−カルバモイル、スルファモイル、Ｎ−モノシクロアルキル−スルファモイル、Ｎ−モノアルキル−スルファモイル、Ｎ，Ｎ−ジシクロアルキル−スルファモイル、Ｎ，Ｎ−ジアルキル−スルファモイル、Ｎ−モノアリール−スルファモイル、Ｎ，Ｎ−ジアリール−スルファモイル、Ｎ−モノシクロアルキル−Ｎ−モノアリールスルファモイル、Ｎ−モノアルキル−Ｎ−モノアリールスルファモイル、アリールスルホニルオキシ、アルキルスルホニルオキシ、アリールオキシスルホニル、アルコキシルスルホニル、及びＣＯＯＲ１２からなる群より選択される１種又は複数の置換基によって置換されたアルキルであるか、
又は
酸素及び硫黄からなる群より選択される１個又は複数のヘテロ原子によって中断され、そしてヒドロキシ、アリール、シクロアルキル、アルコキシ、チオアルコキシ、アミノ、Ｎ−モノアルキル−アミノ、Ｎ，Ｎ−ジアルキル−アミノ、Ｎ−モノアリール−アミノ、Ｎ，Ｎ−ジアリール−アミノ、Ｎ−アルキル−Ｎ−アリール−アミノ、Ｎ−モノシクロアルキル−アミノ、Ｎ，Ｎ−ジシクロアルキル−アミノ、Ｎ−モノアルキル−モノシクロアルキル−アミノ、Ｎ，Ｎ−モノアリール−モノシクロアルキル−アミノ、Ｎ−アシルアミノ、Ｎ−アルキルスルホニル−アミノ、ハロゲン、シアノ、チオシアノ、ニトロ、アシル、チオアシル、アルキルスルホニル、アリーロイル、トリフルオロメチル、ヘテロアリール、ヘテロシクロアルキル、アルコキシカルボニル、アルコキシチオカルボニル、アシルオキシ、アリーロイルオキシ、カルバモイル、Ｎ−モノシクロアルキル−カルバモイル、Ｎ−モノアルキル−カルバモイル、Ｎ，Ｎ−ジシクロアルキル−カルバモイル、Ｎ，Ｎ−ジアルキル−カルバモイル、Ｎ−モノアリール−カルバモイル、Ｎ，Ｎ−ジアリール−カルバモイル、Ｎ−モノシクロアルキル−Ｎ−モノアリールカルバモイル、Ｎ−モノアルキル−Ｎ−モノアリール−カルバモイル、スルファモイル、Ｎ−モノシクロアルキル−スルファモイル、Ｎ−モノアルキル−スルファモイル、Ｎ，Ｎ−ジシクロアルキル−スルファモイル、Ｎ，Ｎ−ジアルキル−スルファモイル、Ｎ−モノアリール−スルファモイル、Ｎ，Ｎ−ジアリール−スルファモイル、Ｎ−モノシクロアルキル−Ｎ−モノアリールスルファモイル、Ｎ−モノアルキル−Ｎ−モノアリールスルファモイル、アリールスルホニルオキシ、アルキルスルホニルオキシ、アリールオキシスルホニル、アルコキシルスルホニル、及びＣＯＯＲ１２からなる群より選択される１種又は複数の置換基によって置換されたアルキルであるか、
又は
ヒドロキシ、アリール、シクロアルキル、アルコキシ、チオアルコキシ、アミノ、Ｎ−モノアルキル−アミノ、Ｎ，Ｎ−ジアルキル−アミノ、Ｎ−モノアリール−アミノ、Ｎ，Ｎ−ジアリール−アミノ、Ｎ−アルキル−Ｎ−アリール−アミノ、Ｎ−モノシクロアルキル−アミノ、Ｎ，Ｎ−ジシクロアルキル−アミノ、Ｎ−モノアルキル−モノシクロアルキル−アミノ、Ｎ，Ｎ−モノアリール−モノシクロアルキル−アミノ、Ｎ−アシルアミノ、Ｎ−アルキルスルホニル−アミノ、チオシアノ、ハロゲン、シアノ、ニトロ、アシル、チオアシル、アルキルスルホニル、アリーロイル、トリフルオロメチル、ヘテロアリール、ヘテロシクロアルキル、アルコキシカルボニル、アルコキシチオカルボニル、アシルオキシ、アリーロイルオキシ、カルバモイル、Ｎ−モノシクロアルキル−カルバモイル、Ｎ−モノアルキル−カルバモイル、Ｎ，Ｎ−ジシクロアルキル−カルバモイル、Ｎ，Ｎ−ジアルキル−カルバモイル、Ｎ−モノアリール−カルバモイル、Ｎ，Ｎ−ジアリール−カルバモイル、Ｎ−モノシクロアルキル−Ｎ−モノアリールカルバモイル、Ｎ−モノアルキル−Ｎ−モノアリール−カルバモイル、スルファモイル、Ｎ−モノシクロアルキル−スルファモイル、Ｎ−モノアルキル−スルファモイル、Ｎ，Ｎ−ジシクロアルキル−スルファモイル、Ｎ，Ｎ−ジアルキル−スルファモイル、Ｎ−モノアリール−スルファモイル、Ｎ，Ｎ−ジアリール−スルファモイル、Ｎ−モノシクロアルキル−Ｎ−モノアリールスルファモイル、Ｎ−モノアルキル−Ｎ−モノアリールスルファモイル、アリールスルホニルオキシ、アルキルスルホニルオキシ、アリールオキシスルホニル、アルコキシルスルホニル、及びＣＯＯＲ１２からなる群より選択される１種又は複数の置換基によって置換されたアリールである］
又は
Ｄは、式（ＸＩＸ）の基を表すか、
【化１９】
0006452170.tif 000020
［式中、
Ｔ３４、Ｔ３５、及びＴ３６は、互いに独立して、水素、ハロゲン、ニトロ、シアノ、ヒドロキシル、アルコキシルカルボニル、アルキル、アシルであるか、
又は
ヒドロキシ、アリール、シクロアルキル、アルコキシ、チオアルコキシ、アミノ、Ｎ−モノアルキル−アミノ、Ｎ，Ｎ−ジアルキル−アミノ、Ｎ−モノアリール−アミノ、Ｎ，Ｎ−ジアリール−アミノ、Ｎ−アルキル−Ｎ−アリール−アミノ、Ｎ−モノシクロアルキル−アミノ、Ｎ，Ｎ−ジシクロアルキル−アミノ、Ｎ−モノアルキル−モノシクロアルキル−アミノ、Ｎ，Ｎ−モノアリール−モノシクロアルキル−アミノ、Ｎ−アシルアミノ、Ｎ−アルキルスルホニル−アミノ、ハロゲン、シアノ、チオシアノ、ニトロ、アシル、チオアシル、アルキルスルホニル、アリーロイル、トリフルオロメチル、ヘテロアリール、ヘテロシクロアルキル、アルコキシカルボニル、アルコキシチオカルボニル、アシルオキシ、アリーロイルオキシ、カルバモイル、Ｎ−モノシクロアルキル−カルバモイル、Ｎ−モノアルキル−カルバモイル、Ｎ，Ｎ−ジシクロアルキル−カルバモイル、Ｎ，Ｎ−ジアルキル−カルバモイル、Ｎ−モノアリール−カルバモイル、Ｎ，Ｎ−ジアリール−カルバモイル、Ｎ−モノシクロアルキル−Ｎ−モノアリールカルバモイル、Ｎ−モノアルキル−Ｎ−モノアリール−カルバモイル、スルファモイル、Ｎ−モノシクロアルキル−スルファモイル、Ｎ−モノアルキル−スルファモイル、Ｎ，Ｎ−ジシクロアルキル−スルファモイル、Ｎ，Ｎ−ジアルキル−スルファモイル、Ｎ−モノアリール−スルファモイル、Ｎ，Ｎ−ジアリール−スルファモイル、Ｎ−モノシクロアルキル−Ｎ−モノアリールスルファモイル、Ｎ−モノアルキル−Ｎ−モノアリールスルファモイル、アリールスルホニルオキシ、アルキルスルホニルオキシ、アリールオキシスルホニル、アルコキシルスルホニル、及びＣＯＯＲ１２からなる群より選択される１種又は複数の置換基によって置換されたアルキルであるか、
又は
酸素及び硫黄からなる群より選択される１個又は複数のヘテロ原子によって中断され、そしてヒドロキシ、アリール、シクロアルキル、アルコキシ、チオアルコキシ、アミノ、Ｎ−モノアルキル−アミノ、Ｎ，Ｎ−ジアルキル−アミノ、Ｎ−モノアリール−アミノ、Ｎ，Ｎ−ジアリール−アミノ、Ｎ−アルキル−Ｎ−アリール−アミノ、Ｎ−モノシクロアルキル−アミノ、Ｎ，Ｎ−ジシクロアルキル−アミノ、Ｎ−モノアルキル−モノシクロアルキル−アミノ、Ｎ，Ｎ−モノアリール−モノシクロアルキル−アミノ、Ｎ−アシルアミノ、Ｎ−アルキルスルホニル−アミノ、ハロゲン、シアノ、チオシアノ、ニトロ、アシル、チオアシル、アルキルスルホニル、アリーロイル、トリフルオロメチル、ヘテロアリール、ヘテロシクロアルキル、アルコキシカルボニル、アルコキシチオカルボニル、アシルオキシ、アリーロイルオキシ、カルバモイル、Ｎ−モノシクロアルキル−カルバモイル、Ｎ−モノアルキル−カルバモイル、Ｎ，Ｎ−ジシクロアルキル−カルバモイル、Ｎ，Ｎ−ジアルキル−カルバモイル、Ｎ−モノアリール−カルバモイル、Ｎ，Ｎ−ジアリール−カルバモイル、Ｎ−モノシクロアルキル−Ｎ−モノアリールカルバモイル、Ｎ−モノアルキル−Ｎ−モノアリール−カルバモイル、スルファモイル、Ｎ−モノシクロアルキル−スルファモイル、Ｎ−モノアルキル−スルファモイル、Ｎ，Ｎ−ジシクロアルキル−スルファモイル、Ｎ，Ｎ−ジアルキル−スルファモイル、Ｎ−モノアリール−スルファモイル、Ｎ，Ｎ−ジアリール−スルファモイル、Ｎ−モノシクロアルキル−Ｎ−モノアリールスルファモイル、Ｎ−モノアルキル−Ｎ−モノアリールスルファモイル、アリールスルホニルオキシ、アルキルスルホニルオキシ、アリールオキシスルホニル、アルコキシルスルホニル、及びＣＯＯＲ１２からなる群より選択される１種又は複数の置換基によって置換されたアルキルである］
又は
Ｄは、式（ＸＸ）の基を表すが、
【化２０】
0006452170.tif 000021
［式中、
Ｔ３７は、水素、ハロゲン、又はニトロである］
Ｒ１２は、水素、アルキル、アルケニル、シクロアルキル、アリール、ヘテロアリール、ヘテロシクロアルキルであるか、
又は
酸素及び硫黄からなる群より選択される１個又は複数のヘテロ原子によって中断されたアルキルであるか、
又は
ヒドロキシ、アリール、シクロアルキル、アルコキシ、チオアルコキシ、ハロゲン、シアノ、アミノ、チオシアノ、ニトロ、アシル、チオアシル、アルキルスルホニル、アリーロイル、トリフルオロメチル、ヘテロアリール、ヘテロシクロアルキル、アルコキシチオカルボニル、アシルオキシ、アリーロイルオキシ、カルバモイル、スルファモイル、アリールスルホニルオキシ、アルキルスルホニルオキシ、アリールオキシスルホニル、及びアルコキシルスルホニルからなる群より選択される１種又は複数の置換基によって置換されたアルキルであるか、
又は
酸素及び硫黄からなる群より選択される１個又は複数のヘテロ原子によって中断され、そしてヒドロキシ、アリール、シクロアルキル、アルコキシ、チオアルコキシ、ハロゲン、シアノ、アミノ、チオシアノ、ニトロ、アシル、チオアシル、アルキルスルホニル、アリーロイル、トリフルオロメチル、ヘテロアリール、ヘテロシクロアルキル、アルコキシチオカルボニル、アシルオキシ、アリーロイルオキシ、カルバモイル、スルファモイル、アリールスルホニルオキシ、アルキルスルホニルオキシ、アリールオキシスルホニル、及びアルコキシルスルホニルからなる群より選択される１種又は複数の置換基によって置換されたアルキルであるか、
又は
ヒドロキシ、アリール、シクロアルキル、アルコキシ、チオアルコキシ、アミノ、チオシアノ、ハロゲン、シアノ、ニトロ、アシル、チオアシル、アルキルスルホニル、アリーロイル、トリフルオロメチル、ヘテロアリール、ヘテロシクロアルキル、アルコキシカルボニル、アルコキシチオカルボニル、アシルオキシ、アリーロイルオキシ、カルバモイル、スルファモイル、アリールスルホニルオキシ、アルキルスルホニルオキシ、アリールオキシスルホニル、及びアルコキシルスルホニルからなる群より選択される１種又は複数の置換基によって置換されたアリールである］
ただし、Ｄが式（ＸＶ）の基を表している場合には、Ｙは、カルボニルのみであり、Ｒ２とＲ１４の間での縮合環の生成は許されない。］
【発明を実施するための形態】
【０００６】
本発明は、式（Ｉ）の染料及びそれらの混合物の互変異性体及び幾何異性体すべてに関連する。
【０００７】
本発明におけるアルキル基は、直鎖状であってもあるいは分岐状であってもよく、（Ｃ１〜Ｃ１２）−アルキル基、好ましくは（Ｃ１〜Ｃ６）−アルキル基、たとえばメチル、エチル、プロピル、イソプロピル、ｎ−ブチル、イソブチル、ｔｅｒｔ−ブチル、ｎ−ペンチル、イソペンチル、又はｎ−ヘキシルである。
【０００８】
同じことがアルコキシ基にもあてはまり、従って好ましくは（Ｃ１〜Ｃ８）−アルコキシ、たとえばメトキシ及びエトキシであるし、チオアルコキシ基にもあてはまり、好ましくは（Ｃ１〜Ｃ８）−チオアルコキシ、たとえばメチルスルファニル又はエチルスルファニルである。
【０００９】
シクロアルキル基は、好ましくは（Ｃ３〜Ｃ８）−シクロアルキル、特に好ましくはシクロペンチル及びシクロヘキシルである。「シクロアルキル」という用語には、本発明の目的においては、置換シクロアルキル基及び同様に不飽和シクロアルキル基が含まれる。このタイプの好ましい基は、シクロペンテニルである。好ましい置換基は、アルキル、ヒドロキシアルキル、ハロゲン、ヒドロキシル、アルコキシ、アシル、シアノ、ニトロ、アミノ、モノアルキルアミノ、ジアルキルアミノ、モノ（ヒドロキシアルキル）アミノ、ビス（ヒドロキシアルキル）アミノ、モノアルキル−モノ（ヒドロキシアルキル）アミノ、カルバモイル、スルファモイル、アシルアミノ、アミノスルホニルアミノ、アルコキシカルボニル、及びアシルオキシである。
【００１０】
アルケニル基は、直鎖状であってもあるいは分岐状であってもよく、好ましくは（Ｃ２〜Ｃ６）の基、たとえばビニル及びアリルである。「アルケニル」という用語には、本発明の目的においては、同様にアルキニル基、たとえばエチニル及びプロパルギルが含まれる。
【００１１】
本発明におけるアリール基は、好ましくはフェニル又はナフチルである。「フェニル」及び「ナフチル」という用語には、非置換及び置換されたフェニル及びナフチルが含まれる。好ましい置換基は、アルキル、シクロアルキル、ヘテロシクロアルキル、ヒドロキシアルキル、ハロゲン、ヒドロキシル、アルコキシ、アルキルチオ、アシル、ニトロ、シアノ、アミノ、モノアルキルアミノ、ジアルキルアミノ、モノ（ヒドロキシアルキル）アミノ、ビス（ヒドロキシアルキル）アミノ、モノアルキル−モノ（ヒドロキシアルキル）アミノ、カルバモイル、スルファモイル、アシルアミノ、アミノスルホニルアミノ、アルコキシカルボニル、アシルオキシ、アリールスルホニルオキシ、アルキルスルホニルオキシ、アリールオキシスルホニル、又はアルコキシルスルホニルである。
【００１２】
本発明におけるヘテロアリール基は、好ましくは、ピリジン、ピリミジン、ピリダジン、ピラジン、ピロール、イミダゾール、ピラゾール、１，２，４−チアジアゾール、１，２，４−トリアゾール、テトラゾール、チオフェン、チアゾール、イソチアゾール、ベンゾチアゾール、ベンゾイソチアゾール、１，３，４−チアジアゾール、フラン、オキサゾール、ベンゾオキサゾール、又はイソオキサゾールである。「ヘテロアリール」という用語には、非置換の形及び置換された形の上述の基が含まれる。好ましい置換基は、アルキル、ヒドロキシアルキル、ハロゲン、ヒドロキシル、アルコキシ、アルキルチオ、アシル、ニトロ、シアノ、アミノ、モノアルキルアミノ、ジアルキルアミノ、モノ（ヒドロキシアルキル）アミノ、ビス（ヒドロキシアルキル）アミノ、モノアルキル−モノ（ヒドロキシアルキル）アミノ、カルバモイル、スルファモイル、アシルアミノ、アミノスルホニルアミノ、アルコキシカルボニル、アリールスルホニルオキシ、アルキルスルホニルオキシ、アリールオキシスルホニル、アルコキシルスルホニル、又はアシルオキシである。
【００１３】
ヘテロシクロアルキル基は、好ましくは、ピロリジン、ピペリジン、モルホリン、テトラヒドロフラン、又はピペラジンである。「ヘテロシクロアルキル」という用語には、非置換の形及び置換された形の上述の基が含まれる。好ましい置換基は、アルキル、ヒドロキシアルキル、ハロゲン、ヒドロキシル、アルコキシ、アルキルチオ、アシル、ニトロ、シアノ、アミノ、モノアルキルアミノ、ジアルキルアミノ、モノ（ヒドロキシアルキル）アミノ、ビス（ヒドロキシアルキル）アミノ、モノアルキル−モノ（ヒドロキシアルキル）アミノ、カルバモイル、スルファモイル、アシルアミノ、アミノカルボニルアミノ、アミノスルホニルアミノ、アルコキシカルボニル、アリールスルホニルオキシ、アルキルスルホニルオキシ、アリールオキシスルホニル、アルコキシルスルホニル、又はアシルオキシである。
【００１４】
ハロゲンは、好ましくは塩素、臭素、又はフッ素である。
【００１５】
好ましい染料の群は、Ｙがカルボニルである群である。
【００１６】
好ましいのは、式（Ｉ−ａ）を有する上述の染料である。
【化２１】
0006452170.tif 000022
［式中、
Ｔ１〜Ｔ４のそれぞれは、互いに独立して、水素、（Ｃ１〜Ｃ６）−アルキル、（Ｃ３〜Ｃ６）−シクロアルキル、置換された（Ｃ１〜Ｃ６）−アルキル、（Ｃ３〜Ｃ４）−アルケニル、（Ｃ３〜Ｃ４）−アルキニル、アリール、Ｏにより中断された（Ｃ１〜Ｃ６）−アルキル、Ｓにより中断された（Ｃ１〜Ｃ６）−アルキル、（Ｃ１〜Ｃ８）−アルコキシル、（Ｃ１〜Ｃ６）−シクロアルキル、ハロゲン、シアノ、ニトロ、アリールスルホニル、アリールスルホニルオキシ、（Ｃ１〜Ｃ６）−アルキルスルホニル、（Ｃ１〜Ｃ６）−アルコキシルスルホニル、Ｎ−（Ｃ１〜Ｃ６）−アルキルスルファモイル、Ｎ，Ｎ−ビス（Ｃ１〜Ｃ６）アルキルスルファモイル、Ｎ−（Ｃ１〜Ｃ６）−アルキルカルバモイル、Ｎ−ビス（Ｃ１〜Ｃ６）アルキル−カルバモイル、（Ｃ１〜Ｃ６）−アルキルアシル、アリールアシル、（Ｃ１〜Ｃ６）−アルコキシルカルボニル、アリールオキシルカルボニル、チオシアノ、ヒドロキシル、アリールオキシ、アリールメトキシル、アリーロイルオキシ、アリールスルホニルオキシ、｛［（Ｃ１〜Ｃ６）−アルコキシルカルボニル］メトキシル｝カルボニル、［（アリールオキシカルボニル）メトキシ］カルボニル、｛［（Ｃ１〜Ｃ６）−アルキルアシル］−メトキシ｝カルボニル、又は［（アリールアシル）−メトキシ］カルボニルであり、
Ｒ１は、（Ｃ１〜Ｃ６）−アルキル、（Ｃ１〜Ｃ６）−アシルオキシで置換された（Ｃ２〜Ｃ６）アルキル、シアノ（Ｃ１〜Ｃ６）アルキル、アリールメチル、アリールアシル（Ｃ１〜Ｃ６）アルキル、２−（Ｃ１〜Ｃ６）アルコキシル−２−オキソエチル、Ｏにより中断された（Ｃ２〜Ｃ６）−アルキル、Ｓにより中断された（Ｃ２〜Ｃ６）−アルキル、（Ｃ３〜Ｃ４）−アルケニル、（Ｃ３〜Ｃ４）−アルキニル、３−（Ｃ１〜Ｃ６）アルコキシル−３−オキソプロピル、３−［Ｏにより中断された（Ｃ２〜Ｃ６）−アルコキシル］−３−オキソプロピル、２−（Ｃ１〜Ｃ６）アルコキシル−２−オキソエチル、２−［Ｏにより中断された（Ｃ２〜Ｃ６）−アルコキシル］−２−オキソエチル、２−｛［（Ｃ１〜Ｃ６）−アルキルアシル］−メトキシ｝−２−オキソエチル、３−｛［（Ｃ１〜Ｃ６）−アルキルアシル］−メトキシ｝−３−オキソプロピル、２−［（アリールアシル）−メトキシ］−２−オキソエチル、３−［（アリールアシル）−メトキシ］−３−オキソプロピル、３−｛［（Ｃ１〜Ｃ６）−アルコキシルカルボニル］−メトキシ｝−３−オキソプロピル、３−（アリールメトキシ）−３−オキソプロピル、３−［（アリールアシル）−メトキシ］−３−オキソプロピル、２−（シアノメトキシ）−２−オキソエチル、３−（シアノメトキシ）−３−オキソプロピル、２−｛［（Ｃ１〜Ｃ６）−アルコキシルカルボニル］メトキシ｝−２−オキソエチル、１−［（Ｃ１〜Ｃ６）−アルキル］−３−［（Ｃ１〜Ｃ６）−アルコキシル］−３−オキソプロピル、１−［（Ｃ１〜Ｃ６）−アルキル］−３−［Ｏにより中断された（Ｃ１〜Ｃ６）−アルコキシル］−３−オキソプロピル、１−［（Ｃ１〜Ｃ６）−アルキル］−３−（アリールメトキシル）−３−オキソプロピル、１−［（Ｃ１〜Ｃ６）−アルキル］−３−｛［（Ｃ１〜Ｃ６）−アルキルアシル］メトキシ｝−３−オキソプロピル、又は１−［（Ｃ１〜Ｃ６）−アルキル］−３−｛［（Ｃ１〜Ｃ６）−アルコキシルカルボニル］−メトキシ｝−３−オキソプロピルであり、
Ｒ２〜Ｒ７は、互いに独立して、水素、（Ｃ１〜Ｃ６）アルキル、アリール、（Ｃ１〜Ｃ８）アルコキシル、（Ｃ３〜Ｃ８）シクロアルキル、Ｏにより中断された（Ｃ２〜Ｃ６）アルキル、Ｓにより中断された（Ｃ２〜Ｃ６）アルキル、又はハロゲンであり、
Ｒ８は、水素、（Ｃ１〜Ｃ６）アルキル、（Ｃ３〜Ｃ４）−アルケニル、（Ｃ３〜Ｃ４）−アルキニル、アリールメチル、２−（Ｃ１〜Ｃ６）アルコキシル−２−オキソエチル、２−（アリールメチル）−２−オキソエチル、シアノ（Ｃ１〜Ｃ６）アルキル、Ｏにより中断された（Ｃ１〜Ｃ６）アルキル、又はＳにより中断された（Ｃ１〜Ｃ６）アルキルであり、
そして
Ｙは、カルボニルである。］
【００１７】
特に好適な一般式（Ｉ−ａ）の染料においては、
Ｔ１、Ｔ３、及びＴ４が、互いに独立して、水素、ニトロ、シアノ、臭素、塩素、ベンズオキシル（ｂｅｎｚｏｘｙｌ）、フェノキシ、メトキシ、エトキシ、メチル、トリフルオロメチル、エチル、ベンゾイル、アセチル、ヒドロキシル、メトキシカルボニル、エトキシカルボニル、メチルスルホニル、シアノメチルスルホニル、アセトニルスルホニル、（２−エトキシ−２−オキソエチル）スルホニル、（２−メトキシ−２−オキソエチル）スルホニル、フェニルスルホニルオキシ、フェノキシルスルホニル、エトキシルスルホニル、フェノキシルスルホニル、シアノメトキシルカルボニル、（２−エトキシ−２−オキソエチル）カルボニル、（２−メトキシ−２−オキソエチル）カルボニル、アセトニルカルボニル、又はフェナシルカルボニルであり、
Ｔ２が、水素、塩素、臭素、メトキシ、エトキシル、フェノキシ、ベンズオキシ、ニトロ、メチル、又はエチルであり、
Ｒ１が、メチル、エチル、プロピル、イソプロピル、ｎ−ブチル、イソブチル、ベンジル、２−メトキシルエチル、２−エトキシルエチル、２−アセトキシエチル、２−（プロピオニル）オキシエチル、２−（ベンゾイル）オキシエチル、シアノメチル、２−シアノエチル、３−シアノプロピル、３−（Ｃ１〜Ｃ６）アルコキシル−３−オキソプロピル、３−［Ｏにより中断された（Ｃ２〜Ｃ６）−アルコキシル］−３−オキソプロピル、２−（Ｃ１〜Ｃ６）アルキル−２−オキソエチル、２−［Ｏにより中断された（Ｃ２〜Ｃ６）−アルコキシル］−２−オキソエチル、２−（シアノメトキシ）−２−オキソエチル、３−（シアノメトキシ）−３−オキソプロピル、２−［（アリールアシル）メトキシ］−２−オキソエチル、３−［（アリールアシル）メトキシ］−３−オキソプロピル、３−（アリールメトキシ）−３−オキソプロピル、３−｛［（Ｃ１〜Ｃ６）アルキルアシル］−メトキシル｝−３−オキソプロピル、３−［（アリールアシル）−メトキシ］−３−オキソプロピル、３−｛［（Ｃ１〜Ｃ６）−アルコキシカルボニル］メトキシ｝−３−オキソプロピル、２−｛［（Ｃ１〜Ｃ６）−アルコキシカルボニル］メトキシ｝−２−オキソエチル、又は２−｛［（Ｃ１〜Ｃ６）アルキルアシル］−メトキシル｝２−オキソエチルであり、
Ｒ２〜Ｒ７が、互いに独立して、水素、臭素、塩素、エチル、又はメチルであり、
Ｒ８が、水素、メチル、エチル、プロピル、イソプロピル、２−エトキシ−２−オキソエチル、又は２−メトキシ−２−オキソエチルであり、
そして
Ｙが、カルボニルである。
【００１８】
好ましい式（Ｉ−ａ）の染料の例は、表１に示した化合物及びそれらの混合物である。
【００１９】
【表１】
0006452170.tif 000023
【００２０】
【表２】
0006452170.tif 000024
【００２１】
【表３】
0006452170.tif 000025
【００２２】
【表４】
0006452170.tif 000026
【００２３】
【表５】
0006452170.tif 000027
【００２４】
【表６】
0006452170.tif 000028
【００２５】
【表７】
0006452170.tif 000029
【００２６】
【表８】
0006452170.tif 000030
【００２７】
【表９】
0006452170.tif 000031
【００２８】
【表１０】
0006452170.tif 000032
【００２９】
【表１１】
0006452170.tif 000033
【００３０】
【表１２】
0006452170.tif 000034
【００３１】
好ましいのは、式（Ｉ−ｂ）を有する上述の染料である。
【化２２】
0006452170.tif 000035
［式中、
Ｔ５〜Ｔ７は、互いに独立して、水素、（Ｃ１〜Ｃ６）アルキル、（Ｃ３〜Ｃ８）シクロアルキル、Ｏにより中断された（Ｃ１〜Ｃ６）−アルキル、Ｓにより中断された（Ｃ１〜Ｃ６）−アルキル、アリール、（Ｃ１〜Ｃ６）アルコキシル、ハロゲン、シアノ、ニトロ、（Ｃ１〜Ｃ６）−アルキルアシル、アリールアシル、（Ｃ１〜Ｃ６）−アルコキシカルボニル、アリールオキシカルボニル、Ｎ−（Ｃ１〜Ｃ６）−アルキルカルバモイル、又はＮ，Ｎ−ビス（Ｃ１〜Ｃ６）−アルキルカルバモイルであるが、ここで、Ｔ５、Ｔ６、及びＴ７の内の少なくとも一つは水素ではなく、
Ｒ１は、メチル、エチル、プロピル、イソプロピル、ｎ−ブチル、イソブチル、ベンジル、２−メトキシルエチル、２−エトキシルエチル、２−アセトキシエチル、２−（プロピオニル）オキシエチル、２−（ベンゾイル）オキシエチル、シアノメチル、２−シアノエチル、３−シアノプロピル、３−（Ｃ１〜Ｃ６）アルコキシル−３−オキソプロピル、３−［Ｏにより中断された（Ｃ２〜Ｃ６）−アルコキシル］−３−オキソプロピル、２−（Ｃ１〜Ｃ６）アルキル−２−オキソエチル、２−［Ｏにより中断された（Ｃ２〜Ｃ６）−アルコキシル］−２−オキソエチル、２−（シアノメトキシ）−２−オキソエチル、３−（シアノメトキシ）−３−オキソプロピル、２−［（アリールアシル）メトキシ］−２−オキソエチル、３−［（アリールアシル）メトキシ］−３−オキソプロピル、３−（アリールメトキシ）−３−オキソプロピル、３−｛［（Ｃ１〜Ｃ６）アルキルアシル］−メトキシル｝−３−オキソプロピル、３−［（アリールアシル）−メトキシ］−３−オキソプロピル、３−｛［（Ｃ１〜Ｃ６）−アルコキシカルボニル］メトキシ｝−３−オキソプロピル、２−｛［（Ｃ１〜Ｃ６）−アルコキシカルボニル］メトキシ｝−２−オキソエチル、又は２−｛［（Ｃ１〜Ｃ６）アルキルアシル］−メトキシル｝−２−オキソエチルであり、
Ｒ２〜Ｒ７は、互いに独立して、水素、（Ｃ１〜Ｃ６）アルキル、アリール、（Ｃ１〜Ｃ８）アルコキシル、（Ｃ３〜Ｃ８）シクロアルキル、Ｏにより中断された（Ｃ２〜Ｃ６）アルキル、Ｓにより中断された（Ｃ２〜Ｃ６）アルキル、又はハロゲンであり、
Ｒ８は、水素、（Ｃ１〜Ｃ６）アルキル、（Ｃ３〜Ｃ４）−アルケニル、（Ｃ３〜Ｃ４）−アルキニル、アリールメチル、２−（Ｃ１〜Ｃ６）アルコキシル−２−オキソエチル、２−（アリールメチル）−２−オキソエチル、シアノ（Ｃ１〜Ｃ６）アルキル、Ｏにより中断された（Ｃ１〜Ｃ６）アルキル、又はＳにより中断された（Ｃ１〜Ｃ６）アルキルであり、
そして
Ｙは、カルボニルである。］
【００３２】
好ましい式（Ｉ−ｂ）の染料の例は、表２に示した化合物及びそれらの混合物である。
【００３３】
【表１３】
0006452170.tif 000036
【００３４】
本発明のまた別の好ましい態様は、式（Ｉ−ｃ）を有する上述の染料である。
【化２３】
0006452170.tif 000037
［式中、
Ｔ８及びＴ１０は、互いに独立して、水素、フッ素、塩素、又は臭素であり、
Ｔ９は、水素、（Ｃ１〜Ｃ６）−アルキルスルホニル、チオシアノ、（Ｃ１〜Ｃ６）アルコキシ、塩素、又はニトロであり、
Ｒ１は、メチル、エチル、プロピル、イソプロピル、ｎ−ブチル、イソブチル、ベンジル、２−メトキシルエチル、２−エトキシルエチル、２−アセトキシエチル、２−（プロピオニル）オキシエチル、２−（ベンゾイル）オキシエチル、シアノメチル、２−シアノエチル、３−シアノプロピル、３−（Ｃ１〜Ｃ６）アルコキシル−３−オキソプロピル、３−［Ｏにより中断された（Ｃ２〜Ｃ６）−アルコキシル］−３−オキソプロピル、２−（Ｃ１〜Ｃ６）アルキル−２−オキソエチル、２−［Ｏにより中断された（Ｃ２〜Ｃ６）−アルコキシル］−２−オキソエチル、２−（シアノメトキシ）−２−オキソエチル、３−（シアノメトキシ）−３−オキソプロピル、２−［（アリールアシル）メトキシ］−２−オキソエチル、３−［（アリールアシル）メトキシ］−３−オキソプロピル、３−（アリールメトキシ）−３−オキソプロピル、３−｛［（Ｃ１〜Ｃ６）アルキルアシル］−メトキシル｝−３−オキソプロピル、３−［（アリールアシル）−メトキシ］−３−オキソプロピル、３−｛［（Ｃ１〜Ｃ６）−アルコキシカルボニル］メトキシ｝−３−オキソプロピル、２−｛［（Ｃ１〜Ｃ６）−アルコキシカルボニル］メトキシ｝−２−オキソエチル、又は２−｛［（Ｃ１〜Ｃ６）アルキルアシル］−メトキシル｝−２−オキソエチルであり、
Ｒ２〜Ｒ７は、互いに独立して、水素、（Ｃ１〜Ｃ６）アルキル、アリール、（Ｃ１〜Ｃ８）アルコキシル、（Ｃ３〜Ｃ８）シクロアルキル、Ｏにより中断された（Ｃ２〜Ｃ６）アルキル、Ｓにより中断された（Ｃ２〜Ｃ６）アルキル、又はハロゲンであり、
Ｒ８は、水素、（Ｃ１〜Ｃ６）アルキル、（Ｃ３〜Ｃ４）−アルケニル、（Ｃ３〜Ｃ４）−アルキニル、アリールメチル、２−（Ｃ１〜Ｃ６）アルコキシル−２−オキソエチル、２−（アリールメチル）−２−オキソエチル、シアノ（Ｃ１〜Ｃ６）アルキル、Ｏにより中断された（Ｃ１〜Ｃ６）アルキル、又はＳにより中断された（Ｃ１〜Ｃ６）アルキルであり、
そして
Ｙは、カルボニルである。］
【００３５】
好ましい式（Ｉ−ｃ）の染料の例は、表３に示した化合物及びそれらの混合物である。
【００３６】
【表１４】
0006452170.tif 000038
【００３７】
【表１５】
0006452170.tif 000039
【００３８】
【表１６】
0006452170.tif 000040
【００３９】
本発明のこれまた別の好ましい実施態様は、式（Ｉ−ｄ）を有する上述の染料である。
【化２４】
0006452170.tif 000041
［式中、
Ｔ１１は、水素、ニトロ、又は臭素であり、
Ｒ１は、メチル、エチル、プロピル、イソプロピル、ｎ−ブチル、イソブチル、ベンジル、２−メトキシルエチル、２−エトキシルエチル、２−アセトキシエチル、２−（プロピオニル）オキシエチル、２−（ベンゾイル）オキシエチル、シアノメチル、２−シアノエチル、３−シアノプロピル、３−（Ｃ１〜Ｃ６）アルコキシル−３−オキソプロピル、３−［Ｏにより中断された（Ｃ２〜Ｃ６）−アルコキシル］−３−オキソプロピル、２−（Ｃ１〜Ｃ６）アルキル−２−オキソエチル、２−［Ｏにより中断された（Ｃ２〜Ｃ６）−アルコキシル］−２−オキソエチル、２−（シアノメトキシ）−２−オキソエチル、３−（シアノメトキシ）−３−オキソプロピル、２−［（アリールアシル）メトキシ］−２−オキソエチル、３−［（アリールアシル）メトキシ］−３−オキソプロピル、３−（アリールメトキシ）−３−オキソプロピル、３−｛［（Ｃ１〜Ｃ６）アルキルアシル］−メトキシル｝−３−オキソプロピル、３−［（アリールアシル）−メトキシ］−３−オキソプロピル、３−｛［（Ｃ１〜Ｃ６）−アルコキシカルボニル］メトキシ｝−３−オキソプロピル、２−｛［（Ｃ１〜Ｃ６）−アルコキシカルボニル］メトキシ｝−２−オキソエチル、又は２−｛［（Ｃ１〜Ｃ６）アルキルアシル］−メトキシル｝−２−オキソエチルであり、
Ｒ２〜Ｒ７は、互いに独立して、水素、（Ｃ１〜Ｃ６）アルキル、アリール、（Ｃ１〜Ｃ８）アルコキシル、（Ｃ３〜Ｃ８）シクロアルキル、Ｏにより中断された（Ｃ２〜Ｃ６）アルキル、Ｓにより中断された（Ｃ２〜Ｃ６）アルキル、又はハロゲンであり、
Ｒ８は、水素、（Ｃ１〜Ｃ６）アルキル、（Ｃ３〜Ｃ４）−アルケニル、（Ｃ３〜Ｃ４）−アルキニル、アリールメチル、２−（Ｃ１〜Ｃ６）アルコキシル−２−オキソエチル、２−（アリールメチル）−２−オキソエチル、シアノ（Ｃ１〜Ｃ６）アルキル、Ｏにより中断された（Ｃ１〜Ｃ６）アルキル、又はＳにより中断された（Ｃ１〜Ｃ６）アルキルであり、
そして
Ｙは、カルボニルである。］
【００４０】
好ましい式（Ｉ−ｄ）の染料の例は、表４に示した化合物及びそれらの混合物である。
【００４１】
【表１７】
0006452170.tif 000042
【００４２】
【表１８】
0006452170.tif 000043
【００４３】
やはり好ましいのは、式（Ｉ−ｅ）を有する上述の染料である。
【化２５】
0006452170.tif 000044
［式中、
Ｔ１２及びＴ１４は、互いに独立して、ニトロ、シアノ、ホルミル、アセチル、又は（Ｃ１〜Ｃ６）−アルコキシカルボニルであり
Ｔ１３は、水素、アリール、（Ｃ１〜Ｃ６）−アルキル、又はハロゲンであり、
Ｒ１は、メチル、エチル、プロピル、イソプロピル、ｎ−ブチル、イソブチル、ベンジル、２−メトキシルエチル、２−エトキシルエチル、２−アセトキシエチル、２−（プロピオニル）オキシエチル、２−（ベンゾイル）オキシエチル、シアノメチル、２−シアノエチル、３−シアノプロピル、３−（Ｃ１〜Ｃ６）アルコキシル−３−オキソプロピル、３−［Ｏにより中断された（Ｃ２〜Ｃ６）−アルコキシル］−３−オキソプロピル、２−（Ｃ１〜Ｃ６）アルキル−２−オキソエチル、２−［Ｏにより中断された（Ｃ２〜Ｃ６）−アルコキシル］−２−オキソエチル、２−（シアノメトキシ）−２−オキソエチル、３−（シアノメトキシ）−３−オキソプロピル、２−［（アリールアシル）メトキシ］−２−オキソエチル、３−［（アリールアシル）メトキシ］−３−オキソプロピル、３−（アリールメトキシ）−３−オキソプロピル、３−｛［（Ｃ１〜Ｃ６）アルキルアシル］−メトキシル｝−３−オキソプロピル、３−［（アリールアシル）−メトキシ］−３−オキソプロピル、３−｛［（Ｃ１〜Ｃ６）−アルコキシカルボニル］メトキシ｝−３−オキソプロピル、２−｛［（Ｃ１〜Ｃ６）−アルコキシカルボニル］メトキシ｝−２−オキソエチル、又は２−｛［（Ｃ１〜Ｃ６）アルキルアシル］−メトキシル｝−２−オキソエチルであり、
Ｒ２〜Ｒ７は、互いに独立して、水素、（Ｃ１〜Ｃ６）アルキル、アリール、（Ｃ１〜Ｃ８）アルコキシル、（Ｃ３〜Ｃ８）シクロアルキル、Ｏにより中断された（Ｃ２〜Ｃ６）アルキル、Ｓにより中断された（Ｃ２〜Ｃ６）アルキル、又はハロゲンであり、
Ｒ８は、水素、（Ｃ１〜Ｃ６）アルキル、（Ｃ３〜Ｃ４）−アルケニル、（Ｃ３〜Ｃ４）−アルキニル、アリールメチル、２−（Ｃ１〜Ｃ６）アルコキシル−２−オキソエチル、２−（アリールメチル）−２−オキソエチル、シアノ（Ｃ１〜Ｃ６）アルキル、Ｏにより中断された（Ｃ１〜Ｃ６）アルキル、又はＳにより中断された（Ｃ１〜Ｃ６）アルキルであり、
そして
Ｙは、カルボニルである。］
【００４４】
好ましい式（Ｉ−ｅ）の染料の例は、表５に示した化合物及びそれらの混合物である。
【００４５】
【表１９】
0006452170.tif 000045
【００４６】
【表２０】
0006452170.tif 000046
【００４７】
【表２１】
0006452170.tif 000047
【００４８】
【表２２】
0006452170.tif 000048
【００４９】
やはり好ましいのは、式（Ｉ−ｆ）を有する上述の染料である。
【化２６】
0006452170.tif 000049
［式中、
Ｔ１５及びＴ１６は、互いに独立して、水素、ハロゲン、（Ｃ１〜Ｃ６）−アルキル、ニトロ、シアノ、ホルミル、アセチル、（Ｃ１〜Ｃ６）−アルコキシカルボニル、Ｏにより中断された（Ｃ１〜Ｃ６）−アルキル、Ｓにより中断された（Ｃ１〜Ｃ６）−アルキル、又はアリールであり、
Ｒ１は、メチル、エチル、プロピル、イソプロピル、ｎ−ブチル、イソブチル、ベンジル、２−メトキシルエチル、２−エトキシルエチル、２−アセトキシエチル、２−（プロピオニル）オキシエチル、２−（ベンゾイル）オキシエチル、シアノメチル、２−シアノエチル、３−シアノプロピル、３−（Ｃ１〜Ｃ６）アルコキシル−３−オキソプロピル、３−［Ｏにより中断された（Ｃ２〜Ｃ６）−アルコキシル］−３−オキソプロピル、２−（Ｃ１〜Ｃ６）アルキル−２−オキソエチル、２−［Ｏにより中断された（Ｃ２〜Ｃ６）−アルコキシル］−２−オキソエチル、２−（シアノメトキシ）−２−オキソエチル、３−（シアノメトキシ）−３−オキソプロピル、２−［（アリールアシル）メトキシ］−２−オキソエチル、３−［（アリールアシル）メトキシ］−３−オキソプロピル、３−（アリールメトキシ）−３−オキソプロピル、３−｛［（Ｃ１〜Ｃ６）アルキルアシル］−メトキシル｝−３−オキソプロピル、３−［（アリールアシル）−メトキシ］−３−オキソプロピル、３−｛［（Ｃ１〜Ｃ６）−アルコキシカルボニル］メトキシ｝−３−オキソプロピル、２−｛［（Ｃ１〜Ｃ６）−アルコキシカルボニル］メトキシ｝−２−オキソエチル、又は２−｛［（Ｃ１〜Ｃ６）アルキルアシル］−メトキシル｝−２−オキソエチルであり、
Ｒ２〜Ｒ７は、互いに独立して、水素、（Ｃ１〜Ｃ６）アルキル、アリール、（Ｃ１〜Ｃ８）アルコキシル、（Ｃ３〜Ｃ８）シクロアルキル、Ｏにより中断された（Ｃ２〜Ｃ６）アルキル、Ｓにより中断された（Ｃ２〜Ｃ６）アルキル、又はハロゲンであり、
Ｒ８は、水素、（Ｃ１〜Ｃ６）アルキル、（Ｃ３〜Ｃ４）−アルケニル、（Ｃ３〜Ｃ４）−アルキニル、アリールメチル、２−（Ｃ１〜Ｃ６）アルコキシル−２−オキソエチル、２−（アリールメチル）−２−オキソエチル、シアノ（Ｃ１〜Ｃ６）アルキル、Ｏにより中断された（Ｃ１〜Ｃ６）アルキル、又はＳにより中断された（Ｃ１〜Ｃ６）アルキルであり、
そして
Ｙは、カルボニルである。］
【００５０】
好ましい式（Ｉ−ｆ）の染料の例は、表６に示した化合物及びそれらの混合物である。
【００５１】
【表２３】
0006452170.tif 000050
【００５２】
【表２４】
0006452170.tif 000051
【００５３】
また別な好ましい染料の群は、式（Ｉ−ｇ）を有する上述の染料である。
【化２７】
0006452170.tif 000052
［式中、
Ｔ１７は、アリール、又は（Ｃ１〜Ｃ６）−チオアルコキシルであり、
Ｑは、酸素又は硫黄であり、
Ｒ１は、メチル、エチル、プロピル、イソプロピル、ｎ−ブチル、イソブチル、ベンジル、２−メトキシルエチル、２−エトキシルエチル、２−アセトキシエチル、２−（プロピオニル）オキシエチル、２−（ベンゾイル）オキシエチル、シアノメチル、２−シアノエチル、３−シアノプロピル、３−（Ｃ１〜Ｃ６）アルコキシル−３−オキソプロピル、３−［Ｏにより中断された（Ｃ２〜Ｃ６）−アルコキシル］−３−オキソプロピル、２−（Ｃ１〜Ｃ６）アルキル−２−オキソエチル、２−［Ｏにより中断された（Ｃ２〜Ｃ６）−アルコキシル］−２−オキソエチル、２−（シアノメトキシ）−２−オキソエチル、３−（シアノメトキシ）−３−オキソプロピル、２−［（アリールアシル）メトキシ］−２−オキソエチル、３−［（アリールアシル）メトキシ］−３−オキソプロピル、３−（アリールメトキシ）−３−オキソプロピル、３−｛［（Ｃ１〜Ｃ６）アルキルアシル］−メトキシル｝−３−オキソプロピル、３−［（アリールアシル）−メトキシ］−３−オキソプロピル、３−｛［（Ｃ１〜Ｃ６）−アルコキシカルボニル］メトキシ｝−３−オキソプロピル、２−｛［（Ｃ１〜Ｃ６）−アルコキシカルボニル］メトキシ｝−２−オキソエチル、又は２−｛［（Ｃ１〜Ｃ６）アルキルアシル］−メトキシル｝−２−オキソエチルであり、
Ｒ２〜Ｒ７は、互いに独立して、水素、（Ｃ１〜Ｃ６）アルキル、アリール、（Ｃ１〜Ｃ８）アルコキシル、（Ｃ３〜Ｃ８）シクロアルキル、Ｏにより中断された（Ｃ２〜Ｃ６）アルキル、Ｓにより中断された（Ｃ２〜Ｃ６）アルキル、ハロゲンであり、
Ｒ８は、水素、（Ｃ１〜Ｃ６）アルキル、（Ｃ３〜Ｃ４）−アルケニル、（Ｃ３〜Ｃ４）−アルキニル、アリールメチル、２−（Ｃ１〜Ｃ６）アルコキシル−２−オキソエチル、２−（アリールメチル）−２−オキソエチル、シアノ（Ｃ１〜Ｃ６）アルキル、Ｏにより中断された（Ｃ１〜Ｃ６）アルキル、又はＳにより中断された（Ｃ１〜Ｃ６）アルキルであり、
そして
Ｙは、カルボニルである。］
【００５４】
好ましい式（Ｉ−ｇ）の染料の例は、表７に示した化合物及びそれらの混合物である。
【００５５】
【表２５】
0006452170.tif 000053
【００５６】
【表２６】
0006452170.tif 000054
【００５７】
やはり好ましいのは、式（Ｉ−ｈ）を有する上述の染料である。
【化２８】
0006452170.tif 000055
［式中、
Ｔ１８は、（Ｃ１〜Ｃ６）アルキル、（Ｃ１〜Ｃ６）−アシルオキシで置換された（Ｃ１〜Ｃ６）アルキル、シアノ（Ｃ１〜Ｃ６）アルキル、アリールメチル、アリールカルボニル置換された（Ｃ１〜Ｃ６）アルキル、２−（Ｃ１〜Ｃ６）アルコキシル−２−オキソエチル、Ｏにより中断された（Ｃ１〜Ｃ６）−アルキル、Ｓにより中断された（Ｃ１〜Ｃ６）−アルキル、又はアリールであり、
Ｔ１９及びＴ２０は、互いに独立して、水素、ハロゲン、シアノ、ニトロ、又はトリフルオロメチルであり、
Ｚは、カルボニル又はスルホニル残基であり、
Ｒ１は、メチル、エチル、プロピル、イソプロピル、ｎ−ブチル、イソブチル、ベンジル、２−メトキシルエチル、２−エトキシルエチル、２−アセトキシエチル、２−（プロピオニル）オキシエチル、２−（ベンゾイル）オキシエチル、シアノメチル、２−シアノエチル、３−シアノプロピル、３−（Ｃ１〜Ｃ６）アルコキシル−３−オキソプロピル、３−［Ｏにより中断された（Ｃ２〜Ｃ６）−アルコキシル］−３−オキソプロピル、２−（Ｃ１〜Ｃ６）アルキル−２−オキソエチル、２−［Ｏにより中断された（Ｃ２〜Ｃ６）−アルコキシル］−２−オキソエチル、２−（シアノメトキシ）−２−オキソエチル、３−（シアノメトキシ）−３−オキソプロピル、２−［（アリールアシル）メトキシ］−２−オキソエチル、３−［（アリールアシル）メトキシ］−３−オキソプロピル、３−（アリールメトキシ）−３−オキソプロピル、３−｛［（Ｃ１〜Ｃ６）アルキルアシル］−メトキシル｝−３−オキソプロピル、３−［（アリールアシル）−メトキシ］−３−オキソプロピル、３−｛［（Ｃ１〜Ｃ６）−アルコキシカルボニル］メトキシ｝−３−オキソプロピル、２−｛［（Ｃ１〜Ｃ６）−アルコキシカルボニル］メトキシ｝−２−オキソエチル、又は２−｛［（Ｃ１〜Ｃ６）アルキルアシル］−メトキシル｝−２−オキソエチルであり、
Ｒ２〜Ｒ７は、互いに独立して、水素、（Ｃ１〜Ｃ６）アルキル、アリール、（Ｃ１〜Ｃ８）アルコキシル、（Ｃ３〜Ｃ８）シクロアルキル、Ｏにより中断された（Ｃ２〜Ｃ６）アルキル、Ｓにより中断された（Ｃ２〜Ｃ６）アルキル、又はハロゲンであり、
Ｒ８は、水素、（Ｃ１〜Ｃ６）アルキル、（Ｃ３〜Ｃ４）−アルケニル、（Ｃ３〜Ｃ４）−アルキニル、アリールメチル、２−（Ｃ１〜Ｃ６）アルコキシル−２−オキソエチル、２−（アリールメチル）−２−オキソエチル、シアノ（Ｃ１〜Ｃ６）アルキル、Ｏにより中断された（Ｃ１〜Ｃ６）アルキル、又はＳにより中断された（Ｃ１〜Ｃ６）アルキルであり、
そして
Ｙは、カルボニルである。］
【００５８】
好ましい式（Ｉ−ｈ）の染料の例は、表８に示した化合物及びそれらの混合物である。
【００５９】
【表２７】
0006452170.tif 000056
【００６０】
本発明における好ましい染料はさらに、式（Ｉ−ｉ）を有する上述のものである。
【化２９】
0006452170.tif 000057
［式中、
Ｔ２１は、シアノ、ニトロ、又は（Ｃ１〜Ｃ６）−アルコキシカルボニルであり、
Ｔ２２は、（Ｃ１〜Ｃ６）−アルキル、水素、ハロゲン、又はアリールであり、
Ｒ１は、メチル、エチル、プロピル、イソプロピル、ｎ−ブチル、イソブチル、ベンジル、２−メトキシルエチル、２−エトキシルエチル、２−アセトキシエチル、２−（プロピオニル）オキシエチル、２−（ベンゾイル）オキシエチル、シアノメチル、２−シアノエチル、３−シアノプロピル、３−（Ｃ１〜Ｃ６）アルコキシル−３−オキソプロピル、３−［Ｏにより中断された（Ｃ２〜Ｃ６）−アルコキシル］−３−オキソプロピル、２−（Ｃ１〜Ｃ６）アルキル−２−オキソエチル、２−［Ｏにより中断された（Ｃ２〜Ｃ６）−アルコキシル］−２−オキソエチル、２−（シアノメトキシ）−２−オキソエチル、３−（シアノメトキシ）−３−オキソプロピル、２−［（アリールアシル）メトキシ］−２−オキソエチル、３−［（アリールアシル）メトキシ］−３−オキソプロピル、３−（アリールメトキシ）−３−オキソプロピル、３−｛［（Ｃ１〜Ｃ６）アルキルアシル］−メトキシル｝−３−オキソプロピル、３−［（アリールアシル）−メトキシ］−３−オキソプロピル、３−｛［（Ｃ１〜Ｃ６）−アルコキシカルボニル］メトキシ｝−３−オキソプロピル、２−｛［（Ｃ１〜Ｃ６）−アルコキシカルボニル］メトキシ｝−２−オキソエチル、又は２−｛［（Ｃ１〜Ｃ６）アルキルアシル］−メトキシル｝−２−オキソエチルであり、
Ｒ２〜Ｒ７は、互いに独立して、水素、（Ｃ１〜Ｃ６）アルキル、アリール、（Ｃ１〜Ｃ８）アルコキシル、（Ｃ３〜Ｃ８）シクロアルキル、Ｏにより中断された（Ｃ２〜Ｃ６）アルキル、Ｓにより中断された（Ｃ２〜Ｃ６）アルキル、又はハロゲンであり、
Ｒ８は、水素、（Ｃ１〜Ｃ６）アルキル、（Ｃ３〜Ｃ４）−アルケニル、（Ｃ３〜Ｃ４）−アルキニル、アリールメチル、２−（Ｃ１〜Ｃ６）アルコキシル−２−オキソエチル、２−（アリールメチル）−２−オキソエチル、シアノ（Ｃ１〜Ｃ６）アルキル、Ｏにより中断された（Ｃ１〜Ｃ６）アルキル、又はＳにより中断された（Ｃ１〜Ｃ６）アルキルであり、
そして
Ｙは、カルボニルである。］
【００６１】
好ましい式（Ｉ−ｉ）の染料の例は、表９に示した化合物及びそれらの混合物である。
【００６２】
【表２８】
0006452170.tif 000058
【００６３】
本発明のまた別の好ましい実施態様は、式（Ｉ−ｊ）を有する上述の染料である。
【化３０】
0006452170.tif 000059
［式中、
Ｔ２３及びＴ２４は、互いに独立して、シアノ、ニトロ、ハロゲン、アリール、又はトリフルオロメチルであり、
Ｔ２５は、水素、（Ｃ１〜Ｃ６）−アルキル、Ｏにより中断された（Ｃ１〜Ｃ６）−アルキル、Ｓにより中断された（Ｃ１〜Ｃ６）−アルキル、又はアリールであり、
Ｒ１は、メチル、エチル、プロピル、イソプロピル、ｎ−ブチル、イソブチル、ベンジル、２−メトキシルエチル、２−エトキシルエチル、２−アセトキシエチル、２−（プロピオニル）オキシエチル、２−（ベンゾイル）オキシエチル、シアノメチル、２−シアノエチル、３−シアノプロピル、３−（Ｃ１〜Ｃ６）アルコキシル−３−オキソプロピル、３−［Ｏにより中断された（Ｃ２〜Ｃ６）−アルコキシル］−３−オキソプロピル、２−（Ｃ１〜Ｃ６）アルキル−２−オキソエチル、２−［Ｏにより中断された（Ｃ２〜Ｃ６）−アルコキシル］−２−オキソエチル、２−（シアノメトキシ）−２−オキソエチル、３−（シアノメトキシ）−３−オキソプロピル、２−［（アリールアシル）メトキシ］−２−オキソエチル、３−［（アリールアシル）メトキシ］−３−オキソプロピル、３−（アリールメトキシ）−３−オキソプロピル、３−｛［（Ｃ１〜Ｃ６）アルキルアシル］−メトキシル｝−３−オキソプロピル、３−［（アリールアシル）−メトキシ］−３−オキソプロピル、３−｛［（Ｃ１〜Ｃ６）−アルコキシカルボニル］メトキシ｝−３−オキソプロピル、２−｛［（Ｃ１〜Ｃ６）−アルコキシカルボニル］メトキシ｝−２−オキソエチル、又は２−｛［（Ｃ１〜Ｃ６）アルキルアシル］−メトキシル｝−２−オキソエチルであり、
Ｒ２〜Ｒ７のそれぞれは、互いに独立して、水素、（Ｃ１〜Ｃ６）アルキル、アリール、（Ｃ１〜Ｃ８）アルコキシル、（Ｃ３〜Ｃ８）シクロアルキル、Ｏにより中断された（Ｃ２〜Ｃ６）アルキル、Ｓにより中断された（Ｃ２〜Ｃ６）アルキル、又はハロゲンであり、
Ｒ８は、水素、（Ｃ１〜Ｃ６）アルキル、（Ｃ３〜Ｃ４）−アルケニル、（Ｃ３〜Ｃ４）−アルキニル、アリールメチル、２−（Ｃ１〜Ｃ６）アルコキシル−２−オキソエチル、２−（アリールメチル）−２−オキソエチル、シアノ（Ｃ１〜Ｃ６）アルキル、Ｏにより中断された（Ｃ１〜Ｃ６）アルキル、又はＳにより中断された（Ｃ１〜Ｃ６）アルキルであり、
そして
Ｙは、カルボニルである。］
【００６４】
好ましい式（Ｉ−ｊ）の染料の例は、表１０に示した化合物及びそれらの混合物である。
【００６５】
【表２９】
0006452170.tif 000060
【００６６】
また別な好ましい染料の群は、式（Ｉ−ｋ）を有する上述の染料である。
【化３１】
0006452170.tif 000061
［式中、
Ｔ２６は、シアノ、ニトロ、アリール、又はトリフルオロメチルであり、
Ｔ２７は、水素、アリール、又は（Ｃ１〜Ｃ６）−アルキルであり、
Ｔ２８は、水素、（Ｃ１〜Ｃ６）−アシルオキシで置換された（Ｃ１〜Ｃ６）アルキル、シアノ（Ｃ１〜Ｃ６）アルキル、アリール、Ｏにより中断された（Ｃ１〜Ｃ６）−アルキル、又はＳにより中断された（Ｃ１〜Ｃ６）−アルキルであり、
Ｒ１は、メチル、エチル、プロピル、イソプロピル、ｎ−ブチル、イソブチル、ベンジル、２−メトキシルエチル、２−エトキシルエチル、２−アセトキシエチル、２−（プロピオニル）オキシエチル、２−（ベンゾイル）オキシエチル、シアノメチル、２−シアノエチル、３−シアノプロピル、３−（Ｃ１〜Ｃ６）アルコキシル−３−オキソプロピル、３−［Ｏにより中断された（Ｃ２〜Ｃ６）−アルコキシル］−３−オキソプロピル、２−（Ｃ１〜Ｃ６）アルキル−２−オキソエチル、２−［Ｏにより中断された（Ｃ２〜Ｃ６）−アルコキシル］−２−オキソエチル、２−（シアノメトキシ）−２−オキソエチル、３−（シアノメトキシ）−３−オキソプロピル、２−［（アリールアシル）メトキシ］−２−オキソエチル、３−［（アリールアシル）メトキシ］−３−オキソプロピル、３−（アリールメトキシ）−３−オキソプロピル、３−｛［（Ｃ１〜Ｃ６）アルキルアシル］−メトキシル｝−３−オキソプロピル、３−［（アリールアシル）−メトキシ］−３−オキソプロピル、３−｛［（Ｃ１〜Ｃ６）−アルコキシカルボニル］メトキシ｝−３−オキソプロピル、２−｛［（Ｃ１〜Ｃ６）−アルコキシカルボニル］メトキシ｝−２−オキソエチル、又は２−｛［（Ｃ１〜Ｃ６）アルキルアシル］−メトキシル｝−２−オキソエチルであり、
Ｒ２〜Ｒ７は、互いに独立して、水素、（Ｃ１〜Ｃ６）アルキル、アリール、（Ｃ１〜Ｃ８）アルコキシル、（Ｃ３〜Ｃ８）シクロアルキル、Ｏにより中断された（Ｃ２〜Ｃ６）アルキル、Ｓにより中断された（Ｃ２〜Ｃ６）アルキル、又はハロゲンであり、
Ｒ８は、水素、（Ｃ１〜Ｃ６）アルキル、（Ｃ３〜Ｃ４）−アルケニル、（Ｃ３〜Ｃ４）−アルキニル、アリールメチル、２−（Ｃ１〜Ｃ６）アルコキシル−２−オキソエチル、２−（アリールメチル）−２−オキソエチル、シアノ（Ｃ１〜Ｃ６）アルキル、Ｏにより中断された（Ｃ１〜Ｃ６）アルキル、又はＳにより中断された（Ｃ１〜Ｃ６）アルキルであり、
そして
Ｙは、カルボニルである。］
【００６７】
好ましい式（Ｉ−ｋ）の染料の例は、表１１に示した化合物及びそれらの混合物である。
【００６８】
【表３０】
0006452170.tif 000062
【００６９】
好ましいのは、式（Ｉ−ｌ）を有する上述の染料である。
【化３２】
0006452170.tif 000063
［式中、
Ｔ２９は、シアノ、ニトロ、アリール、又はトリフルオロメチルであり、
Ｔ３０は、水素、（Ｃ１〜Ｃ６）−アルキル、シアノ（Ｃ１〜Ｃ６）アルキル、Ｏにより中断された（Ｃ１〜Ｃ６）アルキル、Ｓにより中断された（Ｃ１〜Ｃ６）アルキル、アリール、ベンジル、（Ｃ１〜Ｃ６）−アシルオキシで置換された（Ｃ１〜Ｃ６）アルキル、又はシアノ（Ｃ１〜Ｃ６）アルキルであり、
Ｒ１は、メチル、エチル、プロピル、イソプロピル、ｎ−ブチル、イソブチル、ベンジル、２−メトキシルエチル、２−エトキシルエチル、２−アセトキシエチル、２−（プロピオニル）オキシエチル、２−（ベンゾイル）オキシエチル、シアノメチル、２−シアノエチル、３−シアノプロピル、３−（Ｃ１〜Ｃ６）アルコキシル−３−オキソプロピル、３−［Ｏにより中断された（Ｃ２〜Ｃ６）−アルコキシル］−３−オキソプロピル、２−（Ｃ１〜Ｃ６）アルキル−２−オキソエチル、２−［Ｏにより中断された（Ｃ２〜Ｃ６）−アルコキシル］−２−オキソエチル、２−（シアノメトキシ）−２−オキソエチル、３−（シアノメトキシ）−３−オキソプロピル、２−［（アリールアシル）メトキシ］−２−オキソエチル、３−［（アリールアシル）メトキシ］−３−オキソプロピル、３−（アリールメトキシ）−３−オキソプロピル、３−｛［（Ｃ１〜Ｃ６）アルキルアシル］−メトキシル｝−３−オキソプロピル、３−［（アリールアシル）−メトキシ］−３−オキソプロピル、３−｛［（Ｃ１〜Ｃ６）−アルコキシカルボニル］メトキシ｝−３−オキソプロピル、２−｛［（Ｃ１〜Ｃ６）−アルコキシカルボニル］メトキシ｝−２−オキソエチル、又は２−｛［（Ｃ１〜Ｃ６）アルキルアシル］−メトキシル｝−２−オキソエチルであり、
Ｒ２〜Ｒ７は、互いに独立して、水素、（Ｃ１〜Ｃ６）アルキル、アリール、（Ｃ１〜Ｃ８）アルコキシル、（Ｃ３〜Ｃ８）シクロアルキル、Ｏにより中断された（Ｃ２〜Ｃ６）アルキル、Ｓにより中断された（Ｃ２〜Ｃ６）アルキル、又はハロゲンであり、
Ｒ８は、水素、（Ｃ１〜Ｃ６）アルキル、（Ｃ３〜Ｃ４）−アルケニル、（Ｃ３〜Ｃ４）−アルキニル、アリールメチル、２−（Ｃ１〜Ｃ６）アルコキシル−２−オキソエチル、２−（アリールメチル）−２−オキソエチル、シアノ（Ｃ１〜Ｃ６）アルキル、Ｏにより中断された（Ｃ１〜Ｃ６）アルキル、又はＳにより中断された（Ｃ１〜Ｃ６）アルキルであり、
そして
Ｙは、カルボニルである。］
【００７０】
好ましい式（Ｉ−ｌ）の染料の例は、表１２に示した化合物及びそれらの混合物である。
【００７１】
【表３１】
0006452170.tif 000064
【００７２】
好ましいのはさらに、式（Ｉ−ｍ）を有する上述の染料である。
【化３３】
0006452170.tif 000065
［式中、
Ｔ３１は、シアノ、ニトロ、アリール、又はトリフルオロメチルであり、
Ｔ３２は、水素、（Ｃ１〜Ｃ６）−アルキル、Ｏにより中断された（Ｃ１〜Ｃ６）−アルキル、Ｓにより中断された（Ｃ１〜Ｃ６）−アルキル、シアノ（Ｃ１〜Ｃ６）アルキル、アリールメチル、シアノ（Ｃ１〜Ｃ６）アルキル、又は（Ｃ１〜Ｃ６）−アシルオキシで置換された（Ｃ１〜Ｃ６）アルキルであり、
Ｔ３３は、水素又は（Ｃ１〜Ｃ６）アルキルであり、
Ｒ１は、メチル、エチル、プロピル、イソプロピル、ｎ−ブチル、イソブチル、ベンジル、２−メトキシルエチル、２−エトキシルエチル、２−アセトキシエチル、２−（プロピオニル）オキシエチル、２−（ベンゾイル）オキシエチル、シアノメチル、２−シアノエチル、３−シアノプロピル、３−（Ｃ１〜Ｃ６）アルコキシル−３−オキソプロピル、３−［Ｏにより中断された（Ｃ２〜Ｃ６）−アルコキシル］−３−オキソプロピル、２−（Ｃ１〜Ｃ６）アルキル−２−オキソエチル、２−［Ｏにより中断された（Ｃ２〜Ｃ６）−アルコキシル］−２−オキソエチル、２−（シアノメトキシ）−２−オキソエチル、３−（シアノメトキシ）−３−オキソプロピル、２−［（アリールアシル）メトキシ］−２−オキソエチル、３−［（アリールアシル）メトキシ］−３−オキソプロピル、３−（アリールメトキシ）−３−オキソプロピル、３−｛［（Ｃ１〜Ｃ６）アルキルアシル］−メトキシル｝−３−オキソプロピル、３−［（アリールアシル）−メトキシ］−３−オキソプロピル、３−｛［（Ｃ１〜Ｃ６）−アルコキシカルボニル］メトキシ｝−３−オキソプロピル、２−｛［（Ｃ１〜Ｃ６）−アルコキシカルボニル］メトキシ｝−２−オキソエチル、又は２−｛［（Ｃ１〜Ｃ６）アルキルアシル］−メトキシル｝−２−オキソエチルであり、
Ｒ２〜Ｒ７は、互いに独立して、水素、（Ｃ１〜Ｃ６）アルキル、アリール、（Ｃ１〜Ｃ８）アルコキシル、（Ｃ３〜Ｃ８）シクロアルキル、Ｏにより中断された（Ｃ２〜Ｃ６）アルキル、Ｓにより中断された（Ｃ２〜Ｃ６）アルキル、又はハロゲンであり、
Ｒ８は、水素、（Ｃ１〜Ｃ６）アルキル、（Ｃ３〜Ｃ４）−アルケニル、（Ｃ３〜Ｃ４）−アルキニル、アリールメチル、２−（Ｃ１〜Ｃ６）アルコキシル−２−オキソエチル、２−（アリールメチル）−２−オキソエチル、シアノ（Ｃ１〜Ｃ６）アルキル、Ｏにより中断された（Ｃ１〜Ｃ６）アルキル、又はＳにより中断された（Ｃ１〜Ｃ６）アルキルであり、
そして
Ｙは、カルボニルである。］
【００７３】
好ましい式（Ｉ−ｍ）の染料の例は、表１３に示した化合物及びそれらの混合物である。
【００７４】
【表３２】
0006452170.tif 000066
【００７５】
また別な好ましい染料の群は、式（Ｉ−ｎ）を有する上述のそれである。
【化３４】
0006452170.tif 000067
［式中、
Ｔ３４、Ｔ３５、及びＴ３６は、互いに独立して、水素、ハロゲン、ニトロ、シアノ、ヒドロキシル、（Ｃ１〜Ｃ６）−アルコキシルカルボニル、（Ｃ１〜Ｃ６）−アルキル、又はアシルであり、
Ｒ１は、メチル、エチル、プロピル、イソプロピル、ｎ−ブチル、イソブチル、ベンジル、２−メトキシルエチル、２−エトキシルエチル、２−アセトキシエチル、２−（プロピオニル）オキシエチル、２−（ベンゾイル）オキシエチル、シアノメチル、２−シアノエチル、３−シアノプロピル、３−（Ｃ１〜Ｃ６）アルコキシル−３−オキソプロピル、３−［Ｏにより中断された（Ｃ２〜Ｃ６）−アルコキシル］−３−オキソプロピル、２−（Ｃ１〜Ｃ６）アルキル−２−オキソエチル、２−［Ｏにより中断された（Ｃ２〜Ｃ６）−アルコキシル］−２−オキソエチル、２−（シアノメトキシ）−２−オキソエチル、３−（シアノメトキシ）−３−オキソプロピル、２−［（アリールアシル）メトキシ］−２−オキソエチル、３−［（アリールアシル）メトキシ］−３−オキソプロピル、３−（アリールメトキシ）−３−オキソプロピル、３−｛［（Ｃ１〜Ｃ６）アルキルアシル］−メトキシル｝−３−オキソプロピル、３−［（アリールアシル）−メトキシ］−３−オキソプロピル、３−｛［（Ｃ１〜Ｃ６）−アルコキシカルボニル］メトキシ｝−３−オキソプロピル、２−｛［（Ｃ１〜Ｃ６）−アルコキシカルボニル］メトキシ｝−２−オキソエチル、又は２−｛［（Ｃ１〜Ｃ６）アルキルアシル］−メトキシル｝−２−オキソエチルであり、
Ｒ２〜Ｒ７は、互いに独立して、水素、（Ｃ１〜Ｃ６）アルキル、アリール、（Ｃ１〜Ｃ８）アルコキシル、（Ｃ３〜Ｃ８）シクロアルキル、Ｏにより中断された（Ｃ２〜Ｃ６）アルキル、Ｓにより中断された（Ｃ２〜Ｃ６）アルキル、又はハロゲンであり、
Ｒ８は、水素、（Ｃ１〜Ｃ６）アルキル、（Ｃ３〜Ｃ４）−アルケニル、（Ｃ３〜Ｃ４）−アルキニル、アリールメチル、２−（Ｃ１〜Ｃ６）アルコキシル−２−オキソエチル、２−（アリールメチル）−２−オキソエチル、シアノ（Ｃ１〜Ｃ６）アルキル、Ｏにより中断された（Ｃ１〜Ｃ６）アルキル、又はＳにより中断された（Ｃ１〜Ｃ６）アルキルであり、
そして
Ｙは、カルボニルである。］
【００７６】
好ましい式（Ｉ−ｎ）の染料の例は、表１４に示した化合物及びそれらの混合物である。
【００７７】
【表３３】
0006452170.tif 000068
【００７８】
これまた別な好ましい染料の群は、式（Ｉ−ｏ）を有する上述の染料である。
【化３５】
0006452170.tif 000069
［式中、
Ｔ３７は、ニトロ、水素、又はハロゲンであり、
Ｒ１は、メチル、エチル、プロピル、イソプロピル、ｎ−ブチル、イソブチル、ベンジル、２−メトキシルエチル、２−エトキシルエチル、２−アセトキシエチル、２−（プロピオニル）オキシエチル、２−（ベンゾイル）オキシエチル、シアノメチル、２−シアノエチル、３−シアノプロピル、３−（Ｃ１〜Ｃ６）アルコキシル−３−オキソプロピル、３−［Ｏにより中断された（Ｃ２〜Ｃ６）−アルコキシル］−３−オキソプロピル、２−（Ｃ１〜Ｃ６）アルキル−２−オキソエチル、２−［Ｏにより中断された（Ｃ２〜Ｃ６）−アルコキシル］−２−オキソエチル、２−（シアノメトキシ）−２−オキソエチル、３−（シアノメトキシ）−３−オキソプロピル、２−［（アリールアシル）メトキシ］−２−オキソエチル、３−［（アリールアシル）メトキシ］−３−オキソプロピル、３−（アリールメトキシ）−３−オキソプロピル、３−｛［（Ｃ１〜Ｃ６）アルキルアシル］−メトキシル｝−３−オキソプロピル、３−［（アリールアシル）−メトキシ］−３−オキソプロピル、３−｛［（Ｃ１〜Ｃ６）−アルコキシカルボニル］メトキシ｝−３−オキソプロピル、２−｛［（Ｃ１〜Ｃ６）−アルコキシカルボニル］メトキシ｝−２−オキソエチル、又は２−｛［（Ｃ１〜Ｃ６）アルキルアシル］−メトキシル｝−２−オキソエチルであり、
Ｒ２〜Ｒ７は、互いに独立して、水素、（Ｃ１〜Ｃ６）アルキル、アリール、（Ｃ１〜Ｃ８）アルコキシル、（Ｃ３〜Ｃ８）シクロアルキル、Ｏにより中断された（Ｃ２〜Ｃ６）アルキル、Ｓにより中断された（Ｃ２〜Ｃ６）アルキル、又はハロゲンであり、
Ｒ８は、水素、（Ｃ１〜Ｃ６）アルキル、（Ｃ３〜Ｃ４）−アルケニル、（Ｃ３〜Ｃ４）−アルキニル、アリールメチル、２−（Ｃ１〜Ｃ６）アルコキシル−２−オキソエチル、２−（アリールメチル）−２−オキソエチル、シアノ（Ｃ１〜Ｃ６）アルキル、Ｏにより中断された（Ｃ１〜Ｃ６）アルキル、又はＳにより中断された（Ｃ１〜Ｃ６）アルキルであり、
そして
Ｙは、カルボニルである。］
【００７９】
好ましい式（Ｉ−ｏ）の染料の例は、表１５に示した化合物及びそれらの混合物である。
【００８０】
【表３４】
0006452170.tif 000070
【００８１】
本発明はさらに、式（Ｉ）を有する染料及びそれらの混合物を製造するためのプロセスも提供するが、それには以下の工程が含まれる：
ａ）一般式（ＸＤ）の化合物をジアゾ化する工程、
Ｄ−ＮＨ２      （ＸＤ）
［式中、Ｄは先に定義されたものである］
及び
ｂ）そのようにして得られた相当するジアゾニウム塩を、式（ＸＣ）の化合物と反応させる工程。
【化３６】
0006452170.tif 000071
［式中、Ｒ１〜Ｒ８及びＹは、それぞれ先に定義されたものである］
【００８２】
一般式（ＸＤ）の化合物のジアゾ化は、一般的には公知の方法たとえば、たとえば塩酸又は硫酸を用いて酸性にした水性媒体中で亜硝酸ナトリウムを使用するか、あるいは、希硫酸、リン酸中、又は酢酸とプロピオン酸との混合物の中でニトロシル硫酸を使用することにより実施される。好適な温度範囲は、０℃〜１５℃の間である。
【００８３】
そのジアゾ化された化合物の一般式（ＸＤ）の化合物の上へのカップリングは、一般的には、同様にして公知の方法、たとえば、酸性の、水媒体、水−有機媒体、又は有機媒体中、特に好ましくは１０℃未満の温度で実施される。使用される酸は、特には、硫酸、酢酸又はプロピオン酸である。
【００８４】
一般式（ＸＣ）及び（ＸＤ）の化合物は公知であり、公知の方法によって調製することができる（たとえば、欧州特許第１  １５４  ７７４号明細書、国際公開第２００９／０３６３５１号パンフレット、Ｊ．Ｃｈｅｍ．Ｓｏｃ．，１９２５，１２７，２３０３、Ｋｈｉｍ．Ｇｅｔｅｒｏｔｓｉｌ．，１９９６，３２（４），５２３）。
【００８５】
本発明の一般式（Ｉ）の染料は、疎水性の材料を染色及び捺染するには極めて有用であり、そのようにして得られた染色物及び捺染物は、均質な色相と高い使用堅牢性とを特徴としている。特に言及するに値するのは、優れた洗濯堅牢性及び極めて良好な昇華堅牢性である。
【００８６】
したがって、本発明は、疎水性の材料を染色及び捺染するための一般式Ｉの染料の使用、すなわち、そのような材料を常法に従って染色及び捺染するためのプロセスも提供するが、そこでは、本発明による一般式（Ｉ）の１種又は複数の染料が着色剤として使用される。
【００８７】
上述の疎水性の材料は、合成由来のものであっても、半合成由来のものであってもよい。有用な疎水性材料としては、たとえば、二級セルロースアセテート、セルローストリアセテート、ポリアミド、及び特に高分子量ポリエステルが挙げられる。高分子量ポリエステルの材料は、特にポリエチレングリコールテレフタレートをベースとするものである。
【００８８】
その疎水性合成材料は、シート状又は糸状の形態で存在させることもできるし、また、たとえば糸や、織物又は編物材料に加工することもできる。繊維質織物材料が好ましく、それらはたとえばミクロ繊維の形態で存在していてもよい。
【００８９】
本発明によって提供される用途における染色は、常法に従って、好ましくは水性分散体から、適切であればキャリヤーの存在下に、吸尽プロセスによって８０〜約１１０℃の間で、又はＨＴプロセスによって染色オートクレーブ中１１０〜１４０℃で、さらには、染液を用いて布地をパジングし次いで約１８０〜２３０℃で固着／セットさせる、いわゆる熱固着プロセスによって実施することができる。
【００９０】
有機酸及び無機酸、たとえば酢酸、コハク酸、ホウ酸又はリン酸を加えて、ｐＨを４〜５、好ましくは４．５に設定する。ｐＨの設定を緩衝化させるのが有利であり、充分な量の緩衝系を添加する。酢酸／酢酸ナトリウムの系が、有利な緩衝系の一例である。
【００９１】
さらには、本発明による染料及び染料混合物は、超臨界の二酸化炭素から疎水性繊維材料を染色するのにも、極めて適している。
【００９２】
織物の捺染においてこれらの染料又は染料混合物を使用するために、必要量の上述の染料調製物を、増粘剤たとえばアルギン酸アルカリ金属など、及び適切であるならばさらなる添加物たとえば固着促進剤、濡れ剤、及び酸化剤と共に、常法に従って混練して捺染糊を得る。
【００９３】
本発明はさらに、インクジェットプロセスによるデジタル織物捺染のための、本発明の一般式（Ｉ）の染料を含むインクもまた提供する。
【００９４】
本発明のインクは水性であるのが好ましく、本発明の一般式（Ｉ）の染料の１種又は複数を、インクの全重量を基準にして、たとえば０．１％〜５０重量％の量、好ましくは０．５％〜３０重量％の量、より好ましくは１％〜１５重量％の量で含む。それらには、特に０．１％〜２０重量％の分散剤をさらに含む。好適な分散剤は当業者には周知であって、市場で入手することができ、たとえば以下のようなものが挙げられる：スルホン化若しくはスルホメチル化リグニン、芳香族スルホン酸とホルムアルデヒドとの縮合反応生成物、置換若しくは非置換フェノールとホルムアルデヒドとの縮合反応生成物、ポリアクリレート及び対応するコポリマー、改質ポリウレタン、並びに、アルキレンオキシドと、アルキル化可能な化合物、たとえば脂肪族アルコール、脂肪族アミン、脂肪酸、カルボキサミド及び置換若しくは非置換フェノールとの反応生成物。
【００９５】
本発明のインクには、慣用される添加剤をさらに含んでいてもよく、たとえば粘度調整剤を用いて、温度範囲２０〜５０℃における粘度を１．５〜４０．０ｍＰａｓの範囲とする。好ましいインクは１．５〜２０ｍＰａｓの範囲の粘度を有し、特に好ましいインクは１．５〜１５ｍＰａｓの範囲の粘度を有する。
【００９６】
有用な粘度調整剤としては、レオロジー添加物たとえば、ポリビニル−カプロラクタム、ポリビニルピロリドン及びさらにはそのコポリマー、ポリエーテルポリオール、連合増粘剤（ａｓｓｏｃｉａｔｉｖｅ  ｔｈｉｃｋｅｎｅｒ）、ポリウレア、アルギン酸ナトリウム、変性ガラクトマンナン、ポリエーテルウレア、ポリウレタン、及びノニオン性セルロースエーテルなどが挙げられる。
【００９７】
さらなる添加物としては、本発明のインクには、界面張力を２０〜６５ｍＮ／ｍの範囲に設定するための界面活性剤を含んでいてもよいが、それらは、適切であれば、使用されるプロセス（加熱式、ピエゾ式）に応じて合わせる。有用な界面活性剤としては、たとえば、各種の界面活性剤、好ましくはノニオン性界面活性剤のブチルジグリコール及び１，２−ヘキサンジオールが挙げられる。
【００９８】
このインクにはさらに、通常使用される添加物たとえば真菌や細菌の成長を抑制するための化学種を、インクの全重量を基準にして０．０１％〜１重量％の量で加えることができる。
【００９９】
本発明のインクは、常法に従って、成分を水と混合させることによって調製することができる。
【０１００】
以下の実施例を使用して、本発明を説明する。部及びパーセントは、特に記さない限り、重量によるものである。重量部と容積部との間の関係は、キログラムとリットルの間の関係と同じである。
【実施例】
【０１０１】
合成例１：
物質３８の調製法
５．２４ｇの６−ブロモ−２，４−ジニトロアニリンを、９．８ｍＬの硫酸（９６％濃度）、０．５ｍＬの水、及び３．５ｍＬのニトロシル硫酸（４０％濃度）の３０〜３５℃の混合物の中に導入した。３０〜３５℃で３時間撹拌した後で、アミドスルホン酸を用いて、過剰の亜硝酸塩を分解させた。そのようにして得られたジアゾニウム塩の溶液を、４．９ｇの２，３−ジヒドロ−７−ヒドロキシキノリン−４−ケト−１−プロピオニルメチルエステル、５０ｍＬのメタノール、及び２００ｇの氷の混合物の中に、滴下により適宜添加した。１時間撹拌した後に、固形物を減圧濾過により分離し、水を用いて洗浄し、乾燥させると、７．９ｇの染料実施例３８が得られた。
【化３７】
0006452170.tif 000072
【０１０２】
合成例２：
物質４５０の調製法
８．１６ｇの５−アミノ−３−メチル−チオフェン−２，４−ジカルボニトリルを、４０ｍＬの酢酸、１０ｍＬのプロピオン酸、及び９．０１ｍＬのニトロシル硫酸（４０％）の０〜５℃の混合物の中に導入した。０〜５℃で３時間撹拌した後で、アミドスルホン酸を用いて、過剰の亜硝酸塩を分解させた。そのようにして得られたジアゾニウム塩の溶液を、１２．４６ｇの２，３−ジヒドロ−７−ヒドロキシキノリン−４−ケト−１−プロピオニルメチルエステル、１００ｍＬのメタノール、及び３００ｇの氷の混合物の中に、滴下により適宜添加した。１時間撹拌した後に、固形物を減圧濾過により分離し、水を用いて洗浄し、乾燥させると、１３．０ｇの染料実施例４５０が得られた。
【化３８】
0006452170.tif 000073
【０１０３】
合成例３：
物質３４２の調製法
８．６９ｇの２，４−ジニトロアニリンを、２０ｍＬの硫酸（９６％濃度）、１．２ｍＬの水、及び８．５５ｍＬのニトロシル硫酸（４０％）の３０〜３５℃の混合物の中に導入した。３０〜３５℃で３時間撹拌した後で、アミドスルホン酸を用いて、過剰の亜硝酸塩を分解させた。そのようにして得られたジアゾニウム塩の溶液を、１３．２ｇの２，３−ジヒドロ−７−メトキシキノリン−４−ケト−１−プロピオニルメチルエステル、１００ｍＬのメタノール、及び３００ｇの氷の混合物の中に、滴下により適宜添加した。１時間撹拌した後に、固形物を減圧濾過により分離し、水を用いて洗浄し、乾燥させると、１６．３ｇの染料実施例３４２が得られた。
【化３９】
0006452170.tif 000074
【０１０４】
同様にすれば、本発明の染料すべてを、上述の方法により合成することができる。
【０１０５】
染着例１：
３ｇの染料実施例３８を、３ｇの分散剤及び９４ｇの水と共に、ガラスビーズミルの中で摩砕すると、３％水性分散体に転化した。その配合物を使用して、１３０℃での高温吸尽プロセスによりポリエステル布地の上に（染料及び基材をベースとして）１％の染色を施し、還元洗浄した（ｒｅｄｕｃｔｉｏｎ  ｃｌｅａｒｅｄ）。そのようにして得られたルビー色の染色は、極めて良好な使用堅牢性、特には、優れた洗濯堅牢性を有している。
【０１０６】
染着例２：
３ｇの染料実施例４５０を、３ｇの分散剤及び９４ｇの水と共に、ガラスビーズミルの中で摩砕すると、３％水性分散体に転化した。その配合物を使用して、１３０℃での高温吸尽プロセスによりポリエステル布地の上に（染料及び基材をベースとして）１％の染色を施し、還元洗浄した。そのようにして得られた輝度のあるルビー色の染色は、極めて良好な使用堅牢性、特には、優れた洗濯堅牢性を有している。
【０１０７】
染着例３：
ポリエステルからなる織布を、５０ｇ／Ｌの８％アルギン酸ナトリウムの溶液、１００ｇ／Ｌの８〜１２％イナゴマメ粉エーテル溶液、及び５ｇ／Ｌのリン酸一ナトリウム（水中）からなる液を用いてパジングしてから、乾燥させた。含浸量（ｗｅｔ  ｐｉｃｋｕｐ）は、７０％であった。次いで、そのようにして前処理された織物を、先に説明したようにして調製し、以下のものを含む水性インクを用い、ドロップ・オン・デマンド（ピエゾ）インクジェット印刷ヘッドを使用して染色した：
３．５％の染料実施例３８、
２．５％のＤｉｓｐｅｒｂｙｋ（登録商標）１９０分散剤、
３０％の１，５−ペンタンジオール、
５％のジエチレングリコールモノメチルエーテル、
０．０１％のＭｅｒｇａｌ（登録商標）Ｋ９Ｎ殺生剤、及び
５８．９９％の水
（ジェット印刷ヘッド中、ドロップ・オン・デマンド（ピエゾ）を使用）。
捺染物は完全に乾燥させた。過熱水蒸気の手段を用い１７５℃で７分間の加熱により固着させた。次いでその染色物を、アルカリ性の還元洗浄にかけ、温水ですすいでから、乾燥させた。
【０１０８】
染着例４：
ポリエステルからなる織布を、５０ｇ／Ｌの８％アルギン酸ナトリウムの溶液、１００ｇ／Ｌの８〜１２％イナゴマメ粉エーテル溶液、及び５ｇ／Ｌのリン酸一ナトリウム（水中）からなる液を用いてパジングしてから、乾燥させた。含浸量は、７０％であった。次いで、そのようにして前処理された織物を、先に説明したようにして調製し、以下のものを含む水性インクを用い、ドロップ・オン・デマンド（ピエゾ）インクジェット印刷ヘッドを使用して染色した：
３．５％の染料実施例４５０、
２．５％のＤｉｓｐｅｒｂｙｋ（登録商標）１９０分散剤、
３０％の１，５−ペンタンジオール、
５％のジエチレングリコールモノメチルエーテル、
０．０１％のＭｅｒｇａｌ（登録商標）Ｋ９Ｎ殺生剤、及び
５８．９９％の水
（ジェット印刷ヘッド中、ドロップ・オン・デマンド（ピエゾ）を使用）。
捺染物は完全に乾燥させた。過熱水蒸気の手段を用い１７５℃で７分間の加熱により固着させた。次いでその染色物を、アルカリ性の還元洗浄にかけ、温水ですすいでから、乾燥させた。
【０１０９】
比較例１：
ａ）
標準の１００％ポリエステル上でのビルドアップ性を、本発明の染料［実施例１５］と、一般的に使用されている染料［Ｃ．Ｉ．Ｄｉｓｐｅｒｓｅ  Ｒｅｄ  ３６９、式（ｘｃ１）］とについて測定した。それらの結果を比較し、次に示す。
【０１１０】
【表３５】
0006452170.tif 000075
【０１１１】
本発明の実施例１５による染料は、Ｔｏｒａｙポリエステル上では、市販製品のＣ．Ｉ．Ｄｉｓｐｅｒｓｅ  Ｒｅｄ  ３６９（比較例１）と同等のビルドアップ性を有している。
【０１１２】
ｂ）
標準の１００％ポリエステル上での湿潤堅牢性（吸尽染着、１３０℃、後セット３０”、１８０℃）を、本発明の同じ染料［実施例１５］と、一般的に使用されている同じ染料［Ｃ．Ｉ．Ｄｉｓｐｅｒｓｅ  Ｒｅｄ  ３６９、式（ｘｃ１）］とについて測定した。それらの結果を比較し、次の表に示す。
【０１１３】
【表３６】
0006452170.tif 000076
【０１１４】
そのデータから、Ｃ．Ｉ．Ｄｉｓｐｅｒｓｅ  Ｒｅｄ  ３６９に比較して、本発明の実施例１５の染料が優れた湿潤堅牢性を有していることは明らかである。
【０１１５】
したがって、本発明の染料が、業界標準よりも良好な湿潤堅牢性を有しながらも、同等のビルドアップ性を維持していると結論づけることが可能である。
【０１１６】
比較例２：
ａ）
１００％ポリエステルミクロ繊維上での１３０℃でのビルドアップ性を、本発明の染料［実施例１５］と、一般的に使用されている染料［式（ｘｃ２）］とについて測定した。それらの結果を比較し、次に示す。
【０１１７】
【表３７】
0006452170.tif 000077
【０１１８】
本発明の染料が、この色のための他の業界標準よりも、ポリエステルミクロ繊維へのビルドアップ性が良好であるとみなすことができる。
【０１１９】
ｂ）
ａ）の場合と同一の染料、すなわち、実施例１５及び式ｘｃ２（比較例２）の、ポリエステル／綿（パッドドライ−熱固着法により、２２０℃で染着）上での湿潤堅牢性を調べた。さらに、比較例１からのＣ．Ｉ．Ｄｉｓｐｅｒｓｅ  Ｒｅｄ  ３６９についても試験を行った（比較例３）。
【０１２０】
【表３８】
0006452170.tif 000078
【０１２１】
比較例２及び比較例３（Ｃ．Ｉ．Ｄｉｓｐｅｒｓｅ  Ｒｅｄ  ３５６）の染料に比較して、本発明の実施例１５の染料は、ポリエステル／綿の作業衣についての、組合せ堅牢性試験（乾熱、ＩＳＯ  １０５  Ｐ０１  ５’、１９０℃、それに続けての、洗浄、ＩＳＯ  １０５−Ｃ０５、９５℃×４時間）において、良好な堅牢性を有している。その他の湿潤堅牢性は同等である。
【０１２２】
したがって、本発明の染料が、現在使用されている染料と同等、又はより優れたビルドアップ性を示すと共に、改良された堅牢性を有している、と要約することができる。